(57)【要約】  本願の実施形態は、通信技術の分野に関し、サービス設定要求が受信された後に無線リソースがUEに強制的に割り当てられるために、サービスが正常に実行できないという問題を解決するために、サービス設定方法及び装置を開示する。特定のソリューションは、アクセスネットワーク装置により、第１設定要求を受信し、第１コアネットワーク装置又は第１サービスアプリケーションサーバへ第１設定応答を送信し、第１設定応答は、アクセスネットワーク装置が第１設定要求を受け入れたことを指示するために使用され、UEの位置する第１ネットワークの第１セルの無線チャネル品質が第１設定要求の中で伝達される第１サービスのサービス要件を満たさないとき、第１コアネットワーク装置又は第１サービスアプリケーションサーバへ第１通知メッセージを送信する、又は、第１ネットワークの第２セルにUEをハンドオーバする、又は、第２ネットワークの第３セルにUEをハンドオーバすることであり、第１通知メッセージは、第１セルの無線チャネル品質が第１サービスのサービス要件を満たさないことを示すために使用される。本願はサービス設定処理に適用される。
2019528639.tif 000002
【特許請求の範囲】
【請求項１】
サービス設定方法であって、
アクセスネットワーク装置により、第１コアネットワーク装置又は第１サービスアプリケーションサーバから第１設定要求を受信するステップであって、前記第１設定要求は、第１サービスのサービス要件を伝達し、前記第１サービスの前記サービス要件は、前記アクセスネットワーク装置に、前記第１サービスを実行するためのユーザ機器UEに対する無線チャネル品質要件を指示するために使用される、ステップ、
前記アクセスネットワーク装置により、前記第１コアネットワーク装置又は前記第１サービスアプリケーションサーバへ第１設定応答を送信するステップであって、前記第１設定応答は、前記第１コアネットワーク装置又は前記第１サービスアプリケーションサーバに、前記アクセスネットワーク装置が前記第１設定要求を受け入れたことを通知するために使用される、ステップ、及び、
前記アクセスネットワーク装置が、前記UEの位置する第１ネットワークの第１セルの無線チャネル品質が前記第１サービスの前記サービス要件を満たさないと決定すると、前記アクセスネットワーク装置により、前記第１コアネットワーク装置又は前記第１サービスアプリケーションサーバへ第１通知メッセージを送信するステップであって、前記第１通知メッセージは、前記第１コアネットワーク装置又は前記第１サービスアプリケーションサーバに、前記第１セルの前記無線チャネル品質が前記第１サービスの前記サービス要件を満たさないと通知するために使用される、ステップ、又は、
前記UEを前記第１ネットワークの第２セルにハンドオーバするステップ、又は、
前記UEを第２ネットワークの第３セルにハンドオーバするステップ、
を含む方法。
【請求項２】
前記アクセスネットワーク装置により、前記第１コアネットワーク装置又は前記第１サービスアプリケーションサーバへ第１設定応答を送信する前記ステップの前に、前記方法は、
前記アクセスネットワーク装置により、前記第１セルの前記無線チャネル品質が前記第１サービスの前記サービス要件を満たすと決定するステップ、を更に含む請求項１に記載の方法。
【請求項３】
前記アクセスネットワーク装置により、前記第１コアネットワーク装置又は前記第１サービスアプリケーションサーバへ第１設定応答を送信する前記ステップの前に、前記方法は、
前記アクセスネットワーク装置により、前記第１サービスに無線リソースを割り当てるステップ、を更に含む請求項１又は２に記載の方法。
【請求項４】
前記アクセスネットワーク装置により、前記第１コアネットワーク装置又は前記第１サービスアプリケーションサーバへ第１通知メッセージを送信する前記ステップは、
前記アクセスネットワーク装置が、前記第１サービスの前記サービス要件は第１指示情報を含むと決定した場合、前記第１コアネットワーク装置又は前記第１サービスアプリケーションサーバへ前記第１通知メッセージを送信するステップを含み、
前記第１指示情報は、前記第１セルの前記無線チャネル品質が前記第１サービスの前記サービス要件を満たさないとき、前記第１コアネットワーク装置又は前記第１サービスアプリケーションサーバへ前記第１通知メッセージを送信するよう、前記アクセスネットワーク装置に指示するために使用される、
請求項１乃至３のいずれか一項に記載の方法。
【請求項５】
前記アクセスネットワーク装置により、前記第１ネットワークの第２セルに前記ＵＥをハンドオーバする前記ステップは、
前記アクセスネットワーク装置が、前記第１サービスの前記サービス要件は第２指示情報を含むと決定し、且つ前記アクセスネットワーク装置が、無線チャネル品質が前記第１サービスの前記サービス要件を満たす前記第２セルが存在すると決定した場合、前記アクセスネットワーク装置により、前記UEを前記第２セルにハンドオーバするステップを含み、
前記第２指示情報は、前記第１セルの前記無線チャネル品質が前記第１サービスの前記サービス要件を満たさないとき、前記UEを前記第２セルにハンドオーバするよう、前記アクセスネットワーク装置に指示するために使用される、請求項１乃至３のいずれか一項に記載の方法。
【請求項６】
前記アクセスネットワーク装置により、前記第２ネットワークの第３セルに前記UEをハンドオーバする前記ステップは、
前記アクセスネットワーク装置が、前記第１サービスの前記サービス要件は第３指示情報を含むと決定し、且つ前記アクセスネットワーク装置が、無線チャネル品質が前記第１サービスの前記サービス要件を満たす前記第３セルが存在すると決定した場合、前記アクセスネットワーク装置により、前記UEを前記第３セルにハンドオーバするステップを含み、
前記第３指示情報は、前記アクセスネットワーク装置に、前記第１セルの前記無線チャネル品質が前記第１サービスの前記サービス要件を満たさないとき、前記UEを前記第３セルにハンドオーバするよう指示するために使用される、請求項１乃至３のいずれか一項に記載の方法。
【請求項７】
前記アクセスネットワーク装置により、前記第１コアネットワーク装置又は前記第１サービスアプリケーションサーバへ第１設定応答を送信する前記ステップの後に、前記方法は、
前記アクセスネットワーク装置により、前記UEへ第１測定制御コマンドを送信するステップ、を更に含み、
前記第１測定制御コマンドは、前記第１セルの前記無線チャネル品質を測定し、前記第１セルの前記無線チャネル品質が前記第１サービスの前記サービス要件を満たさないとき、前記アクセスネットワーク装置へ第１測定報告を送信するよう、前記UEに指示するために使用され、前記第１測定報告は、前記第１セルの前記無線チャネル品質が前記第１サービスの前記サービス要件を満たさないことを前記アクセスネットワーク装置に指示するために使用される、請求項１乃至６のいずれか一項に記載の方法。
【請求項８】
前記アクセスネットワーク装置により、前記第１コアネットワーク装置又は前記第１サービスアプリケーションサーバへ第１設定応答を送信する前記ステップの後に、前記方法は、
前記アクセスネットワーク装置により、第２コアネットワーク装置又は第２サービスアプリケーションサーバから第２設定要求を受信するステップであって、前記第２設定要求は、第２サービスのサービス要件を伝達し、前記第２サービスの前記サービス要件は、前記第２サービスを実行するための前記UEに対する無線チャネル品質要件を前記アクセスネットワーク装置に指示するために使用される、ステップと、
前記アクセスネットワーク装置により、前記第２サービスの前記サービス要件が前記第１サービスの前記サービス要件より高いことを決定するステップと、
前記アクセスネットワーク装置により、前記UEへ第２測定制御コマンドを送信するステップと、
を更に含み、
前記第２測定制御コマンドは、前記第１セルの前記無線チャネル品質を測定し、前記第１セルの前記無線チャネル品質が前記第２サービスの前記サービス要件を満たさないとき、前記アクセスネットワーク装置へ第２測定報告を送信するよう、前記UEに指示するために使用され、前記第２測定報告は、前記第１セルの前記無線チャネル品質は前記第２サービスの前記サービス要件を満たさないことを前記アクセスネットワーク装置に指示するために使用される、請求項１乃至６のいずれか一項に記載の方法。
【請求項９】
前記方法は、
前記アクセスネットワーク装置が、無線チャネル品質が前記第１サービスの前記サービス要件を満たす前記第２セル又は前記第３セルが存在しないと決定した場合、前記アクセスネットワーク装置により、前記第１コアネットワーク装置又は前記第１サービスアプリケーションサーバへ第２通知メッセージを送信するステップ、を更に含み、
前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される、請求項１、５、又は６のいずれか一項に記載の方法。
【請求項１０】
前記方法は、
前記アクセスネットワーク装置が、無線チャネル品質が前記第１サービスの前記サービス要件を満たす前記第２セル又は前記第３セルが存在しないと決定した場合、前記アクセスネットワーク装置により、前記第１サービスに割り当てられた前記無線リソースを削除するステップ、を更に含む請求項３、５、６、又は９のいずれか一項に記載の方法。
【請求項１１】
前記第１通知メッセージは、前記第１セルの前記無線チャネル品質、前記UEの端末種別情報、前記UEによりアクセスされるキャリア周波数に関する情報、前記UEの位置情報、前記第１セルの負荷情報、前記第１ネットワークの無線アクセス技術RAT情報、推奨コーデック情報、及び前記第１サービスの帯域幅情報、のうちの少なくとも１つを伝達する、請求項１乃至１０のいずれか一項に記載の方法。
【請求項１２】
前記アクセスネットワーク装置により、前記第１コアネットワーク装置又は前記第１サービスアプリケーションサーバへ前記第１通知メッセージ又は前記第２通知メッセージを送信する前記ステップの後に、前記方法は、
前記アクセスネットワーク装置により、前記第１コアネットワーク装置又は前記第１サービスアプリケーションサーバから第１サービス変更要求を受信するステップであって、前記第１サービス変更要求は、前記第１サービスの更新サービス要件を伝達する、ステップ、を更に含む請求項９に記載の方法。
【請求項１３】
前記アクセスネットワーク装置により、無線チャネル品質が前記第１サービスの前記サービス要件を満たす前記第２セル又は前記第３セルが存在すると決定する前記ステップは、
前記アクセスネットワーク装置により、前記UEへ第３測定制御コマンドを送信するステップであって、前記第３測定制御コマンドは、前記第２セル又は前記第３セルの前記無線チャネル品質を測定するよう、前記UEに指示するために使用される、ステップ、
前記アクセスネットワーク装置により、前記UEにより報告された第３測定報告を受信するステップであって、前記第３測定報告は、前記UEが前記第２セル又は前記第３セルの前記無線チャネル品質を測定した後に取得された測定結果を伝達する、ステップ、及び、
前記アクセスネットワーク装置により、前記測定結果に基づき、無線チャネル品質が前記第１サービスの前記サービス要件を満たす前記第２セル又は前記第３セルが存在すると決定するステップ、又は、
前記アクセスネットワーク装置により、前記UEへ第３測定制御コマンドを送信するステップであって、前記第３測定制御コマンドは、前記第１サービスの前記サービス要件に基づき決定された測定報告条件を伝達し、前記第３測定制御コマンドは、前記第２セル又は前記第３セルの前記無線チャネル品質を測定するよう、前記UEに指示するために使用され、前記測定報告条件は、前記UEが前記第２セル又は前記第３セルの前記無線チャネル品質が前記測定報告条件を満たすと決定すると、前記アクセスネットワーク装置へ第３測定報告を報告するよう、前記UEに指示するために使用される、ステップ、及び、
前記アクセスネットワーク装置が、前記UEにより報告された前記第３測定報告を受信した場合、前記アクセスネットワーク装置により、無線チャネル品質が前記第１サービスの前記サービス要件を満たす前記第２セル又は前記第３セルが存在すると決定するステップ、
を含む、請求項５、６、９、又は１０のいずれか一項に記載の方法。
【請求項１４】
前記第１サービスの前記サービス要件は、前記第１サービスのサービス種別指示情報、前記第１サービスの無線チャネル要件パラメータ、前記第１サービスのコーデック情報、前記UEのコーデック情報リスト、及び前記UEの端末種別、のうちの少なくとも１つを含み、前記UEの前記コーデック情報リストは、前記UE及び前記サービスアプリケーションサーバの両者によりサポートされるコーデック情報を含む、請求項１乃至１３のいずれか一項に記載の方法。
【請求項１５】
前記アクセスネットワーク装置が、前記UEの位置する前記第１ネットワークの前記第１セルの前記無線チャネル品質が前記第１サービスの前記サービス要件を満たさないと決定することは、
前記アクセスネットワーク装置が、前記第１セルの前記無線チャネル品質は前記UEの前記コーデック情報リストの中の少なくとも１種類のコーデック情報により要求される無線チャネル品質を満たすが、前記第１セルの前記無線チャネル品質は前記第１サービスの前記コーデック情報により要求される無線チャネル品質を満たさないと決定することを含む、請求項１４に記載の方法。
【請求項１６】
サービス設定方法であって、
サービスアプリケーションサーバにより、アクセスネットワーク装置へ第１設定要求を送信するステップであって、前記第１設定要求は第１サービスのサービス要件を伝達し、前記第１サービスの前記サービス要件は、前記第１サービスを実行するためのユーザ機器UEに対する無線チャネル品質要件を前記アクセスネットワーク装置に指示するために使用される、ステップ、
前記サービスアプリケーションサーバにより、前記アクセスネットワーク装置から第１設定応答を受信するステップであって、前記第１設定応答は、前記アクセスネットワーク装置が前記第１設定要求を受け入れたことを前記サービスアプリケーションサーバに通知するために使用される、ステップ、及び、
前記サービスアプリケーションサーバにより、前記アクセスネットワーク装置から第１通知メッセージを受信するステップであって、前記第１通知メッセージは、前記UEの位置する第１ネットワークの第１セルの無線チャネル品質が前記第１サービスの前記サービス要件を満たさないことを前記サービスアプリケーションサーバに通知するために使用される、ステップ、又は、
前記サービスアプリケーションサーバにより、前記アクセスネットワーク装置から、第２通知メッセージを受信するステップであって、前記第２通知メッセージは、前記UEの位置する第１ネットワークの第１セルの無線チャネル品質が前記第１サービスの前記サービス要件を満たさないことを前記サービスアプリケーションサーバに通知するために使用され、前記第２通知メッセージは、前記第１セルの前記無線チャネル品質が前記第１サービスの前記サービス要件を満たさないこと、及び無線チャネル品質が前記第１サービスの前記サービス要件を満たす第２セル又は第３セルが存在しないことを、第１コアネットワーク装置又は前記サービスアプリケーションサーバに通知するために使用され、前記第２セルは前記第１ネットワークに位置し、前記第３セルは第２ネットワークに位置する、ステップ、
を含む方法。
【請求項１７】
サービスアプリケーションサーバにより、アクセスネットワーク装置へ第１設定要求を送信する前記ステップの前に、前記方法は、
前記サービスアプリケーションサーバにより、前記第１サービスの平均オピニオン評点MOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定するステップ、又は、
前記サービスアプリケーションサーバにより、第三者ネットワーク装置へ第１クエリ要求を送信するステップであって、前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、及び前記第１サービスの帯域幅情報、のうちの少なくとも１つを伝達する、ステップ、及び、
前記サービスアプリケーションサーバにより、前記第三者ネットワーク装置から第１クエリ応答を受信するステップであって、前記第１クエリ応答は、前記第１サービスの前記サービス要件を伝達する、ステップ、
を更に含む請求項１６に記載の方法。
【請求項１８】
前記サービスアプリケーションサーバにより、前記第１サービスの前記サービス要件を決定する前記ステップ、又は前記サービスアプリケーションサーバにより、前記第三者ネットワーク装置から前記第１クエリ応答を受信する前記ステップの前に、前記方法は、
前記サービスアプリケーションサーバにより、前記第１コアネットワーク、前記UE又は前記アクセスネットワーク装置へ第２クエリ要求を送信するステップと、
前記サービスアプリケーションサーバにより、前記第１コアネットワーク、前記UE又は前記アクセスネットワーク装置から第２クエリ応答を受信するステップであって、前記第２クエリ応答は、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップと、
を更に含む請求項１６又は１７に記載の方法。
【請求項１９】
前記サービスアプリケーションサーバにより、前記第１サービスの前記サービス要件を決定する前記ステップ、又は前記サービスアプリケーションサーバにより、前記第三者ネットワーク装置から前記第１クエリ応答を受信する前記ステップの前に、前記方法は、
前記サービスアプリケーションサーバにより、前記UEから第１メッセージを受信するステップであって、前記第１メッセージは、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップ、
を更に含む請求項１６又は１７に記載の方法。
【請求項２０】
前記第１サービスの前記サービス要件は第１指示情報を含み、前記第１指示情報は、前記第１セルの前記無線チャネル品質が前記第１サービスの前記サービス要件を満たさないとき、前記サービスアプリケーションサーバへ前記第１通知メッセージを送信するよう、前記アクセスネットワーク装置に指示するために使用される、請求項１６乃至１９のいずれか一項に記載の方法。
【請求項２１】
前記第１サービスの前記サービス要件は第２指示情報を含み、前記第２指示情報は、前記第１セルの前記無線チャネル品質が前記第１サービスの前記サービス要件を満たさないとき、前記第１ネットワークの第２セルに前記UEをハンドオーバするよう、前記アクセスネットワーク装置に指示するために使用される、請求項１６乃至１９のいずれか一項に記載の方法。
【請求項２２】
前記第１サービスの前記サービス要件は第３指示情報を含み、前記第３指示情報は、前記第１セルの前記無線チャネル品質が前記第１サービスの前記サービス要件を満たさないとき、前記第２ネットワークの前記第３セルに前記UEをハンドオーバするよう、前記アクセスネットワーク装置に指示するために使用される、請求項１６乃至１９のいずれか一項に記載の方法。
【請求項２３】
前記第１通知メッセージは、前記第１セルの前記無線チャネル品質、前記UEの前記端末種別情報、前記UEによりアクセスされる前記キャリア周波数に関する前記情報、前記UEの前記位置情報、前記第１セルの前記負荷情報、前記第１ネットワークの前記無線アクセス技術RAT情報、推奨コーデック情報、及び前記第１サービスの前記帯域幅情報、のうちの少なくとも１つを伝達する、請求項１６乃至２２のいずれか一項に記載の方法。
【請求項２４】
前記サービスアプリケーションサーバにより、前記アクセスネットワーク装置から第１通知メッセージ又は第２通知メッセージを受信する前記ステップの後に、前記方法は、
前記サービスアプリケーションサーバにより、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスの更新サービス要件を決定するステップ、又は、
前記サービスアプリケーションサーバにより、前記第三者ネットワーク装置へ第３クエリ要求を送信するステップであって、前記第３クエリ要求は、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つを伝達する、ステップ、及び、
前記サービスアプリケーションサーバにより、前記第三者ネットワーク装置から第３クエリ応答を受信するステップであって、前記第１クエリ応答は、前記第１サービスの更新サービス要件を伝達する、ステップ、
を更に含む請求項２３に記載の方法。
【請求項２５】
前記サービスアプリケーションサーバにより、前記第１サービスの更新サービス要件を決定する前記ステップ、又は前記第三者ネットワーク装置から前記第３クエリ応答を受信する前記ステップの後に、前記方法は、
前記サービスアプリケーションサーバにより、前記アクセスネットワーク装置へ第１サービス変更要求を送信するステップであって、前記第１サービス変更要求は、前記第１サービスの前記更新サービス要件を伝達する、ステップ、を更に含む請求項１７に記載の方法。
【請求項２６】
前記サービスアプリケーションサーバにより、前記アクセスネットワーク装置から前記第１通知メッセージ又は前記第２通知メッセージを受信する前記ステップの後に、前記方法は、
前記サービスアプリケーションサーバにより、前記第１通知メッセージ又は前記第２通知メッセージの中で伝達される、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスを終了することを決定するステップと、
前記サービスアプリケーションサーバにより、前記アクセスネットワーク装置又は前記UEへ第１サービス削除メッセージを送信するステップであって、前記第１サービス削除メッセージは、前記第１サービスを終了するよう、前記アクセスネットワーク装置又は前記UEに指示するために使用される、ステップと、
を更に含む請求項２３に記載の方法。
【請求項２７】
前記第１サービスの前記サービス要件は、前記第１サービスのサービス種別指示情報、前記第１サービスの無線チャネル要件パラメータ、前記第１サービスの前記コーデック情報、前記UEのコーデック情報リスト、及び前記UEの端末種別、のうちの少なくとも１つを含み、
前記UEの前記コーデック情報リストは、前記UE及び前記サービスアプリケーションサーバの両者によりサポートされるコーデック情報を含む、請求項１６乃至２６のいずれか一項に記載の方法。
【請求項２８】
前記第１サービスの前記更新サービス要件に含まれる前記第１サービスの更新コーデック情報は、第２コーデック情報であり、
前記方法は、
前記サービスアプリケーションサーバにより、前記第１サービスの前記コーデック情報を第１コーデック情報として決定するステップと、
前記サービスアプリケーションサーバにより、前記第１サービスの前記更新コーデック情報を前記第２コーデック情報として決定するステップと、
前記サービスアプリケーションサーバにより、前記第１サービスの前記コーデック情報を、前記第１コーデック情報から前記第２コーデック情報に変更するステップと、
を更に含む請求項２５乃至２７のいずれか一項に記載の方法。
【請求項２９】
前記方法は、
前記サービスアプリケーションサーバにより、前記UEへ第２メッセージを送信するステップであって、前記第２メッセージは、前記第１サービスの前記コーデック情報が前記第１コーデック情報から前記第２コーデック情報に変更されたことを指示するために使用される、ステップ、を更に含む請求項２８に記載の方法。
【請求項３０】
前記方法は、
前記サービスアプリケーションサーバにより、前記第１コーデック情報に対応する無線チャネル要件が前記第２コーデック情報に対応する無線チャネル要件より高いことを決定するステップ、を更に含む請求項２８又は２９に記載の方法。
【請求項３１】
アクセスネットワーク装置であって、
第１コアネットワーク装置又は第１サービスアプリケーションサーバから第１設定要求を受信するよう構成される受信機であって、前記第１設定要求は、第１サービスのサービス要件を伝達し、前記第１サービスの前記サービス要件は、前記アクセスネットワーク装置に、前記第１サービスを実行するためのユーザ機器UEに対する無線チャネル品質要件を指示するために使用される、受信機と、
前記第１コアネットワーク装置又は前記第１サービスアプリケーションサーバへ第１設定応答を送信するよう構成される送信機であって、前記第１設定応答は、前記第１コアネットワーク装置又は前記第１サービスアプリケーションサーバに、前記アクセスネットワーク装置が前記第１設定要求を受け入れたことを通知するために使用される、送信機と、
前記UEの位置する第１ネットワークの第１セルの無線チャネル品質が前記第１サービスの前記サービス要件を満たすか否かを決定するよう構成されるプロセッサと、
を含み、
前記送信機は、前記プロセッサが、前記UEの位置する前記第１ネットワークの前記第１セルの前記無線チャネル品質が前記第１サービスの前記サービス要件を満たさないと決定すると、前記第１コアネットワーク装置又は前記第１サービスアプリケーションサーバへ第１通知メッセージを送信するよう更に構成され、前記第１通知メッセージは、前記第１コアネットワーク装置又は前記第１サービスアプリケーションサーバに、前記第１セルの前記無線チャネル品質が前記第１サービスの前記サービス要件を満たさないと通知するために使用される、又は、
前記プロセッサは、前記プロセッサが、前記UEの位置する前記第１ネットワークの前記第１セルの前記無線チャネル品質が前記第１サービスの前記サービス要件を満たさないと決定すると、前記UEを前記第１ネットワークの第２セルにハンドオーバするよう又は前記UEを第２ネットワークの第３セルにハンドオーバするよう更に構成される、アクセスネットワーク装置。
【請求項３２】
前記プロセッサは、前記送信機が前記第１コアネットワーク装置又は前記第１サービスアプリケーションサーバへ第１設定応答を送信する前に、前記第１セルの前記無線チャネル品質が前記第１サービスの前記サービス要件を満たすと決定するよう更に構成される、請求項３１に記載のアクセスネットワーク装置。
【請求項３３】
前記送信機が、前記第１コアネットワーク装置又は前記第１サービスアプリケーションサーバへ第１通知メッセージを送信するよう構成されることは、具体的に、
前記送信機が、前記第１サービスの前記サービス要件が第１指示情報を含むとき、前記第１コアネットワーク装置又は前記第１サービスアプリケーションサーバへ前記第１通知メッセージを送信するよう構成されることであり、
前記第１指示情報は、前記第１セルの前記無線チャネル品質が前記第１サービスの前記サービス要件を満たさないとき、前記第１コアネットワーク装置又は前記第１サービスアプリケーションサーバへ前記第１通知メッセージを送信するよう、前記アクセスネットワーク装置に指示するために使用される、請求項３１又は３２に記載のアクセスネットワーク装置。
【請求項３４】
前記プロセッサが、前記第１ネットワークの第２セルに前記ＵＥをハンドオーバするよう構成されることは、具体的に、
前記プロセッサが、前記第１サービスの前記サービス要件は第２指示情報を含むと決定し、且つ無線チャネル品質が前記第１サービスの前記サービス要件を満たす前記第２セルが存在すると決定すると、前記UEを前記第２セルにハンドオーバするよう構成されることであり、
前記第２指示情報は、前記第１セルの前記無線チャネル品質が前記第１サービスの前記サービス要件を満たさないとき、前記UEを前記第２セルにハンドオーバするよう、前記アクセスネットワーク装置に指示するために使用される、請求項３１乃至３３のいずれか一項に記載のアクセスネットワーク装置。
【請求項３５】
前記プロセッサが、前記第３セルに前記ＵＥをハンドオーバするよう構成されることは、具体的に、
前記プロセッサが、前記第１サービスの前記サービス要件は第３指示情報を含むと決定し、且つ無線チャネル品質が前記第１サービスの前記サービス要件を満たす前記第３セルが存在すると決定する場合、前記UEを前記第３セルにハンドオーバするよう構成されることであり、
前記第３指示情報は、前記第１セルの前記無線チャネル品質が前記第１サービスの前記サービス要件を満たさないとき、前記UEを前記第３セルにハンドオーバするよう、前記アクセスネットワーク装置に指示するために使用される、請求項３１乃至３３のいずれか一項に記載のアクセスネットワーク装置。
【請求項３６】
前記受信機は、前記第１コアネットワーク装置又は前記第１サービスアプリケーションサーバへ第１設定応答が送信された後に、第２コアネットワーク装置又は第２サービスアプリケーションサーバから第２設定要求を受信するよう更に構成され、前記第２設定要求は、第２サービスのサービス要件を伝達し、前記第２サービスの前記サービス要件は、前記第２サービスを実行するための前記UEに対する無線チャネル品質要件を前記アクセスネットワーク装置に指示するために使用され、
前記プロセッサは、前記第２サービスの前記サービス要件が前記第１サービスの前記サービス要件より高いことを決定するよう更に構成され、
前記送信機は、前記UEへ第２測定制御コマンドを配信するよう更に構成され、
前記第２測定制御コマンドは、前記第１セルの前記無線チャネル品質を測定し、前記第１セルの前記無線チャネル品質が前記第２サービスの前記サービス要件を満たさないとき、前記アクセスネットワーク装置へ第２測定報告を送信するよう、前記UEに指示するために使用され、前記第２測定報告は、前記第１セルの前記無線チャネル品質は前記第２サービスの前記サービス要件を満たさないことを前記アクセスネットワーク装置に指示するために使用される、請求項３１乃至３５のいずれか一項に記載のアクセスネットワーク装置。
【請求項３７】
前記送信機は、無線チャネル品質が前記第１サービスの前記サービス要件を満たす前記第２セル又は前記第３セルが存在しない場合、前記第１コアネットワーク装置又は前記第１サービスアプリケーションサーバへ第２通知メッセージを送信するよう更に構成され、
前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される、請求項３１、３４、又は３５のいずれか一項に記載のアクセスネットワーク装置。
【請求項３８】
前記受信機は、前記送信機が前記第１コアネットワーク装置又は前記第１サービスアプリケーションサーバへ前記第１通知メッセージ又は前記第２通知メッセージを送信した後に、前記第１コアネットワーク装置又は前記第１サービスアプリケーションサーバから第１サービス変更要求を受信するよう更に構成され、前記第１サービス変更要求は、前記第１サービスの更新サービス要件を伝達する、請求項３７に記載のアクセスネットワーク装置。
【請求項３９】
サービスアプリケーションサーバであって、
アクセスネットワーク装置へ第１設定要求を送信するよう構成される送信機であって、前記第１設定要求は第１サービスのサービス要件を伝達し、前記第１サービスの前記サービス要件は、前記第１サービスを実行するためのユーザ機器UEに対する無線チャネル品質要件を前記アクセスネットワーク装置に指示するために使用される、送信機と、
前記アクセスネットワーク装置から第１設定応答を受信するよう構成される受信機であって、前記第１設定応答は、前記アクセスネットワーク装置が前記第１設定要求を受け入れたことを前記サービスアプリケーションサーバに通知するために使用される、受信機と、
を含み、
前記受信機は、前記アクセスネットワーク装置から第１通知メッセージを受信するよう更に構成され、前記第１通知メッセージは、前記UEの位置する第１ネットワークの第１セルの無線チャネル品質が前記第１サービスの前記サービス要件を満たさないことを前記サービスアプリケーションサーバに通知するために使用される、又は、
前記受信機は、前記アクセスネットワーク装置から、第２通知メッセージを受信するよう更に構成され、前記第２通知メッセージは、前記UEの位置する第１ネットワークの第１セルの無線チャネル品質が前記第１サービスの前記サービス要件を満たさないことを前記サービスアプリケーションサーバに通知するために使用され、前記第２通知メッセージは、前記第１セルの前記無線チャネル品質が前記第１サービスの前記サービス要件を満たさないこと、及び無線チャネル品質が前記第１サービスの前記サービス要件を満たす第２セル又は第３セルが存在しないことを、第１コアネットワーク装置又は前記サービスアプリケーションサーバに通知するために使用され、前記第２セルは前記第１ネットワークに位置し、前記第３セルは第２ネットワークに位置する、サービスアプリケーションサーバ。
【請求項４０】
前記プロセッサは、前記送信機が前記アクセスネットワーク装置へ前記第１設定要求を送信する前に、前記第１サービスの平均オピニオン評点MOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定するよう更に構成される、又は、
前記送信機は、第三者ネットワーク装置へ第１クエリ要求を送信し、前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、及び前記第１サービスの帯域幅情報、のうちの少なくとも１つを伝達し、及び、前記第三者ネットワーク装置から前記第１クエリ応答を受信し、前記第１クエリ応答は、前記第１サービスの前記サービス要件を伝達する、よう更に構成される、
請求項３９に記載のサービスアプリケーションサーバ。
【請求項４１】
前記第１サービスの前記サービス要件は第１指示情報を含み、前記第１指示情報は、前記第１セルの前記無線チャネル品質が前記第１サービスの前記サービス要件を満たさないとき、前記サービスアプリケーションサーバへ前記第１通知メッセージを送信するよう、前記アクセスネットワーク装置に指示するために使用され、又は、
前記第１サービスの前記サービス要件は第２指示情報を含み、前記第２指示情報は、前記第１セルの前記無線チャネル品質が前記第１サービスの前記サービス要件を満たさないとき、前記第１ネットワークの前記第２セルに前記UEをハンドオーバするよう、前記アクセスネットワーク装置に指示するために使用され、又は、
前記第１サービスの前記サービス要件は第３指示情報を含み、前記第３指示情報は、前記第１セルの前記無線チャネル品質が前記第１サービスの前記サービス要件を満たさないとき、前記第２ネットワークの前記第３セルに前記UEをハンドオーバするよう、前記アクセスネットワーク装置に指示するために使用される、
請求項３９又は４０に記載のサービスアプリケーションサーバ。
【請求項４２】
前記第１通知メッセージは、前記第１セルの前記無線チャネル品質、前記UEの前記端末種別情報、前記UEによりアクセスされる前記キャリア周波数に関する前記情報、前記UEの前記位置情報、前記第１セルの前記負荷情報、前記第１ネットワークの前記無線アクセス技術RAT情報、推奨コーデック情報、及び前記第１サービスの前記帯域幅情報、のうちの少なくとも１つを伝達する、請求項３９乃至４１のいずれか一項に記載のサービスアプリケーションサーバ。
【請求項４３】
前記プロセッサは、前記受信機が前記アクセスネットワーク装置から前記第１通知メッセージ又は前記第２通知メッセージを受信した後に、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報、のうちの少なくとも１つに基づき、前記第１サービスの更新サービス要件を決定するよう更に構成される、又は、
前記送信機は、前記第三者ネットワーク装置へ第３クエリ要求を送信し、前記第３クエリ要求は、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報、のうちの少なくとも１つを伝達し、及び、前記第三者ネットワーク装置から前記第３クエリ応答を受信し、前記第１クエリ応答は、前記第１サービスの更新サービス要件を伝達する、よう更に構成される、請求項３９乃至４１のいずれか一項に記載のサービスアプリケーションサーバ。
【請求項４４】
前記送信機は、前記プロセッサが前記第１サービスの前記更新サービス要件を決定した後に、前記アクセスネットワーク装置へ第１サービス変更要求を送信するよう更に構成され、前記第１サービス変更要求は前記第１サービスの前記更新サービス要件を伝達する、請求項４３に記載のサービスアプリケーションサーバ。
【請求項４５】
コンピュータ可読記憶媒体であって、前記コンピュータ可読記憶媒体は１又は複数のプログラムを格納し、前記１又は複数のプログラムは命令を含み、前記アクセスネットワーク装置のプロセッサが前記命令を実行すると、前記アクセスネットワーク装置は請求項１乃至１５のいずれか一項に記載のサービス設定方法を実行する、コンピュータ可読記憶媒体。
【請求項４６】
コンピュータ可読記憶媒体であって、前記コンピュータ可読記憶媒体は１又は複数のプログラムを格納し、前記１又は複数のプログラムは命令を含み、前記サービスアプリケーションサーバのプロセッサが前記命令を実行すると、前記サービスアプリケーションサーバは請求項１６乃至３０のいずれか一項に記載のサービス設定方法を実行する、コンピュータ可読記憶媒体。
【発明の詳細な説明】
【技術分野】
【０００１】
本願は、通信技術の分野に関し、特にサービス設定方法及び装置に関する。
【背景技術】
【０００２】
ロングタームエボリューション（英語：Long  Term  Evolution、略称：LTE）ネットワークにおける音声サービスは、ボイス・オーバ・ロングタームエボリューション（英語：Voice  over  LTE、略称：VoLTE）サービスとして参照される。現在、一層多くのオペレータが商用目的でVoLTEを使用し始め、一層多くのユーザ機器（英語：User  Equipment、略称：UE）がVoLTEサービスをサポート可能である。
【０００３】
しかしながら、従来技術では、UEがLTEネットワークの弱いカバレッジ内にいるとき、VoLTEサービスの正常な実行は保証できず、或いは、VoLTEサービスの実行が比較的粗悪なユーザ経験をもたらす。
【発明の概要】
【０００４】
本願の実施形態は、サービス設定要求が受信された後に無線リソースがUEに強制的に割り当てられるために、サービスが正常に実行できない又はサービスの実行が比較的粗悪なユーザ経験をもたらすという問題を解決するために、サービス設定方法及び装置を提供する。
【０００５】
第１の態様によると、サービス設定方法が提供される。方法は、アクセスネットワーク装置により、第１コアネットワーク装置又は第１サービスアプリケーションサーバから第１設定要求を受信するステップであって、前記第１設定要求は、第１サービスのサービス要件を伝達し、前記第１サービスの前記サービス要件は、前記アクセスネットワーク装置に、前記第１サービスを実行するためのユーザ機器UEに対する無線チャネル品質要件を指示するために使用される、ステップ、前記アクセスネットワーク装置により、前記第１コアネットワーク装置又は前記第１サービスアプリケーションサーバへ第１設定応答を送信するステップであって、前記第１設定応答は、前記第１コアネットワーク装置又は前記第１サービスアプリケーションサーバに、前記アクセスネットワーク装置が前記第１設定要求を受け入れたことを通知するために使用される、ステップ、及び、前記アクセスネットワーク装置が、前記UEの位置する第１ネットワークの第１セルの無線チャネル品質が前記第１サービスの前記サービス要件を満たさないと決定すると、前記アクセスネットワーク装置により、前記第１コアネットワーク装置又は前記第１サービスアプリケーションサーバへ第１通知メッセージを送信するステップであって、前記第１通知メッセージは、前記第１コアネットワーク装置又は前記第１サービスアプリケーションサーバに、前記第１セルの前記無線チャネル品質が前記第１サービスの前記サービス要件を満たさないと通知するために使用される、ステップ、又は、前記UEを前記第１ネットワークの第２セルにハンドオーバするステップ、又は、前記UEを第２ネットワークの第３セルにハンドオーバするステップ、を含む。
【０００６】
本実施形態の技術的ソリューションでは、アクセスネットワーク装置により受信される第１設定要求は、第１サービスのサービス要件を伝達するので、アクセスネットワーク装置が第１設定要求を受け入れた（具体的に言うと、第１設定応答をサービスアプリケーションサーバへ送信した）後に、アクセスネットワーク装置は、受信したサービス要件情報をサービス設定の承認閾として使用して良い。言い換えると、UEの位置するセルの無線信号品質がサービス要件を満たさないとき、アクセスネットワーク装置はサービスアプリケーションサーバに通知して、サービスアプリケーションサーバが対応する調整を行うようにする、或いは、アクセスネットワーク装置は、別のセルでサービス設定を達成するために、サービス要件を満たすことのできる別のセルにUEをハンドオーバして良い。本ソリューションを用いい、アクセスネットワーク装置は、サービス設定の承認閾として、被設定サービスの且つサービスアプリケーションサーバからのサービス要件を使用し得る。それにより、経験値にのみ基づき承認閾を決定することにより引き起こされる誤り及び柔軟性欠如のような従来技術の問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０００７】
可能な実装では、アクセスネットワーク装置は、第１セルの無線チャネル品質が第１サービスのサービス要件を満たすと決定した後に、第１設定応答を第１コアネットワーク装置又は第１サービスアプリケーションサーバへ送信して良い。具体的に、「前記アクセスネットワーク装置により、前記第１コアネットワーク装置又は前記第１サービスアプリケーションサーバへ第１設定応答を送信する前記ステップ」の前に、本願の本実施形態における前記方法は、前記アクセスネットワーク装置により、前記第１セルの前記無線チャネル品質が前記第１サービスの前記サービス要件を満たすと決定するステップ、を更に含んで良い。
【０００８】
可能な実装では、アクセスネットワーク装置は、第１設定要求を受信し且つ第１セルの無線チャネル品質が第１サービスのサービス要件を満たすと決定した後に、第１サービスに無線リソースを割り当てて良い。具体的に、「前記アクセスネットワーク装置により、前記第１コアネットワーク装置又は前記第１サービスアプリケーションサーバへ第１設定応答を送信する前記ステップ」の前に、本願の本実施形態における前記方法は、前記アクセスネットワーク装置により、前記第１サービスに前記無線リソースを割り当てるステップ、を更に含んで良い。
【０００９】
可能な実装では、サービスアプリケーションサーバは、第１サービスのサービス要件に含まれる指示情報（例えば、第１指示情報）を用いて、アクセスネットワーク装置に、第１セルの無線チャネル品質が第１サービスのサービス要件を満たさないとき、第１通知メッセージをコアネットワーク装置又はサービスアプリケーションサーバへ送信するよう指示して良い。具体的に、「前記アクセスネットワーク装置により、前記第１コアネットワーク装置又は前記第１サービスアプリケーションサーバへ第１通知メッセージを送信する前記ステップ」は、前記アクセスネットワーク装置が、前記第１サービスの前記サービス要件が前記第１指示情報を含むと決定した場合、前記第１通知メッセージを前記第１コアネットワーク装置又は前記第１サービスアプリケーションサーバへ送信するステップ、を含んで良い。第１指示情報は、アクセスネットワーク装置に、第１セルの無線チャネル品質が第１サービスのサービス要件を満たさないとき、第１通知メッセージを第１コアネットワーク装置又は第１サービスアプリケーションサーバへ送信するよう指示するために使用される。
【００１０】
可能な実装では、サービスアプリケーションサーバは、第１サービスのサービス要件に含まれる指示情報（例えば、第２指示情報）を用いて、アクセスネットワーク装置に、第１セルの無線チャネル品質が第１サービスのサービス要件を満たさないとき、UEを第２セルにハンドオーバするよう指示して良い。具体的に、「前記アクセスネットワーク装置により、前記UEを前記第１ネットワークの第２セルにハンドオーバする前記ステップ」は、前記アクセスネットワーク装置が、前記第１サービスの前記サービス要件が前記第２指示情報を含むと決定し、且つ前記アクセスネットワーク装置が、無線チャネル品質が前記第１サービスの前記サービス要件を満たす前記第２セルが存在すると決定した場合、前記アクセスネットワーク装置により、前記UEを前記第２セルにハンドオーバするステップを含んで良い。第２指示情報は、アクセスネットワーク装置に、第１セルの無線チャネル品質が第１サービスのサービス要件を満たさないとき、UEを第２セルにハンドオーバするよう指示するために使用される。
【００１１】
可能な実装では、サービスアプリケーションサーバは、第１サービスのサービス要件に含まれる指示情報（例えば、第３指示情報）を用いて、アクセスネットワーク装置に、第１セルの無線チャネル品質が第１サービスのサービス要件を満たさないとき、UEを第３セルにハンドオーバするよう指示して良い。具体的に、「前記アクセスネットワーク装置により、前記UEを第２ネットワークの第３セルにハンドオーバする前記ステップ」は、前記アクセスネットワーク装置が、前記第１サービスの前記サービス要件が前記第３指示情報を含むと決定し、且つ前記アクセスネットワーク装置が、無線チャネル品質が前記第１サービスの前記サービス要件を満たす前記第３セルが存在すると決定した場合、前記アクセスネットワーク装置により、前記UEを前記第３セルにハンドオーバするステップを含んで良い。第３指示情報は、アクセスネットワーク装置に、第１セルの無線チャネル品質が第１サービスのサービス要件を満たさないとき、UEを第３セルにハンドオーバするよう指示するために使用される。
【００１２】
本ソリューションでは、アクセスネットワーク装置は、第１セルの無線チャネル品質が第１サービスのサービス要件を満たさないとき、第１サービスのサービス要件の中の指示情報の指示に従い、「第１通知メッセージをコアネットワーク装置又はサービスアプリケーションサーバへ送信するステップ」、「UEを第２セルにハンドオーバするステップ」、又は「UEを第３セルにハンドオーバするステップ」を実行して良い。
【００１３】
可能な実装では、アクセスネットワーク装置は、測定制御コマンドをUEへ送信する方法で、第１セルの無線チャネル品質が第１サービスのサービス要件を満たさないことを決定して良い。具体的に、「前記アクセスネットワーク装置により、前記第１コアネットワーク装置又は前記第１サービスアプリケーションサーバへ第１設定応答を送信する前記ステップ」の後に、本願の本実施形態における前記方法は、前記アクセスネットワーク装置により、第１測定制御コマンドを前記UEへ配信するステップ、を更に含んで良い。第１測定制御コマンドは、UEに、第１セルの無線チャネル品質を測定し及び第１セルの無線チャネル品質が第１サービスのサービス要件を満たさないとき第１測定報告をアクセスネットワーク装置へ送信するよう指示するために使用される。第１測定報告は、アクセスネットワーク装置に、第１セルの無線チャネル品質が第１サービスのサービス要件を満たさないことを示すために使用される。
【００１４】
可能な実装では、アクセスネットワーク装置に第１サービスを生成するよう指示するために使用される第１設定要求を受信した後に、アクセスネットワーク装置は、アクセスネットワーク装置に別のサービスを生成するよう指示するために使用されるサービス設定要求を更に受信して良い。具体的に、「前記アクセスネットワーク装置により、前記第１コアネットワーク装置又は前記第１サービスアプリケーションサーバへ第１設定応答を送信する前記ステップ」の後に、本願の本実施形態における前記方法は、前記アクセスネットワーク装置により、第２コアネットワーク装置又は第２サービスアプリケーションサーバから第２設定要求を受信するステップであって、前記第２設定要求は第２サービスのサービス要件を伝達し、前記第２サービスの前記サービス要件は、前記アクセスネットワーク装置に、前記第２サービスを実行するための前記UEに対する無線チャネル品質要件を指示するために使用される、ステップと、前記アクセスネットワーク装置により、前記第２サービスの前記サービス要件が前記第１サービスの前記サービス要件より高いことを決定するステップと、前記アクセスネットワーク装置により、第２測定制御コマンドを前記UEへ配信するステップと、を更に含んで良い。前記第２測定制御コマンドは、前記UEに、前記第１セルの前記無線チャネル品質を測定し及び前記第１セルの前記無線チャネル品質が前記第２サービスの前記サービス要件を満たさないとき第２測定報告を前記アクセスネットワーク装置へ送信するよう指示するために使用される。前記第２測定報告は、前記アクセスネットワーク装置に、前記第１セルの前記無線チャネル品質が前記第２サービスの前記サービス要件を満たさないことを示すために使用される。
【００１５】
前記第２サービスの前記サービス要件を伝達する前記第２設定要求を受信するステップの後に、前記アクセスネットワーク装置は、前記第１サービスの前記サービス要件を前記第２サービスの前記サービス要件と直接比較し、前記第２サービスの前記サービス要件が前記第１サービスの前記サービス要件より高いとき、前記UEへ測定制御コマンドを配信する方法で、前記第１セルの前記無線チャネル品質が前記第２サービスの前記サービス要件を満たすか否かを決定して良い。前記第２サービスの前記サービス要件が前記第１サービスの前記サービス要件より低い場合、前記アクセスネットワーク装置は、前記第１セルの前記無線チャネル品質が前記第２サービスの前記サービス要件を満たすか否かを決定し続ける必要はないが、前記第２サービスを設定するために、前記第１セルの前記サービス要件をサービス設定の承認閾として直接使用する。
【００１６】
可能な実装では、無線チャネル品質が第１サービスのサービス要件を満たす第２セル又は第３セルが存在しないことがある。この場合、本願の本実施形態における方法は、前記アクセスネットワーク装置が、無線チャネル品質が前記第１サービスの前記サービス要件を満たす前記第２セル又は前記第３セルが存在しないと決定した場合、前記アクセスネットワーク装置により、前記第１コアネットワーク装置又は前記第１サービスアプリケーションサーバへ第２通知メッセージを送信するステップを更に含んで良い。前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される。このように、無線チャネル品質が前記第１サービスの前記サービス要件を満たす前記第２セル又は前記第３セルが存在しないとき、前記アクセスネットワーク装置は、前記第２通知メッセージを前記サービスアプリケーションサーバへ送信し、「前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないこと」を示して良く、前記サービスアプリケーションサーバが実際のネットワーク状態に依存して前記第１サービスの前記サービス要件を調整し得るようにする。
【００１７】
可能な実装では、無線チャネル品質が前記第１サービスの前記サービス要件を満たす前記第２セル又は前記第３セルが存在しないとき、前記アクセスネットワーク装置は、前記第１サービスに割り当てられた前記無線リソースを削除して良い。このように、前記第１サービスに割り当てられた前記無線リソースは、時宜を得た方法で、解放され得る。
【００１８】
可能な実装では、前記第１通知メッセージ及び前記第２通知メッセージの両方は、前記第１セルの前記無線チャネル品質、前記UEの端末種別情報、前記UEによりアクセスされるキャリア周波数に関する情報、前記UEの位置情報、前記第１セルの負荷情報、前記第１ネットワークの無線アクセス技術（英語：Radio  Access  Technology、略称：RAT）、推奨コーデック情報、及び前記第１サービスの帯域幅情報、のうちの少なくとも１つを伝達して良い。前記第１通知メッセージ及び前記第２通知メッセージの中で伝達される前記情報は、前記第１サービスのサービス要件、具体的に言うと前記第１サービスの更新サービス要件を再決定するために、前記サービスアプリケーションサーバにより使用されて良いことが理解され得る。
【００１９】
可能な実装では、前記UEの前記位置情報は、前記UEのセルアイデンティティ、前記UEの基地局アイデンティティ、前記UEの追跡領域アイデンティティ（英語：Tracking  Area  Identity、略称TAI）、前記UEの位置領域アイデンティティ（英語：Location  Area  Identity、略称：LAI）、及び前記UEのルーティング領域アイデンティティ（英語：Routing  Area  Identity、略称：RAI）のうちの少なくとも１つを含む。
【００２０】
可能な実装では、前記第１セルの前記無線チャネル品質が前記第１サービスの前記サービス要件を満たさないことを示すために使用される前記第１通知メッセージ又は前記第２通知メッセージを受信した後に、前記サービスアプリケーションサーバは、前記第１サービスの前記サービス要件を変更して、前記第１サービスの前記更新サービス要件を取得し、サービス設定要求を前記アクセスネットワーク装置へ再開始して良い。具体的に、「前記アクセスネットワーク装置により、第１通知メッセージ又は第２通知メッセージを前記第１コアネットワーク装置又は前記第１サービスアプリケーションサーバへ送信する前記ステップ」の後に、本願の本実施形態における前記方法は、前記アクセスネットワーク装置により、前記第１コアネットワーク装置又は前記第１サービスアプリケーションサーバから第１サービス変更要求を受信するステップであって、前記第１サービス変更要求は、前記第１サービスの前記更新サービス要件を伝達する、ステップ、を更に含んで良い。前記アクセスネットワーク装置は、前記サービスアプリケーションサーバからの且つ前記第１サービスを変更することを要求するために使用される前記第１サービス変更要求を受信して良い。前記第１サービス変更要求の中で伝達される前記第１サービスの前記更新サービス要件は、前記第１通知メッセージの中で又は前記第２通知メッセージの中で伝達される前記情報に基づき、前記サービスアプリケーションサーバにより決定されて良い。
【００２１】
可能な実装では、前記アクセスネットワーク装置は、ポリシ制御コマンドを前記UEへ送信する方法で、無線チャネル品質が前記第１サービスの前記サービス要件を満たす前記第２セル又は前記第３セルが存在するか否かを決定して良い。前記アクセスネットワーク装置により、無線チャネル品質が前記第１サービスの前記サービス要件を満たす前記第２セル又は前記第３セルが存在するか否かを決定する方法は、前記第２セル又は前記第３セルを表すために第４セルを用いて、本願の本実施形態において記載される。具体的に、前記アクセスネットワーク装置は、以下の２つの方法を用いて、「無線チャネル品質が前記第１サービスの前記サービス要件を満たす前記第４セルが存在すること」を決定して良い。方法１では、前記アクセスネットワーク装置は、測定制御コマンドを前記UEへ配信する。ここで、前記測定制御コマンドは、前記UEに、前記第４セルの前記無線チャネル品質を測定するよう指示するために使用される。前記アクセスネットワーク装置は、前記UEにより報告された測定報告を受信する。ここで、前記測定報告は、前記UEが前記第４セルの前記無線チャネル品質を測定した後に取得した測定結果を伝達する。前記アクセスネットワーク装置は、前記測定結果に基づき、無線チャネル品質が前記第１セルの前記サービス要件を満たす前記第４セルが存在することを決定する。方法２では、前記アクセスネットワーク装置は、測定制御コマンドを前記UEへ配信する。ここで、前記測定制御コマンドは、前記第１サービスの前記サービス要件に基づき決定された測定報告条件を伝達する。前記測定制御コマンドは、前記UEに、前記第４セルの前記無線チャネル品質を測定するよう指示するために使用される。前記測定報告条件は、前記UEに、前記UEが前記第４セルの前記無線チャネル品質が前記測定報告条件を満たすと決定したとき、測定報告を前記アクセスネットワーク装置に報告するよう指示するために使用される。前記アクセスネットワーク装置が前記UEにより報告された前記測定報告を受信した場合、前記アクセスネットワーク装置は、無線チャネル品質が前記第１サービスの前記サービス要件を満たす前記第４セルが存在すると決定する。
【００２２】
可能な実装では、前記第１サービスの前記サービス要件は、前記第１サービスのサービス種別指示情報、前記第１サービスの無線チャネル要件パラメータ、前記第１サービスのコーデック情報、前記UEのコーデック情報リスト、及び前記UEの端末種別、のうちの少なくとも１つを含み、前記UEの前記コーデック情報リストは、前記UE及び前記サービスアプリケーションサーバの両者によりサポートされるコーデック情報を含む。１つのUEが少なくとも２種類のコーデック情報をサポートして良く、各種類のコーデック情報は１つのコーデック種別及び１つのコーデック速度セットに対応することが理解され得る。
【００２３】
可能な実装では、前記第１サービスの前記無線チャネル要件パラメータは、基準信号受信電力（英語：Reference  Signal  Receiving  Power、略称：RSRP）要件、基準信号受信品質（英語：Reference  Signal  Receiving  Quality、略称：RSRQ）要件、及び信号対干渉及び雑音比（英語：Signal  to  Interference  plus  Noise  Ratio、略称：SINR）要件、のうちの少なくとも１つを含む。
【００２４】
可能な実装では、前記第１サービスの前記コーデック情報は、前記第１サービスのコーデック種別情報、及び前記第１サービスのコーデック速度セット情報を含む。
【００２５】
可能な実装では、前記無線チャネル品質は、RSRP、RSRQ、及びSINRのうちの少なくとも１つを含む。
【００２６】
可能な実装では、前記UEの端末種別情報は、前記UEの国際移動体装置識別番号（英語：International  Mobile  Equipment  Identity、略称：IMEI）、IMEIの種別認可コード（英語：Type  Approval  Code、略称：TAC）、及び前記UEの国際移動体加入者識別番号（英語：International  Mobile  Subscriber  Identification  Number、略称：IMSI）、のうちの少なくとも１つを含む。
【００２７】
可能な実装では、「前記アクセスネットワーク装置により、前記UEの位置する第１ネットワークの第１セルの無線チャネル品質が前記第１サービスの前記サービス要件を満たさないと決定する」特定の方法は、前記アクセスネットワーク装置により、前記第１セルの前記無線チャネル品質は前記UEの前記コーデック情報リストの中の少なくとも１種類のコーデック情報により要求される無線チャネル品質を満たすが、前記第１セルの前記無線チャネル品質は前記第１サービスの前記コーデック情報により要求される無線チャネル品質を満たさないと決定するステップであって良い。
【００２８】
可能な実装では、前記アクセスネットワーク装置により、前記第１セルの前記無線チャネル品質が前記UEの前記コーデック情報リストの中の少なくとも１種類のコーデック情報により要求される無線チャネル品質を満たすと決定する前記ステップの後に、前記方法は、前記アクセスネットワーク装置により、前記推奨コーデック情報を決定するステップを更に含む。
【００２９】
可能な実装では、前記第１ネットワークは、第５世代移動体通信技術（英語：The  Fifth  Generation  wireless  telephone  technology、略称：５G）ネットワーク及び第４世代移動体通信技術（英語：The  Fourth  Generation  wireless  telephone  technology、略称：４G）ネットワークのいずれかであって良く、前記第２ネットワークは、４Gネットワーク、第３世代移動体通信技術（英語：The  Third  Generation  wireless  telephone  technology、略称：３G）ネットワーク、及び第２世代移動体通信技術（英語：The  Second  Generation  wireless  telephone  technology、略称：２G）ネットワークのうちのいずれか１つであって良い。
【００３０】
第２の態様によると、本願の一実施形態は、サービス設定方法を提供する。方法は、サービスアプリケーションサーバにより、アクセスネットワーク装置へ第１設定要求を送信するステップであって、前記第１設定要求は第１サービスのサービス要件を伝達し、前記第１サービスの前記サービス要件は、前記第１サービスを実行するためのユーザ機器UEに対する無線チャネル品質要件を前記アクセスネットワーク装置に指示するために使用される、ステップ、前記サービスアプリケーションサーバにより、前記アクセスネットワーク装置から第１設定応答を受信するステップであって、前記第１設定応答は、前記アクセスネットワーク装置が前記第１設定要求を受け入れたことを前記サービスアプリケーションサーバに通知するために使用される、ステップ、及び、前記サービスアプリケーションサーバにより、前記アクセスネットワーク装置から第１通知メッセージを受信するステップであって、前記第１通知メッセージは、前記UEの位置する第１ネットワークの第１セルの無線チャネル品質が前記第１サービスの前記サービス要件を満たさないことを前記サービスアプリケーションサーバに通知するために使用される、ステップ、又は、前記サービスアプリケーションサーバにより、前記アクセスネットワーク装置から、第２通知メッセージを受信するステップであって、前記第２通知メッセージは、前記UEの位置する第１ネットワークの第１セルの無線チャネル品質が前記第１サービスの前記サービス要件を満たさないことを前記サービスアプリケーションサーバに通知するために使用され、前記第２通知メッセージは、前記第１セルの前記無線チャネル品質が前記第１サービスの前記サービス要件を満たさないこと、及び無線チャネル品質が前記第１サービスの前記サービス要件を満たす第２セル又は第３セルが存在しないことを、第１コアネットワーク装置又は前記サービスアプリケーションサーバに通知するために使用され、前記第２セルは前記第１ネットワークに位置し、前記第３セルは第２ネットワークに位置する、ステップ、を含む。
【００３１】
前記サービスアプリケーションサーバから前記コアネットワーク装置又は前記アクセスネットワーク装置への前記第１設定要求は、前記第１サービスの前記サービス要件を伝達するので、前記アクセスネットワーク装置が前記第１設定要求を受け入れた（具体的に言うと、前記第１設定応答を前記サービスアプリケーションサーバへ送信した）後に、前記アクセスネットワーク装置は、前記受信したサービス要件情報をサービス設定の承認閾として使用して良い。言い換えると、前記UEの位置する前記セルの無線信号品質が前記サービス要件を満たさないとき、前記アクセスネットワーク装置は前記サービスアプリケーションサーバに通知して、前記サービスアプリケーションサーバが対応する調整を行うようにする、或いは、前記アクセスネットワーク装置は、別のセルでサービス設定を達成するために、前記サービス要件を満たすことのできる前記別のセルに前記UEをハンドオーバして良い。本ソリューションを用いて、アクセスネットワーク装置は、サービス設定の承認閾として、被設定サービスの且つサービスアプリケーションサーバからのサービス要件を使用し得る。それにより、経験値にのみ基づき承認閾を決定することにより引き起こされる誤り及び柔軟性欠如のような従来技術の問題を回避する。さらに、前記UEの前記セルの前記信号品質が前記承認閾に達しないシナリオ（具体的に言うと、前記第１セルの前記無線チャネル品質が前記被設定サービスの前記サービス要件を満たさないシナリオ）、例えばネットワーク信号の弱いカバレッジ領域では、サービスの設定後に、前記サービスが正常に実行可能であること及び前記サービスの実行中のユーザ経験が向上されることを保証するために、ネットワーク側は、実際のネットワーク状態に依存して前記サービス要件を調整し、又は前記UEを別のセルにハンドオーバして良い。
【００３２】
可能な実装では、前記サービスアプリケーションサーバは、前記第１設定要求を前記アクセスネットワーク装置へ送信する前に、前記第１サービスの前記サービス要件を決定して良い。具体的に、前記サービスアプリケーションサーバは、以下の方法を用いて前記第１サービスの前記サービス要件を決定して良い。方法１では、前記サービスアプリケーションサーバは、前記第１サービスの平均オピニオン評点（英語：Mean  Opinion  Score、略称：MOS）要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定する。方法２では、前記サービスアプリケーションサーバは、第三者ネットワーク装置へ第１クエリ要求を送信する。ここで、前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、前記第１サービスの帯域幅情報、のうちの少なくとも１つを伝達する。前記サービスアプリケーションサーバは、前記第三者ネットワーク装置から第１クエリ応答を受信する。ここで、前記第１クエリ応答は、前記第１サービスの前記サービス要件を伝達する。
【００３３】
可能な実装では、前記第１サービスの前記サービス要件を決定する前に、前記サービスアプリケーションサーバは、先ず、前記第１サービスの前記サービス要件を決定するために使用される関連情報、例えば「前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ」を取得して良い。具体的に、「前記サービスアプリケーションサーバにより、前記第１サービスの前記サービス要件を決定する前記ステップ、又は前記サービスアプリケーションサーバにより、前記第三者ネットワーク装置から第１クエリ応答を受信するステップ」の前に、本願の本実施形態における前記方法は、前記サービスアプリケーションサーバにより、前記第１コアネットワーク、前記UE又は前記アクセスネットワーク装置へ第２クエリ要求を送信するステップと、前記サービスアプリケーションサーバにより、前記第１コアネットワーク、前記UE又は前記アクセスネットワーク装置から第２クエリ応答を受信するステップであって、前記第２クエリ応答は、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップと、を更に含んで良い。
【００３４】
可能な実装では、前記サービスアプリケーションサーバは、さらに、以下の方法を用いて、前記第１サービスの前記サービス要件を決定するために使用される前記関連情報を取得して良い。具体的に、「前記サービスアプリケーションサーバにより、前記第１サービスの前記サービス要件を決定する前記ステップ、又は前記サービスアプリケーションサーバにより、前記第三者ネットワーク装置から第１クエリ応答を受信するステップ」の前に、本願の本実施形態における前記方法は、前記サービスアプリケーションサーバにより、前記UEから第１メッセージを受信するステップであって、前記第１メッセージは、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップ、を更に含んで良い。
【００３５】
可能な実装では、前記第１サービスの前記サービス要件は、第１指示情報、第２指示情報、又は第３指示情報を含む。前記第１通知メッセージ又は前記第２通知メッセージを受信した後に、前記サービスアプリケーションサーバは、前記第１サービスの前記MOS要件又は前記第１通知メッセージ又は前記第２通知メッセージの中で伝達される「前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ」に基づき、前記第１サービスの更新サービス要件を決定して良い。代替として、前記サービスアプリケーションサーバは、前記第三者ネットワーク装置へ第３クエリ要求を送信して良い。ここで、前記第３クエリ要求は、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報のうちの少なくとも１つを伝達する。前記サービスアプリケーションサーバは、前記第三者ネットワーク装置から第３クエリ応答を受信する。ここで、前記第１クエリ応答は、前記第１サービスの更新サービス要件を伝達する。
【００３６】
可能な実装では、「前記サービスアプリケーションサーバにより、前記第１サービスの更新サービス要件を決定する前記ステップ、又は前記第三者ネットワーク装置から第３クエリ応答を受信するステップ」の後に、本願の本実施形態における前記方法は、前記サービスアプリケーションサーバにより、前記アクセスネットワーク装置へ第１サービス変更要求を送信するステップであって、前記第１サービス変更要求は、前記第１サービスの前記更新サービス要件を伝達する、ステップを更に含んで良い。
【００３７】
可能な実装では、前記サービスアプリケーションサーバにより、前記アクセスネットワーク装置から第１通知メッセージ又は第２通知メッセージを受信する前記ステップの後に、前記方法は、前記サービスアプリケーションサーバにより、前記第１通知メッセージ又は前記第２通知メッセージの中で伝達される、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスを終了することを決定するステップと、前記サービスアプリケーションサーバにより、前記アクセスネットワーク装置又は前記UEへ第１サービス削除メッセージを送信するステップであって、前記第１サービス削除メッセージは、前記第１サービスを終了するよう、前記アクセスネットワーク装置又は前記UEに指示するために使用される、ステップと、を更に含む。
【００３８】
可能な実装では、前記サービスアプリケーションサーバは、以下の方法を用いて、前記第１設定要求を前記アクセスネットワーク装置へ送信して良い。方法１では、前記サービスアプリケーションサーバは、前記コアネットワーク装置を用いて、前記第１設定要求を前記アクセスネットワーク装置へ配信する。方法２では、前記サービスアプリケーションサーバは、前記サービスアプリケーションサーバと前記アクセスネットワーク装置との間のインタフェースを用いて、前記第１設定要求を前記アクセスネットワーク装置へ配信する。
【００３９】
可能な実装では、前記第１サービスの前記更新サービス要件に含まれる前記第１サービスの更新コーデック情報は、第２コーデック情報である。本願の本実施形態における方法は、前記サービスアプリケーションサーバにより、前記第１サービスの前記コーデック情報を第１コーデック情報として決定するステップと、前記第１サービスの前記更新コーデック情報を前記第２コーデック情報として決定するステップと、前記第１サービスの前記コーデック情報を前記第１コーデック情報から前記第２コーデック情報に変更するステップと、を更に含む。
【００４０】
可能な実装では、前記サービスアプリケーションサーバは第２メッセージを前記UEへ送信する。前記第２メッセージは、前記第１サービスの前記コーデック情報が前記第１コーデック情報から前記第２コーデック情報に変更されたことを示すために使用される。
【００４１】
可能な実装では、前記サービスアプリケーションサーバは、さらに、前記第１コーデック情報に対応する無線チャネル要件が前記第２コーデック情報に対応する無線チャネル要件より高いことを決定すると、前記第１サービスの前記コーデック情報を前記第１コーデック情報から前記第２コーデック情報に変更して良い。
【００４２】
留意すべきことに、本願の実施形態の第２の態様及び第２の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、前記第１指示情報、前記第２指示情報、前記第３指示情報、前記第１通知メッセージ、前記第２通知メッセージ、並びに前記第１通知メッセージ及び前記第２通知メッセージの中で伝達される前記情報の詳細な説明については、本願の実施形態の第１の態様の可能な実装における関連する記載が参照されて良く、詳細は本願の本実施形態において再び記載されない。
【００４３】
第３の態様によると、アクセスネットワーク装置が提供される。アクセスネットワーク装置は、受信モジュール、送信モジュール、決定モジュール、及びハンドオーバモジュールを含む。前記受信モジュールは、第１設定要求を第１コアネットワーク装置又は第１サービスアプリケーションサーバから受信するよう構成される。ここで、前記第１設定要求は第１サービスのサービス要件を伝達し、前記第１サービスの前記サービス要件は、前記アクセスネットワーク装置に、前記第１サービスを実行するためのUEに対する無線チャネル品質要件を指示するために使用される。前記送信モジュールは、第１設定応答を前記第１コアネットワーク装置又は前記第１サービスアプリケーションサーバへ送信するよう構成される。ここで、前記第１設定応答は、前記第１コアネットワーク装置又は前記第１サービスアプリケーションサーバに、前記アクセスネットワーク装置が前記第１設定要求を受け入れたことを通知するために使用される。前記決定モジュールは、前記UEの位置する第１ネットワークの第１セルの無線チャネル品質が前記第１サービスの前記サービス要件を満たすか否かを決定するよう構成される。前記送信モジュールは、前記決定モジュールが、前記第１セルの前記無線チャネル品質が前記第１サービスの前記サービス要件を満たさないと決定した場合、第１通知メッセージを前記第１コアネットワーク装置又は前記第１サービスアプリケーションサーバへ送信するよう構成される。ここで、前記第１通知メッセージは、前記第１コアネットワーク装置又は前記第１サービスアプリケーションサーバに、前記第１セルの前記無線チャネル品質が前記第１サービスの前記サービス要件を満たさないことを通知するために使用される。或いは、前記ハンドオーバモジュールは、前記決定モジュールが、前記第１セルの前記無線チャネル品質が前記第１サービスの前記サービス要件を満たさないと決定した場合、前記UEを前記第１ネットワークの第２セルへハンドオーバする、又は前記UEを第２ネットワークの第３セルにハンドオーバするよう構成される。
【００４４】
可能な実装では、前記決定モジュールは、前記送信モジュールが前記第１設定応答を前記第１コアネットワーク装置又は前記第１サービスアプリケーションサーバへ送信する前に、前記第１セルの前記無線チャネル品質が前記第１サービスの前記サービス要件を満たすと決定するよう更に構成される。前記送信モジュールは、具体的に、前記決定モジュールが前記第１セルの前記無線チャネル品質が前記第１サービスの前記サービス要件を満たすと決定した場合、前記第１設定応答を前記第１コアネットワーク装置又は前記第１サービスアプリケーションサーバへ送信するよう構成される。
【００４５】
可能な実装では、前記アクセスネットワーク装置は、割当モジュールを更に含んで良い。前記割当モジュールは、前記送信モジュールが前記第１設定応答を前記第１コアネットワーク装置又は前記第１サービスアプリケーションサーバへ送信する前に、前記第１サービスに無線リソースを割り当てるよう構成される。
【００４６】
可能な実装では、前記決定モジュールは、前記第１サービスの前記サービス要件が第１指示情報を含むか否かを決定するよう更に構成される。前記送信モジュールは、具体的に、前記決定モジュールが前記第１サービスの前記サービス要件が前記第１指示情報を含むと決定した場合、前記第１通知メッセージを前記第１コアネットワーク装置又は前記第１サービスアプリケーションサーバへ送信するよう構成される。前記第１指示情報は、前記アクセスネットワーク装置に、前記第１セルの前記無線チャネル品質が前記第１サービスの前記サービス要件を満たさないとき、前記第１通知メッセージを前記第１コアネットワーク装置又は前記第１サービスアプリケーションサーバへ送信するよう指示するために使用される。
【００４７】
可能な実装では、前記決定モジュールは、前記第１サービスの前記サービス要件が第２指示情報を含むか否かを決定し、無線チャネル品質が前記第１サービスの前記サービス要件を満たす前記第２セルが存在するか否かを決定するよう更に構成される。前記ハンドオーバモジュールは、具体的に、前記決定モジュールが、前記第１サービスの前記サービス要件は前記第２指示情報を含み、且つ無線チャネル品質が前記第１サービスの前記サービス要件を満たす前記第２セルが存在すると決定した場合、前記第２セルに前記UEをハンドオーバするよう構成される。前記第２指示情報は、前記アクセスネットワーク装置に、前記第１セルの前記無線チャネル品質が前記第１サービスの前記サービス要件を満たさないとき、前記UEを前記第２セルにハンドオーバするよう指示するために使用される。
【００４８】
可能な実装では、前記決定モジュールは、前記第１サービスの前記サービス要件が第３指示情報を含むか否かを決定し、無線チャネル品質が前記第１サービスの前記サービス要件を満たす前記第３セルが存在するか否かを決定するよう更に構成される。前記ハンドオーバモジュールは、具体的に、前記決定モジュールが、前記第１サービスの前記サービス要件は前記第３指示情報を含み、且つ無線チャネル品質が前記第１サービスの前記サービス要件を満たす前記第３セルが存在すると決定した場合、前記第３セルに前記UEをハンドオーバするよう構成される。前記第３指示情報は、前記アクセスネットワーク装置に、前記第１セルの前記無線チャネル品質が前記第１サービスの前記サービス要件を満たさないとき、前記UEを前記第３セルにハンドオーバするよう指示するために使用される。
【００４９】
可能な実装では、前記送信モジュールは、前記第１設定応答を前記第１コアネットワーク装置又は前記第１サービスアプリケーションサーバへ送信した後に、第１測定制御コマンドを前記UEへ配信するよう更に構成される。前記第１測定制御コマンドは、前記UEに、前記第１セルの前記無線チャネル品質を測定し及び前記第１セルの前記無線チャネル品質が前記第１サービスの前記サービス要件を満たさないとき第１測定報告を前記アクセスネットワーク装置へ送信するよう指示するために使用される。前記第１測定報告は、前記アクセスネットワーク装置に、前記第１セルの前記無線チャネル品質が前記第１サービスの前記サービス要件を満たさないことを示すために使用される。
【００５０】
可能な実装では、前記受信モジュールは、前記送信モジュールが前記第１設定応答を前記第１コアネットワーク装置又は前記第１サービスアプリケーションサーバへ送信した後に、第２設定要求を第２コアネットワーク装置又は第２サービスアプリケーションサーバから受信するよう更に構成される。ここで、前記第２設定要求は第２サービスのサービス要件を伝達し、前記第２サービスの前記サービス要件は、前記アクセスネットワーク装置に、前記第２サービスを実行するための前記UEに対する無線チャネル品質要件を示すために使用される。前記決定モジュールは、前記第２サービスの前記サービス要件が前記第１サービスの前記サービス要件より高いことを決定するよう更に構成される。前記送信モジュールは、第２測定制御コマンドを前記UEへ配信するよう更に構成される。前記第２測定制御コマンドは、前記UEに、前記第１セルの前記無線チャネル品質を測定し及び前記第１セルの前記無線チャネル品質が前記第２サービスの前記サービス要件を満たさないとき第２測定報告を前記アクセスネットワーク装置へ送信するよう指示するために使用される。前記第２測定報告は、前記アクセスネットワーク装置に、前記第１セルの前記無線チャネル品質が前記第２サービスの前記サービス要件を満たさないことを示すために使用される。
【００５１】
可能な実装では、前記送信モジュールは、前記決定モジュールが、無線チャネル品質が前記第１サービスの前記サービス要件を満たす前記第２セル又は前記第３セルが存在しないと決定した場合、前記第１コアネットワーク装置又は前記第１サービスアプリケーションサーバへ第２通知メッセージを送信するよう更に構成される。前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される。
【００５２】
可能な実装では、前記アクセスネットワーク装置は、削除モジュールを更に含んで良い。前記削除モジュールは、前記決定モジュールが、無線チャネル品質が前記第１サービスの前記サービス要件を満たす前記第２セル又は前記第３セルが存在しないと決定した場合、前記第１サービスに割り当てられた前記無線リソースを削除するよう構成される。
【００５３】
可能な実装では、前記受信モジュールは、前記送信モジュールが前記第１コアネットワーク装置又は前記第１サービスアプリケーションサーバへ前記第１通知メッセージ又は前記第２通知メッセージを送信した後に、前記第１コアネットワーク装置又は前記第１サービスアプリケーションサーバから第１サービス変更要求を受信するよう更に構成され、前記第１サービス変更要求は、前記第１サービスの更新サービス要件を伝達する。
【００５４】
可能な実装では、第４セルは前記第２セル又は前記第３セルである。前記決定モジュールは、具体的に、第３測定制御コマンドを前記UEへ配信し、ここで前記第３測定制御コマンドは前記UEに前記第４セルの無線チャネル品質を測定するよう指示するために使用され、前記UEにより報告された第３測定報告を受信し、ここで前記第３測定報告は前記UEが前記第４セルの前記無線チャネル品質を測定した後に取得された測定結果を伝達し、並びに、前記測定結果に基づき、無線チャネル品質が前記第１サービスの前記サービス要件を満たす前記第４セルが存在することを決定し、又は、第３測定制御コマンドを前記UEへ配信するよう構成され、ここで前記第３測定制御コマンドは前記第１サービスの前記サービス要件に基づき決定された測定報告条件を伝達し、前記第３測定制御コマンドは前記UEに前記第４セルの無線チャネル品質を測定するよう指示するために使用され、前記測定報告条件は前記UEに前記UEが前記第４セルの前記無線チャネル品質が前記測定報告条件を満たすと決定したとき第３測定報告を前記アクセスネットワーク装置に報告するよう指示し及び前記UEにより報告された前記第３報告が受信された場合、無線チャネル品質が前記第１サービスの前記サービス要件を満たす前記第４セルが存在することを決定するよう指示するために使用される。
【００５５】
可能な実装では、前記決定モジュールは、具体的に、前記第１セルの前記無線チャネル品質が前記UEのコーデック情報リストの中の少なくとも１種類のコーデック情報により要求される無線チャネル品質を満たすが、前記第１セルの前記無線チャネル品質が前記第１サービスのコーデック情報により要求される無線チャネル品質を満たさない場合、前記第１セルの前記無線チャネル品質は前記第１サービスの前記サービス要件を満たさないと決定するよう構成される。
【００５６】
可能な実装では、前記決定モジュールは、前記第１セルの前記無線チャネル品質が前記UEの前記コーデック情報リストの中の少なくとも１種類のコーデック情報により要求される無線チャネル品質を満たすと決定した後に、推奨コーデック情報を決定するよう更に構成される。
【００５７】
可能な実装では、前記第１ネットワークは５Gネットワーク及び４Gネットワークのうちのいずれかである。前記第２ネットワークは、４Gネットワーク、３Gネットワーク、及び２Gネットワーク、のうちのいずれか１つである。
【００５８】
留意すべきことに、本願の実施形態の第３の態様及び第３の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、前記第１指示情報、前記第２指示情報、前記第３指示情報、前記第１通知メッセージ、前記第２通知メッセージ、及び前記第１通知メッセージ及び前記第２通知メッセージの中で伝達される情報の詳細な説明については、本願の実施形態の第１の態様の可能な実装における関連する記載が参照されて良く、詳細は本願の本実施形態において再び記載されない。
【００５９】
第４の態様によると、アクセスネットワーク装置が提供される。アクセスネットワーク装置は、１又は複数のプロセッサ、メモリ、バスシステム、送信機、受信機、及び１又は複数のアプリケーションプログラムを含む。前記１又は複数のプロセッサ、前記メモリ、前記送信機、及び前記受信機は、前記バスシステムを用いて接続される。前記１又は複数のアプリケーションプログラムは前記メモリに格納され、前記１又は複数のアプリケーションプログラムは命令を含み、前記アクセスネットワーク装置の前記プロセッサが前記命令を実行すると、前記アクセスネットワーク装置は、第１の態様及び第１の態様の可能な実装におけるサービス設定方法を実行する。
【００６０】
第５の態様によると、コンピュータ可読記憶媒体が提供される。前記コンピュータ可読記憶媒体は前記１又は複数のプログラムを格納し、前記１又は複数のプログラムは命令を含み、アクセスネットワーク装置のプロセッサが前記命令を実行すると、前記アクセスネットワーク装置は、第１の態様及び第１の態様の可能な実装におけるサービス設定方法を実行する。
【００６１】
留意すべきことに、第３の態様、第４の態様、及び第３の態様及び第４の態様の可能な実装におけるアクセスネットワーク装置の機能モジュールは、第１の態様及び第１の態様の可能な実装におけるサービス設定方法を実装するためにアクセスネットワーク装置において機能分割を実行することにより得られる。第３の態様、第４の態様、及び第３の態様及び第４の態様の可能な実装における機能モジュールにより実装される機能の特定の記載及び効果分析については、第１の態様及び第１の態様の可能な実装における詳細な説明を参照し、詳細は本願の本実施形態において再び記載されない。
【００６２】
第６の態様によると、サービスアプリケーションサーバが提供される。サービスアプリケーションサーバは、送信モジュール、及び受信モジュールを含む。前記送信モジュールは、第１設定要求をアクセスネットワーク装置へ送信するよう構成される。ここで、前記第１設定要求は第１サービスのサービス要件を伝達し、前記第１サービスの前記サービス要件は、前記アクセスネットワーク装置に、前記第１サービスを実行するためのUEに対する無線チャネル品質要件を指示するために使用される。前記受信モジュールは、第１設定応答を前記アクセスネットワーク装置から受信するよう構成される。ここで、前記第１設定応答は、前記サービスアプリケーションサーバに、前記アクセスネットワーク装置が前記第１設定要求を受け入れたことを通知するために使用される。前記受信モジュールは、第１通知メッセージを前記アクセスネットワーク装置から受信するよう更に構成される。ここで、前記第１通知メッセージは、前記サービスアプリケーションサーバに、前記UEの位置する第１ネットワークの第１セルの無線チャネル品質が前記第１サービスの前記サービス要件を満たさないことを通知するために使用される。代替として、前記受信モジュールは、第２通知メッセージを前記アクセスネットワーク装置から受信するよう更に構成される。ここで、前記第２通知メッセージは、前記サービスアプリケーションサーバに、前記UEの位置する第１ネットワークの第１セルの無線チャネル品質が前記第１サービスの前記サービス要件を満たさないことを通知するために使用され、前記第２通知メッセージは、第１コアネットワーク装置又は第１サービスアプリケーションサーバに、前記第１セルの前記無線チャネル品質が前記第１サービスの前記サービス要件を満たさないこと、及び無線チャネル品質が前記第１サービスの前記サービス要件を満たす第２セル又は第３セルが存在しないことを通知するために使用され、前記第２セルは前記第１ネットワークに位置し、前記第３セルは第２ネットワークに位置する。
【００６３】
可能な実装では、前記決定モジュールは、前記送信モジュールが、前記第１設定要求を前記アクセスネットワーク装置へ送信する前に、前記第１サービスのMOS要件、前記第１セルの前記無線チャネル品質、前記UEの端末種別情報、前記UEによりアクセスされる無線周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定するよう更に構成される。代替として、前記決定モジュールは、前記送信モジュールが第１設定要求を前記アクセスネットワーク装置へ送信する前に、第三者ネットワーク装置へ第１クエリ要求を送信し、ここで前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、前記第１サービスの帯域幅情報、のうちの少なくとも１つを伝達し、前記第三者ネットワーク装置から第１クエリ応答を受信し、ここで前記第１クエリ応答は、前記第１サービスの前記サービス要件を伝達する、よう更に構成される。
【００６４】
可能な実装では、前記送信モジュールは、前記決定モジュールが前記第１サービスの前記サービス要件を決定する前に、第２クエリ要求を前記第１コアネットワーク装置、前記UE、又は前記アクセスネットワーク装置へ送信するよう更に構成される。前記受信モジュールは、第２クエリ応答を、前記コアネットワーク装置、前記UE、又は前記アクセスネットワーク装置から受信するよう更に構成される。ここで、前記第２クエリ応答は、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する。
【００６５】
可能な実装では、前記受信モジュールは、前記決定モジュールが前記第１サービスの前記サービス要件を決定する前に、第１メッセージを前記UEから受信するよう更に構成される。ここで、前記第１メッセージは、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ伝達する。
【００６６】
可能な実装では、前記決定モジュールは、前記受信モジュールが前記第１通知メッセージ又は前記第２通知メッセージを前記アクセスネットワーク装置から受信した後に、前記第１通知メッセージ又は前記第２通知メッセージの中で伝達される、前記第１サービスの前記MOS要件、及び、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報、のうちの少なくとも１つに基づき、前記第１サービスの更新サービス要件を決定するよう更に構成される。代替として、前記決定モジュールは、前記受信モジュールが前記第１通知メッセージ又は前記第２通知メッセージを前記アクセスネットワーク装置から受信した後に、前記第三者ネットワーク装置へ第３クエリ要求を送信し、ここで前記第３クエリ要求は、前記第１通知メッセージ又は前記第２通知メッセージの中で伝達される、前記第１サービスの前記MOS要件、及び前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報のうちの少なくとも１つを伝達し、前記第三者ネットワーク装置から第３クエリ応答を受信し、ここで前記第１クエリ応答は前記第１サービスの更新サービス要件を伝達する、よう更に構成される。
【００６７】
可能な実装では、前記送信モジュールは、前記決定モジュールが前記第１サービスの前記更新サービス要件を決定した後に、前記アクセスネットワーク装置へ第１サービス変更要求を送信するよう更に構成され、前記第１サービス変更要求は前記第１サービスの前記更新サービス要件を伝達する。
【００６８】
可能な実装では、前記サービスアプリケーションサーバは、終了モジュールを更に含んで良い。前記終了モジュールは、前記受信モジュールが前記第１通知メッセージ又は前記第２通知メッセージを前記アクセスネットワーク装置から受信した後に、前記第１通知メッセージ又は前記第２通知メッセージの中で伝達される、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスを終了することを決定するよう構成される。前記送信モジュールは、第１サービス削除メッセージを前記アクセスネットワーク装置又は前記UEへ送信するよう更に構成される。ここで、前記第１サービス削除メッセージは、前記アクセスネットワーク装置又は前記UEに、前記第１サービスを終了するよう指示するために使用される。
【００６９】
可能な実装では、前記送信モジュールは、具体的に、前記コアネットワーク装置を用いて前記アクセスネットワーク装置へ第１設定要求を配信し、又は前記サービスアプリケーションサーバと前記アクセスネットワーク装置との間のインタフェースを用いて前記アクセスネットワーク装置へ第１設定要求を配信するよう構成される。
【００７０】
可能な実装では、前記送信モジュールは第２メッセージを前記UEへ送信するよう更に構成される。前記第２メッセージは、前記第１サービスの前記コーデック情報が第１コーデック情報から第２コーデック情報に変更されたことを示すために使用される。
【００７１】
可能な実装では、前記決定モジュールは、前記第１コーデック情報に対応する無線チャネル要件が前記第２コーデック情報に対応する無線チャネル要件より高いことを決定するよう更に構成される。
【００７２】
留意すべきことに、本願の実施形態の第６の態様及び第６の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、第１指示情報、第２指示情報、前記第３指示情報、前記第１通知メッセージ、前記第２通知メッセージ、及び前記第１通知メッセージ及び前記第２通知メッセージの中で伝達される前記情報の詳細な説明については、本願の実施形態の第１の態様の可能な実装における関連する記載が参照されて良く、詳細は本願の本実施形態において再び記載されない。
【００７３】
第７の態様によると、サービスアプリケーションサーバが提供される。前記サービスアプリケーションサーバは、１又は複数のプロセッサ、メモリ、バスシステム、送信機、受信機、及び１又は複数のアプリケーションプログラムを含む。前記１又は複数のプロセッサ、前記メモリ、前記送信機、及び前記受信機は、前記バスシステムを用いて接続される。前記１又は複数のアプリケーションプログラムは前記メモリに格納され、前記１又は複数のアプリケーションプログラムは命令を含み、前記サービスアプリケーションサーバの前記プロセッサが前記命令を実行すると、前記サービスアプリケーションサーバは、第２の態様及び第２の態様の可能な実装におけるサービス設定方法を実行する。
【００７４】
第８の態様によると、コンピュータ可読記憶媒体が提供される。前記コンピュータ可読記憶媒体は、１又は複数のプログラムを格納し、前記１又は複数のプログラムは命令を含み、前記サービスアプリケーションサーバの前記プロセッサが前記命令を実行すると、前記サービスアプリケーションサーバは、第２の態様及び第２の態様の可能な実装におけるサービス設定方法を実行する。
【００７５】
留意すべきことに、第６の態様、第７の態様、及び第６の態様及び第７の態様の可能な実装におけるサービスアプリケーションサーバの機能モジュールは、第２の態様及び第２の態様の可能な実装におけるサービス設定方法を実装するために前記サービスアプリケーションサーバにおいて機能分割を実行することにより得られる。第６の態様、第７の態様、及び第６の態様及び第７の態様の可能な実装における機能モジュールにより実装される機能の特定の記載及び効果分析については、第２の態様及び第２の態様の可能な実装における詳細な説明を参照し、詳細は本願の本実施形態において再び記載されない。
【図面の簡単な説明】
【００７６】
本願の実施形態の技術的ソリューションをより明確に記載するために、以下は、実施形態又は従来技術を説明するのに必要な添付の図面を簡単に記載する。明らかなことに、以下の説明中の添付の図面は、本願の一部の実施形態を示し、当業者は創造的労力を伴わずこれらの添付の図面から他の図面を更に導出し得る。
【００７７】
【図１】本願の一実施形態による通信ネットワークのネットワークアーキテクチャの概略図である。
【００７８】
【図２】本願の一実施形態による別の通信ネットワークのネットワークアーキテクチャの概略図である。
【００７９】
【図３】本願の一実施形態によるサービス設定方法のフローチャートである。
【００８０】
【図４】本願の一実施形態による別のサービス設定方法のフローチャートである。
【００８１】
【図５】本願の一実施形態による別のサービス設定方法のフローチャートである。
【００８２】
【図６】本願の一実施形態による別のサービス設定方法のフローチャートである。
【００８３】
【図７Ａ】本願の一実施形態による別のサービス設定方法のフローチャートである。
【図７Ｂ】本願の一実施形態による別のサービス設定方法のフローチャートである。
【００８４】
【図８】本願の一実施形態による別のサービス設定方法のフローチャートである。
【００８５】
【図９】本願の一実施形態による別のサービス設定方法のフローチャートである。
【００８６】
【図１０】本願の一実施形態による別のサービス設定方法のフローチャートである。
【００８７】
【図１１Ａ】本願の一実施形態による別のサービス設定方法のフローチャートである。
【図１１Ｂ】本願の一実施形態による別のサービス設定方法のフローチャートである。
【００８８】
【図１２】本願の一実施形態によるアクセスネットワーク装置の概略構造図である。
【００８９】
【図１３】本願の一実施形態による別のアクセスネットワーク装置の概略構造図である。
【００９０】
【図１４】本願の一実施形態によるサービスアプリケーションサーバの概略構造図である。
【００９１】
【図１５】本願の一実施形態による別のサービスアプリケーションサーバの概略構造図である。
【００９２】
【図１６】本願の一実施形態による別のサービスアプリケーションサーバの概略構造図である。
【発明を実施するための形態】
【００９３】
本願の明細書、請求項、及び添付の図面において、用語「第１」、「第２」、等は、異なるオブジェクト間を区別することを意図するが、特定の順序を示さない。さらに、用語「有する」、「含む」、又はそれらの任意の他の変形は、非排他的包含をカバーすることを意図する。例えば、一連のステップ若しくはユニットを含む処理、方法、システム、プロダクト、又は装置は、列挙されたステップ又はユニットに限定されないが、任意で、列挙されないステップ又はユニットを更に含み、或いは任意で、処理、方法、プロダクト、若しくは装置の別の固有のステップ又はユニットを更に含む。
【００９４】
本願の技術的ソリューションは、２Gネットワーク、３Gネットワーク、４Gネットワーク、及び５Gネットワークに適用されて良い。本願の技術的ソリューションは、VoLTEサービス及びビデオ呼サービスに適用可能なだけでなく、ネットワーク信号カバレッジにおいて同様の要件を有する別のサービスにも適用可能である。本願は、ユーザ機器及びユーザ機器の位置するネットワークのサービス種別を限定しない。
【００９５】
図１を参照すると、図１は、本願の一実施形態による通信ネットワークのネットワークアーキテクチャの概略図である。図１に示されるように、通信ネットワークは、アクセスネットワーク装置１１、サービスアプリケーションサーバ１２、及び少なくとも１つのユーザ機器（英語：User  Equipment、略称：UE）１３を含み得る。アクセスネットワーク装置１１は、無線通信リンクを用いてUE１３に接続されて良い。サービスアプリケーションサーバ１２は、UEのサービス登録要求、加入者管理、セッション制御、サービス切り替え、サービス制御、等の処理を担う。アクセスネットワーク装置１１とサービスアプリケーションサーバ１２との間に別のコアネットワーク装置１４が存在して良く、コアネットワーク装置１４は、UE１３とサービスアプリケーションサーバ１２との間のサービスの接続を担う。
【００９６】
図２に示されるように、図２は、図１に示される通信ネットワークのネットワークアーキテクチャが具体的に４Gネットワークである一例を示す。図２の進化型NodeB（英語：Evolved  NodeB、略称：eNB）は、図１のアクセスネットワーク装置として使用され、eNBは無線リンクを用いてUE（具体的に言うと図１のUE１３）と通信接続中であって良い。図２に示されるネットワークアーキテクチャのLTEネットワーク内のコアネットワーク装置は、モビリティ管理エンティティ（英語：Mobility  Management  Entity、略称：MME）、サービングゲートウェイ（英語：Serving  Gateway、略称：SGW）、パケットデータネットワークゲートウェイ（英語：PDN  Gateway、略称：PGW）、ポリシ及び課金ルール機能（英語：Policy  and  Charging  Rules  Function、略称：PCRF）エンティティ、等を含んで良い。コアネットワーク装置は、UEのVoLTEサービス等のインターネットプロトコル・マルチメディア・サブシステム（英語：IP  Multimedia  Subsystem、略称：IMS）ネットワークへの接続を担い、及びUEとIMSネットワークとの間のVoLTE呼等に関連するシグナリングの送信を担って良い。さらに、コアネットワーク装置は、VoLTEサービスに関連するユーザプレーンデータ（メディアデータ）を送信するために、関連専用ベアラ（例えば、サービス品質クラス識別子（英語：QoS  Class  Identifier、略称：QCI）＝１）の生成を更に担って良い。
【００９７】
図２に示されるIMSネットワーク装置、例えば、プロキシ呼セッション制御機能（英語：Proxy  Call  Session  Control  Function、略称：P-CSCF）エンティティ、インターロゲイティング／サービング呼セッション制御機能（英語：Interrogating/Serving  Call  Session  Control  Function、略称：S-CSCF）エンティティ、又はサービス集中及び継続アプリケーションサーバ（英語：Service  centralization  and  continuity  application  server、略称：SCC  AS）は、本願の実施形態における任意のサービスアプリケーションサーバとして使用されて良い。
【００９８】
P-CSCFエンティティ（これは、発信側P-CSCFエンティティ及び着信側P-CSCFエンティティに分類され得る）は、VoLTEサービス等の処理においてUEがIMSネットワークにアクセスするとき、第１コンタクトポイントであり、VoLTEサービス等に関連するシグナリングを処理するプロキシとして機能すること及び経路制御を実施することを担って良い。S-CSCFエンティティ（これは、発信側S-CSCFエンティティ及び着信側S-CSCFエンティティに分類され得る）は、IMSネットワークのサービス切り替え局である。S-CSCFエンティティは、主に、UEのサービス登録要求、加入者管理、セッション制御、サービス切り替え、サービス制御、セッション開始プロトコル（英語：Session  Initiation  Protocol、略称：SIP）メッセージ処理及び課金、等を担って良い。SCC  AS（これは、発信側SCC  AS及び着信側SCC  ASに分類され得る）は、UEがLTEネットワークと別のネットワークとの間を移動するとき、サービス連続性を保つ役割を担うよう構成される。
【００９９】
本願の本実施形態におけるUEは、無線端末又は有線端末であって良い。例えば、UEは、携帯電話機、コンピュータ、タブレットコンピュータ、パーソナルデジタルアシスタント（英語：personal  digital  assistant、略称：PDA）、モバイルインターネット装置（英語：mobile  Internet  device、略称：MID）、ウェアラブル装置、又は電子書籍リーダ（英語：e-book  reader）であって良い。
【０１００】
本願の実施形態の幾つかの技術的ソリューションは、具体的に、図１に示される通信ネットワークアーキテクチャ、又は、通信ネットワークアーキテクチャの変形アーキテクチャに基づき実装されて良い。
【０１０１】
本願の一実施形態は、サービス設定方法を提供する。図３に示されるように、サービス設定方法は以下のステップを含む。
【０１０２】
Ｓ３０１。サービスアプリケーションサーバは、アクセスネットワーク装置又はコアネットワーク装置へ第１設定要求を送信する。ここで、第１設定要求は、被設定サービスのサービス要件を伝達する。
【０１０３】
被設定サービスのサービス要件は、アクセスネットワーク装置又はコアネットワーク装置に、被設定サービスを実行するためにUEに対して要求される無線チャネル品質要件を指示するために使用される。
【０１０４】
留意すべきことに、本願の本実施形態におけるサービスアプリケーションサーバは、IMSネットワークにおけるサービスアプリケーションサーバ、例えばP-CSCF、ATCF、S-CSCF、及びSCC  ASのうちの任意の１つ又は少なくとも２つの統合である。
【０１０５】
第１設定要求は、サービスアプリケーションサーバがUEのために被設定サービスを設定する要求メッセージを受信した後に、サービスアプリケーションサーバによりアクセスネットワーク装置へ配信されて良いことが理解され得る。被設定サービスは、VoLTEサービス、ビデオ（video）サービス、又は別のサービス種別のサービスであって良い。
【０１０６】
例えば、被設定サービスはVoLTEサービスであり、サービスアプリケーションサーバ（例えば、P-CSCF、ATCF、S-CSCF、又はSCC  AS）は、UEのためにVoLTEサービスを設定する招待（英語：invite）メッセージを受信した後に、サービス設定要求メッセージ（具体的に言うと、第１設定要求）をアクセスネットワーク装置（例えば、eNB）へ送信して良い。第１設定要求は、VoLTEサービスに無線ネットワークリソースを割り当てるよう、アクセスネットワーク装置（例えば、eNB）に要求するために使用される。UEは発信側UEであって良く、相応して、サービスアプリケーションサーバは発信側サービスアプリケーションサーバである。代替として、UEは着信側UEであって良く、相応して、サービスアプリケーションサーバは着信側サービスアプリケーションサーバである。
【０１０７】
例えば、サービスアプリケーションサーバは、以下の２つの実装のうちのいずれかを用いて、第１設定要求をアクセスネットワーク装置へ送信して良い。
【０１０８】
方法１。サービスアプリケーションサーバは、コアネットワーク装置を用いて、第１設定要求をアクセスネットワーク装置へ配信する。
【０１０９】
例えば、VoLTEサービスを一例として用いると、UEのためにVoLTEサービスを設定する招待（英語：invite）メッセージを受信した後に、サービスアプリケーションサーバは、音声専用ベアラを生成する処理を開始するよう進化型パケットシステム（英語：Evolved  Packet  System、略称：EPS）コアネットワーク装置をトリガするために、PCRFへ認証認可要求を送信して良い。認証認可要求は、VoLTEサービスのサービス要件情報を含む。EPSコアネットワーク装置は、アクセスネットワーク装置へ、音声専用ベアラを生成する要求メッセージを送信して良い。音声専用ベアラを生成する要求メッセージは、VoLTEサービスのサービス要件情報を含む。
【０１１０】
方法２。サービスアプリケーションサーバは、サービスアプリケーションサーバとアクセスネットワーク装置との間のインタフェースを用いて、第１設定要求をアクセスネットワーク装置へ配信する。
【０１１１】
サービスアプリケーションサーバとアクセスネットワーク装置との間のインタフェースは、サービスアプリケーションサーバとアクセスネットワーク装置との間に装置製造者により配置されたプライベートインタフェースであって良い。サービスアプリケーションサーバは、プライベートインタフェースを用いてアクセスネットワーク装置へ、第１設定要求（例えば、VoLTEサービスの設定要求）を直接配信して良い。第１設定要求は、被設定サービスのサービス要件を伝達する。プライベートインタフェースの使用からの関連要求メッセージ（例えば、第１設定要求）は、リアルタイム・トランスポートプロトコル（英語：Real  time  Transport  Protocol、略称：RTP）フローデータパケットのヘッダの拡張フィールド内で伝達されて良い。
【０１１２】
例えば、被設定サービスのサービス要件は、被設定サービスのサービス種別指示情報、被設定サービスの無線チャネル要件、被設定サービスのコーデック情報、UEのコーデック情報リスト、及びUEの端末種別情報、のうちの少なくとも１つを含んで良く、UEのコーデック情報リストは、UE及びサービスアプリケーションサーバの両者によりサポートされるコーデック情報を含む。
【０１１３】
被設定サービスの無線チャネル要件は、基準信号受信電力（英語：Reference  Signal  Receiving  Power、略称：RSRP）要件、基準信号受信品質（英語：Reference  Signal  Receiving  Quality、略称：RSRQ）要件、及び信号対干渉及び雑音比（英語：Signal  to  Interference  plus  Noise  Ratio、略称：SINR）要件、のうちの少なくとも１つを含んで良い。
【０１１４】
被設定サービスのコーデック情報は、被設定サービスのコーデック種別情報、及び被設定サービスのコーデック速度セット情報を含む。
【０１１５】
UEの端末種別情報は、UEの国際移動体装置識別番号（英語：International  Mobile  Equipment  Identity、略称：IMEI）、IMEIの種別認可コード（英語：Type  Approval  Code、略称：TAC）、及びUEの国際移動体加入者識別番号（英語：International  Mobile  Subscriber  Identification  Number、略称：IMSI）、のうちの少なくとも１つを含む。
【０１１６】
Ｓ３０２。アクセスネットワーク装置は、コアネットワーク装置又はサービスアプリケーションサーバから第１設定要求を受信する。
【０１１７】
サービスアプリケーションサーバが上述の方法１を用いて第１設定要求をアクセスネットワーク装置へ送信する場合、アクセスネットワーク装置は、コアネットワーク装置を用いて、サービスアプリケーションサーバから第１設定要求を受信し得ること、又は、サービスアプリケーションサーバが上述の方法２を用いてアクセスネットワーク装置へ第１設定要求を送信する場合、アクセスネットワーク装置は、サービスアプリケーションサーバとアクセスネットワーク装置との間のプライベートインタフェースを用いて、サービスアプリケーションサーバから第１設定要求を直接受信し得ることが理解され得る。
【０１１８】
Ｓ３０３。アクセスネットワーク装置は、UEの位置する第１ネットワークの第１セルの無線チャネル品質が被設定サービスのサービス要件を満たさないと決定する。
【０１１９】
例えば、本願の本実施形態における第１ネットワークは、５Gネットワーク及び４Gネットワークのいずれかであって良い。
【０１２０】
第１設定要求を受信した後に、アクセスネットワーク装置は、第１セルの無線チャネル品質が被設定サービスのサービス要件を満たすか否かを決定して良い。第１セルの無線チャネル品質が被設定サービスのサービス要件を満たすと決定した場合、アクセスネットワーク装置は、被設定サービスに無線リソースを割り当てて良い。代替として、第１セルの無線チャネル品質が被設定サービスのサービス要件を満たさないと決定した場合、アクセスネットワーク装置は、Ｓ３０４及びＳ３０５、又はＳ３０６、又はＳ３０７を実行し続けて良い。
【０１２１】
例えば、被設定サービスのサービス要件を伝達する第１設定要求を受信した後に、アクセスネットワーク装置は、被設定サービスのサービス要件に基づき、被設定サービスの無線チャネル要件を取得し、次に、第１セルの無線チャネル品質を、被設定サービスの取得した無線チャネル要件に基づくサービス要件と比較して、第１セルの無線チャネル品質が被設定サービスのサービス要件を満たすか否かを決定して良い。
【０１２２】
例えば、被設定サービスのサービス要件が被設定サービスのサービス種別指示情報を含むと仮定すると、アクセスネットワーク装置は、サービス種別指示情報に基づき、被設定サービスの特定サービス種別を決定して良い（例えば、被設定サービスは、VoLTEサービス、ビデオ（video）サービス、又は別の種類のサービスである）。次に、アクセスネットワーク装置は、被設定サービスのサービス種別及びサービス種別と無線チャネル要件との間の予め設定された対応に基づき、被設定サービスの無線チャネル要件（例えば、RSRP要件、RSRQ要件、又はSINR要件）を決定して良い。別の例では、被設定サービスのサービス要件が被設定サービスのコーデック情報を含むと仮定すると、アクセスネットワーク装置は、被設定サービスのコーデック情報に基づき、被設定サービスのコーデック情報に対応する無線チャネル要件を決定して良い。
【０１２３】
アクセスネットワーク装置は、UEの位置する第１セルのアップリンク及び／又はダウンリンク無線チャネル品質パラメータが被設定サービスの無線チャネル要件を満たすことができないことに基づき、UEの位置する第１ネットワークの第１セルの無線チャネル品質が被設定サービスのサービス要件を満たすことができないと決定して良いことが理解され得る。
【０１２４】
例えば、アップリンク及び／又はダウンリンクチャネル品質パラメータは、アップリンク及び／又はダウンリンクRSRP、アップリンク及び／又はダウンリンクSINR、及び、アップリンク及び／又はダウンリンクRSRQのうちの少なくとも１つを含んで良い。例えば、アップリンク及び／又はダウンリンクRSRPがRSRP要件より低い、アップリンク及び／又はダウンリンクRSRQが被設定サービスのRSRQ要件より低い、及びアップリンク及び／又はダウンリンクSINRが被設定サービスのSINR要件より低い場合、アクセスネットワーク装置は、第１セルの無線チャネル品質が被設定サービスのサービス要件を満たすことができないと決定して良い。
【０１２５】
例えば、本願の本実施形態の適用シナリオでは、被設定サービスのサービス要件は、被設定サービスのコーデック情報及びUEのコーデック情報リストを含んで良い。UEのコーデック情報リストは、UE及びサービスアプリケーションサーバの両者によりサポートされるコーデック情報を含む。
【０１２６】
本適用シナリオにおいて、Ｓ３０３において「アクセスネットワーク装置により、UEの位置する第１ネットワークの第１セルの無線チャネル品質が被設定サービスのサービス要件を満たさないと決定すること」は、具体的に、アクセスネットワーク装置により、第１セルの無線チャネル品質はUEのコーデック情報リストの中の少なくとも１種類のコーデック情報により要求される無線チャネル品質を満たすが、第１セルの無線チャネル品質は被設定サービスのコーデック情報により要求される無線チャネル品質を満たさないと決定することを含んで良い。
【０１２７】
Ｓ３０４。アクセスネットワーク装置は、第１設定応答を、コアネットワーク装置又はサービスアプリケーションサーバへ送信する。ここで、第１設定応答は、コアネットワーク装置又はサービスアプリケーションサーバに、第１セルの無線チャネル品質が被設定サービスのサービス要件を満たさないことを通知するために使用される。
【０１２８】
第１設定応答は、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つを伝達する。第１セルの無線チャネル品質がUEのコーデック情報リストの中の少なくとも１種類のコーデック情報により要求される無線チャネル品質を満たすと決定した後に、アクセスネットワーク装置は、推奨コーデック情報を決定し得ることが理解され得る。推奨コーデック情報は、アクセスネットワーク装置によりUEのコーデック情報リストから選択され且つUE及びサービスアプリケーションサーバの両者によりサポートされるコーデック情報であって良く、推奨コーデック情報は、第１セルによりサポートされるコーデック情報の中の１片のコーデック情報である。
【０１２９】
UEの位置情報は、UEのセルアイデンティティ、UEの基地局アイデンティティ、UEのTAI、UEのLAI、及びUEのRAIのうちの少なくとも１つを含む。
【０１３０】
Ｓ３０５。サービスアプリケーションサーバは、アクセスネットワーク装置又はコアネットワーク装置から第１設定応答を受信する。
【０１３１】
Ｓ３０６。アクセスネットワーク装置は、第１ネットワークの第２セルにUEをハンドオーバする。
【０１３２】
Ｓ３０７。アクセスネットワーク装置は、第２ネットワークの第３セルにUEをハンドオーバする。
【０１３３】
アクセスネットワーク装置は、第１セルの無線チャネル品質が被設定サービスのサービス要件を満たさないとき、第１ネットワークの第２セルに又は第２ネットワークの第３セルにUEをハンドオーバすることを試みて良い。
【０１３４】
例えば、第２ネットワークは、４Gネットワーク、３Gネットワーク、及び２Gネットワーク、のうちのいずれか１つである。例えば、第１ネットワークが５Gネットワークであるとき、第２ネットワークは４Ｇネットワーク、３Gネットワーク、及び２Gネットワークのうちのいずれか１つであって良い。代替として、第１ネットワークが４Ｇネットワークであるとき、第２ネットワークは３Gネットワーク又は２Gネットワークであって良い。本願の本実施形態における第１セル及び第２セルは、第１ネットワークの異なるセルである。
【０１３５】
本願の本実施形態で提供されるサービス設定方法では、UEのためにサービスを設定する処理において、サービスアプリケーションサーバは、サービス需要及びリアルタイム状態に依存して、アクセスネットワーク装置へ対応するサービス要件情報を配信して良い。相応して、アクセスネットワーク装置は、受信したサービス要件情報をサービス設定の承認閾として使用して良い。具体的に言うと、UEの位置するセルの無線信号品質がサービス要件を満たさないとき、アクセスネットワーク装置は、サービスアプリケーションサーバに通知して、サービスアプリケーションサーバが対応する調整を行うようにする。代替として、アクセスネットワーク装置は、別のセルにおいてサービス設定を達成するために、サービス要件を満たすことのできる別のセルにUEをハンドオーバして良い。本ソリューションを用いると、アクセスネットワーク装置は、サービス設定の承認閾として、被設定サービスの且つサービスアプリケーションサーバからのサービス要件を使用して良い。それにより、経験値にのみ基づき承認閾を決定することにより引き起こされる誤り及び柔軟性欠如のような問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０１３６】
本願の本実施形態の一実装では、サービスアプリケーションサーバは、被設定サービスのサービス要件に含まれる指示情報（例えば、第１指示情報、第２指示情報、又は第３指示情報）を用いて、第１セルの無線チャネル品質が被設定サービスのサービス要件を満たさないとき、第１設定応答によりサービスアプリケーションサーバに直接応答するよう又はUEを別のセルにハンドオーバするよう、アクセスネットワーク装置に指示し、具体的に言うと、第１セルの無線チャネル品質が被設定サービスのサービス要件を満たさないとき、Ｓ３０４、Ｓ３０６、又はＳ３０７のうちの１つを実行することを決定するよう、アクセスネットワーク装置に指示して良い。
【０１３７】
具体的には、被設定サービスのサービス要件が第１指示情報を含むとき、第１指示情報は、第１セルの無線チャネル品質が被設定サービスのサービス要件を満たさないとき、第１設定応答をコアネットワーク装置又はサービスアプリケーションサーバへ送信するよう、アクセスネットワーク装置に指示するために使用されるので、アクセスネットワーク装置は、第１セルの無線チャネル品質が被設定サービスのサービス要件を満たさないとき、第１設定応答をコアネットワーク装置又はサービスアプリケーションサーバへ直接送信して良い。具体的には、図４に示されるように、図３のＳ３０４はＳ３０４’に置き換えられて良い。
【０１３８】
Ｓ３０４’。被設定サービスのサービス要件が第１指示情報を含むと決定した場合、アクセスネットワーク装置は、第１設定応答をコアネットワーク装置又はサービスアプリケーションサーバへ送信する。
【０１３９】
被設定サービスのサービス要件が第２指示情報を含むとき、第２指示情報は、第１セルの無線チャネル品質が被設定サービスのサービス要件を満たさないとき、UEを第２セルにハンドオーバするよう、アクセスネットワーク装置に指示するために使用されるので、アクセスネットワーク装置は、第１セルの無線チャネル品質が被設定サービスのサービス要件を満たさないとき、第１ネットワークの第２セルにUEをハンドオーバして良い。具体的には、図４に示されるように、図３のＳ３０６はＳ３０６’に置き換えられて良い。
【０１４０】
Ｓ３０６’。アクセスネットワーク装置が、被設定サービスのサービス要件は第２指示情報を含むと決定し、且つアクセスネットワーク装置が、無線チャネル品質が被設定サービスのサービス要件を満たす第２セルが存在すると決定した場合、アクセスネットワーク装置は、第２セルにUEをハンドオーバする。
【０１４１】
被設定サービスのサービス要件が第３指示情報を含むとき、第３指示情報は、第１セルの無線チャネル品質が被設定サービスのサービス要件を満たさないとき、UEを第３セルにハンドオーバするよう、アクセスネットワーク装置に指示するために使用されるので、アクセスネットワーク装置は、第１セルの無線チャネル品質が被設定サービスのサービス要件を満たさないとき、第３セルにUEをハンドオーバして良い。具体的には、図４に示されるように、図３のＳ３０７はＳ３０７’に置き換えられて良い。
【０１４２】
Ｓ３０７’。アクセスネットワーク装置が、被設定サービスのサービス要件は第３指示情報を含むと決定し、且つアクセスネットワーク装置が、無線チャネル品質が被設定サービスのサービス要件を満たす第３セルが存在すると決定した場合、アクセスネットワーク装置は、第３セルにUEをハンドオーバする。
【０１４３】
UEを第２セル又は第３セルにハンドオーバする前に、アクセスネットワーク装置は、無線チャネル品質が被設定サービスのサービス要件を満たす第２セル又は第３セルが存在することを決定し得ることが理解され得る。
【０１４４】
本願の本実施形態では、無線チャネル品質が被設定サービスのサービス要件を満たす第２セル又は第３セルが存在することを決定することは、アクセスネットワーク装置が、無線チャネル品質が被設定サービスのサービス要件を満たす第２セルが存在すると決定する一例を用いて記載される。
【０１４５】
方法１。アクセスネットワーク装置は、UEへ測定制御コマンドを配信して良い。測定制御コマンドは、第２セルの無線チャネル品質を測定するよう、UEに指示するために使用される。アクセスネットワーク装置は、UEにより報告された測定報告を受信する。測定報告は、UEが第２セルの無線チャネル品質を測定した後に取得された測定結果を伝達する。測定結果は、第２セルの無線チャネル品質パラメータを含んで良く、アクセスネットワーク装置は、測定結果に基づき、無線チャネル品質が被設定サービスのサービス要件を満たす第２セルが存在すると決定して良い。代替として、測定結果は、無線チャネル品質が被設定サービスのサービス要件を満たす第２セルが存在することを指示する指示情報であって良く、アクセスネットワーク装置は、測定結果の指示に基づき、無線チャネル品質が被設定サービスのサービス要件を満たす第２セルが存在することを直接決定して良い。
【０１４６】
方法２。アクセスネットワーク装置は、UEへ測定制御コマンドを配信する。測定制御コマンドは、被設定サービスのサービス要件に基づき決定された測定報告条件を伝達する。測定制御コマンドは、第２セルの無線チャネル品質を測定するよう、UEに指示するために使用され、測定報告条件は、UEが第２セルの無線チャネル品質は測定報告条件を満たすと決定したとき、アクセスネットワーク装置に測定報告を報告するよう、UEに指示するために使用される。アクセスネットワーク装置が、UEにより報告された測定報告を受信した場合、アクセスネットワーク装置は、無線チャネル品質が被設定サービスのサービス要件を満たす第２セルが存在すると決定する。
【０１４７】
留意すべきことに、アクセスネットワーク装置により、無線チャネル品質が被設定サービスのサービス要件を満たす第３セルが存在することを決定する方法は、アクセスネットワーク装置により、無線チャネル品質が被設定サービスのサービス要件を満たす第２セルが存在すると決定する方法と同様であり、詳細は本願の本実施形態において再び記載されない。
【０１４８】
さらに、無線チャネル品質が被設定サービスのサービス要件を満たす第２セル又は第３セルが存在しないとき、図５に示されるように、本願の本実施形態における方法はＳ３０８及びＳ３０９を更に含んで良い。
【０１４９】
Ｓ３０８。アクセスネットワーク装置が、無線チャネル品質が被設定サービスのサービス要件を満たす第２セル又は第３セルが存在しないと決定した場合、アクセスネットワーク装置は、コアネットワーク装置又はサービスアプリケーションサーバへ第２設定応答を送信する。
【０１５０】
第２設定応答は、第１セルの無線チャネル品質が被設定サービスのサービス要件を満たさないこと、及び無線チャネル品質が被設定サービスのサービス要件を満たす第２セル又は第３セルが存在しないことを、コアネットワーク装置又はサービスアプリケーションサーバに通知するために使用される。
【０１５１】
留意すべきことに、アクセスネットワーク装置により、コアネットワーク装置又はサービスアプリケーションサーバへ第２設定応答を送信する方法は、アクセスネットワーク装置により、コアネットワーク装置又はサービスアプリケーションサーバへ第１設定応答を送信する方法と同様であり、詳細は本願の本実施形態において再び記載されない。
【０１５２】
Ｓ３０９。サービスアプリケーションサーバは、アクセスネットワーク装置又はコアネットワーク装置から第２設定応答を受信する。
【０１５３】
第２設定応答は、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つを伝達する。
【０１５４】
第１設定応答又は第２設定応答の中で伝達される、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つは、被設定サービスを更新するためにサービスアプリケーションサーバにより使用されて良い。第１設定応答又は第２設定応答を受信した後に、サービスアプリケーションサーバは、第１セルの無線チャネル品質が被設定サービスのサービス要件を満たさないと決定して良く、被設定サービスの更新サービス要件を伝達する第２設定要求がアクセスネットワーク装置へ送信され得るようにする。具体的に、図６に示されるように、図５に示されるＳ３０５又はＳ３０９の後に、本願の本実施形態における方法は、Ｓ３１０及びＳ３１１を更に含んで良い。
【０１５５】
Ｓ３１０。サービスアプリケーションサーバは、アクセスネットワーク装置又はコアネットワーク装置へ第２設定要求を送信する。ここで、第２設定要求は、被設定サービスの更新サービス要件を伝達する。
【０１５６】
留意すべきことに、サービスアプリケーションサーバにより、アクセスネットワーク装置又はコアネットワーク装置へ第２設定要求を送信する方法は、サービスアプリケーションサーバにより、アクセスネットワーク装置又はコアネットワーク装置へ第１設定要求を送信する方法と同様であり、詳細は本願の本実施形態において再び記載されない。
【０１５７】
Ｓ３１１。アクセスネットワーク装置は、コアネットワーク装置又はサービスアプリケーションサーバから第２設定要求を受信する。
【０１５８】
留意すべきことに、アクセスネットワーク装置により、コアネットワーク装置又はサービスアプリケーションサーバから第２設定要求を受信する方法は、アクセスネットワーク装置により、コアネットワーク装置又はサービスアプリケーションサーバから第１設定要求を受信する方法と同様であり、詳細は本願の本実施形態において再び記載されない。
【０１５９】
第２設定要求を受信した後に、アクセスネットワーク装置は、第１セルの無線チャネル品質が第２設定要求の中で伝達される被設定サービスの更新サービス要件を満たすか否かを決定して良いことが理解され得る。アクセスネットワーク装置により、第１セルの無線チャネル品質が被設定サービスの更新サービス要件を満たすか否かを決定する方法については、アクセスネットワーク装置により、第１セルの無線チャネル品質が被設定サービスのサービス要件を満たすか否かを決定する方法を参照し、詳細は本願の本実施形態において再び記載されない。
【０１６０】
例えば、本願の本実施形態では、被設定サービスのサービス要件に含まれる被設定サービスのコーデック情報は第１コーデック情報であり、被設定サービスの更新サービス要件に含まれる被設定サービスの更新コーデック情報は第２コーデック情報である。サービスアプリケーションサーバは、被設定サービスのコーデック情報が第１コーデック情報であること、及び被設定サービスの更新コーデック情報が第２コーデック情報であることを決定し、被設定サービスのコーデック情報を第１コーデック情報から第２コーデック情報に変更して良い。具体的に、サービスアプリケーションサーバは、第２設定要求を送信するとき、被設定サービスの更新コーデック情報が第２コーデック情報であることを決定して良い。サービスアプリケーションサーバは、さらに、UEへ第２メッセージを送信して良い。第２メッセージは、被設定サービスのコーデック情報が第１コーデック情報から第２コーデック情報に変更されたことを指示するために使用される。
【０１６１】
サービスアプリケーションサーバは、第１コーデック情報に対応する無線チャネル要件が第２コーデック情報に対応する無線チャネル要件より高いことを決定すると、被設定サービスのコーデック情報を第１コーデック情報から第２コーデック情報に変更し、第２メッセージをUEへ送信して良いことが理解され得る。さらに、第１コーデック情報及び第２コーデック情報は、同じ種類のコーデックであるが、異なるコーデック速度セットを使用して良い。例えば、第１コーデック情報および第２コーデック情報の両方がEVSコーデックであるが、第１コーデック情報のコーデック速度セットはEVS全速度セットであり、第２コーデック情報のコーデック速度セットはEVS  VBRモードである。
【０１６２】
さらに、被設定サービスのサービス要件を伝達する第１設定要求をアクセスネットワーク装置へ送信する前に、サービスアプリケーションサーバは、被設定サービスのサービス要件を決定して良い。具体的に、図３〜図６のいずれか１つに示されるＳ３０１の前に、本願の本実施形態における方法はＳ４０１、又はＳ４０２〜Ｓ４０５を更に含んで良い。
【０１６３】
Ｓ４０１。サービスアプリケーションサーバは、被設定サービスの平均オピニオン評点（英語：Mean  Opinion  Score、略称：MOS）、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスのサービス要件を決定する。
【０１６４】
例えば、サービスアプリケーションサーバは、MOS又は「端末の位置するセルの無線チャネル品質、端末の端末種別情報、端末によりアクセスされるキャリア周波数に関する情報、UEの位置情報、サービスのコーデック情報、端末の位置するセルの負荷情報、端末の位置するネットワークのRAT情報、及びサービスの帯域幅情報、のうちの少なくとも１つ」と、サービスのサービス要件と、の間の対応を格納して良い。対応は、サービスアプリケーションサーバにより、ビッグデータを用いて統計収集を通じて取得される。このように、サービスアプリケーションサーバは、被設定サービスのMOS要件、又は「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」に基づき、対応をクエリして、被設定サービスのサービス要件を決定して良い。
【０１６５】
サービスアプリケーションサーバが対応を格納しないとき、対応を格納する第三者ネットワーク装置が、被設定サービスのサービス要件を決定して良い。具体的に、本願の本実施形態における方法は、Ｓ４０２〜Ｓ４０５を更に含んで良い。
【０１６６】
Ｓ４０２。サービスアプリケーションサーバは、第三者ネットワーク装置へ第１クエリ要求を送信する。ここで、第１クエリ要求は、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つを伝達する。
【０１６７】
Ｓ４０３。第三者ネットワーク装置は、第１クエリ要求を受信し、第１クエリ要求の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスのサービス要件を決定する。
【０１６８】
留意すべきことに、第三者ネットワーク装置により、被設定サービスのサービス要件を決定する方法については、サービスアプリケーションサーバにより、被設定サービスのサービス要件を決定する方法が参照されて良く、詳細は本願の本実施形態において再び記載されない。
【０１６９】
Ｓ４０４。第三者ネットワーク装置は、第１クエリ応答をサービスアプリケーションサーバへ送信する。ここで、第１クエリ応答は被設定サービスのサービス要件を伝達する。
【０１７０】
Ｓ４０５。サービスアプリケーションサーバは、第三者ネットワーク装置から第１クエリ応答を受信する。
【０１７１】
被設定サービスのサービス要件を決定する前に、サービスアプリケーションサーバは、先ず、被設定サービスのサービス要件を決定するために使用される「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良いことが理解され得る。
【０１７２】
サービスアプリケーションサーバは、コアネットワーク装置が発信側UE及び着信側UEのためにビデオセッションを設定する処理において、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良い。具体的に、Ｓ４０１又はＳ４０２の前に、本願の本実施形態における方法は、Ｓ５０１〜Ｓ５０４を更に含んで良い。
【０１７３】
Ｓ５０１。サービスアプリケーションサーバは、第２クエリ要求を、コアネットワーク装置、UE、又はアクセスネットワーク装置へ送信する。ここで、第２クエリ要求は、コアネットワーク装置、UE、又はアクセスネットワーク装置に、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」をクエリするよう指示するために使用される。
【０１７４】
Ｓ５０２。コアネットワーク装置、UE、又はアクセスネットワーク装置は、サービスアプリケーションサーバから第２クエリ要求を受信する。
【０１７５】
Ｓ５０３。コアネットワーク装置、UE、又はアクセスネットワーク装置は、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」をクエリする。
【０１７６】
Ｓ５０４。サービスアプリケーションサーバは、第２クエリ応答を、コアネットワーク装置、UE、又はアクセスネットワーク装置から受信する。ここで、第２クエリ応答は、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つを伝達する。
【０１７７】
サービスアプリケーションサーバは、UEからセッションメッセージを受信することにより、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良い。具体的に、Ｓ４０１又はＳ４０２の前に、本願の本実施形態における方法は、Ｓ５０５を更に含んで良い。
【０１７８】
Ｓ５０５。サービスアプリケーションサーバは第１メッセージをUEから受信する。ここで、第１メッセージは、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つを伝達する。
【０１７９】
例えば、第１メッセージは、被設定サービスの関連するセッション開始プロトコル（英語：Session  Initiation  Protocol、略称：SIP）シグナリングであって良い。サービスアプリケーションサーバは、SIPシグナリングを受信し及びパースして、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」を取得して良い。
【０１８０】
相応して、被設定サービスの更新サービス要件を伝達する第２設定要求をアクセスネットワーク装置へ送信する前に、サービスアプリケーションサーバは、被設定サービスの更新サービス要件を決定して良い。具体的に、図６に示されるＳ３１０の前に、本願の本実施形態における方法はＳ６０１、又はＳ６０２〜Ｓ６０５を更に含んで良い。
【０１８１】
Ｓ６０１。サービスアプリケーションサーバは、第１設定応答又は第２設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスの更新サービス要件を決定する。
【０１８２】
Ｓ６０２。サービスアプリケーションサーバは、第三者ネットワーク装置へ第３クエリ要求を送信する。ここで、第３クエリ要求は、第１設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つを伝達する。
【０１８３】
Ｓ６０３。第三者ネットワーク装置は、第３クエリ要求を受信し、第１設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスの更新サービス要件を決定する。ここで、前述の情報は、第３クエリ要求の中で伝達される。
【０１８４】
Ｓ６０４。第三者ネットワーク装置は、第３クエリ応答をサービスアプリケーションサーバへ送信する。ここで、第１クエリ応答は被設定サービスのサービス要件を伝達する。
【０１８５】
Ｓ６０５。サービスアプリケーションサーバは、第三者ネットワーク装置から第３クエリ応答を受信する。
【０１８６】
留意すべきことに、サービスアプリケーションサーバ又は第三者ネットワーク装置により、被設定サービスの更新サービス要件を決定する方法については、サービスアプリケーションサーバにより、被設定サービスのサービス要件を決定する方法が参照されて良く、詳細は本願の本実施形態において再び記載されない。
【０１８７】
さらに、サービスアプリケーションサーバは、第１設定応答又は第２設定応答を受信した後に、被設定サービスを更に終了して良い。具体的に、図４に示されるＳ３０５の後に、本願の本実施形態における方法は、サービスアプリケーションサーバにより、第１設定応答又は第２設定応答の中で伝達される、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つに基づき、被設定サービスを終了することを決定するステップと、サービスアプリケーションサーバにより、被設定サービス削除メッセージをUEへ送信するステップであって、被設定サービス削除メッセージは、被設定サービスを終了するよう、UEに指示するために使用される、ステップと、UEにより、サービスアプリケーションサーバから被設定サービス削除メッセージを受信し、被設定サービスを終了するステップと、を更に含んで良い。
【０１８８】
本実施形態の技術的ソリューションでは、UEのためにサービスを設定する処理において、サービスアプリケーションサーバは、サービス需要及びリアルタイム状態に依存して、アクセスネットワーク装置へ対応するサービス要件情報を配信して良い。相応して、アクセスネットワーク装置は、受信したサービス要件情報をサービス設定の承認閾として使用して良い。具体的に言うと、UEの位置するセルの無線信号品質がサービス要件を満たさないとき、アクセスネットワーク装置は、サービスに無線リソースを割り当てることを拒否し、同時に、サービスアプリケーションサーバに通知して良く、サービスアプリケーションサーバが対応する調整を行うようにする。代替として、アクセスネットワーク装置は、別のセルにおいてサービス設定を達成するために、サービス要件を満たすことのできる別のセルにUEをハンドオーバして良い。本ソリューションを用いると、アクセスネットワーク装置は、サービス設定の承認閾として、被設定サービスの且つサービスアプリケーションサーバからのサービス要件を使用して良い。それにより、経験値にのみ基づき承認閾を決定することにより引き起こされる誤り及び柔軟性欠如のような問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０１８９】
以下は、一例として４Gネットワークにおけるビデオ呼サービス設定処理を用いて、本願の実施形態におけるサービス設定方法を詳細に記載する。本願の実施形態では、UEは、ビデオ呼サービスの発信側UE及び着信側UEであって良く、相応して、アクセスネットワーク装置は、発信側UEに対応するeNB又は着信側UEに対応するeNBであって良く、サービスアプリケーションサーバは、発信側UEに対応するIMSコアネットワーク装置（例えば、P-CSCF／S-CSCF／SCC  AS／ATCF）又は着信側UEに対応するIMSコアネットワーク装置であって良い。
【０１９０】
図７Ａ及び図７Ｂに示されるように、本願の一実施形態において提供されるサービス設定方法は、以下のステップを含んで良い。
【０１９１】
Ｓ７０１。IMSコアネットワーク装置は、発信側UEからビデオ呼サービス要求メッセージを受信し、発信側UE及び着信側UEのためにビデオセッションを設定し、サービス要件（例えば、コーデック情報）交渉を実行する。
【０１９２】
IMSコアネットワーク装置が発信側UE及び着信側UEのためにビデオセッションを設定する処理において、IMSコアネットワーク装置は、ビデオ呼サービスのコーデック情報について、発信側UE及び着信側UEと交渉して良い。ビデオ呼サービスのコーデック情報は、ビデオ呼のコーデック種別及びコーデック速度セット情報を含んで良い。例えば、ビデオ呼のコーデック種別は、拡張音声サービス（英語：Enhanced  Voice  Service、略称：EVS）コーデック、適応型マルチレート広帯域音声コーデック（英語：Adaptive  Multi-Rate  Wideband  Speech  Codec、略称：AMR  WB）、適応型マルチレート狭帯域音声コーデック（英語：Adaptive  Multi  Rate-Narrow  Band  Speech  Codec、略称：AMR  NB）、及び動画専門家集団（英語：Moving  Picture  Experts  Group、略称：MPEG）コーデック、のようなコーデック方式であって良い。ビデオ呼のコーデック速度セット情報（codec  rating  set）は、ビデオ呼のコーデック速度が６．６０〜２３．８５kbpsであることを指示して良い。
【０１９３】
さらに、「IMSコアネットワーク装置が発信側UE及び着信側UEのためにビデオセッションを設定する」処理において、IMSコアネットワーク装置は、UE、eNB、又は進化型パケットコア（英語：Evolved  Packet  Core、略称：EPC）装置から、ビデオ呼サービスの他の初期パラメータを更に取得して良い。他の初期パラメータは、UEの端末種別、UEの位置する４Gセルの無線チャネル品質、UEの位置する４Gセルのキャリア周波数情報、UEの現在位置情報、UEの位置する４Gセルの負荷情報（例えば、セルが過負荷か否か）、及びビデオ呼サービスにより要求される帯域幅に関する情報を含んで良い。例えば、UEの端末種別は、UEのIMEI、IMSI、及びIMEIのうちの少なくとも１つであって良い。他の初期パラメータに含まれるIMEIは、具体的に、IMEIの最初の８ビットの中のTACであって良く、TACは、通常、UEの型を表すために使用される。UEの位置する４Gセルの無線チャネル品質は、RSRP、RSRQ、及びSINRのうちの少なくとも１つであって良い。UEの位置する４Gセルのキャリア周波数情報は、UEの位置する４Gセルのキャリア周波数が１８００MHz、９００MHz、等であることを指示して良い。UEの現在位置情報は、UEが共通マクロネットワークの４Gセル、高速鉄道専用ネットワークの４Gセル、等に位置することを指示するために使用される。UEの位置する４Gセルの負荷情報は、UEの位置する４Gセルが過負荷か否かを指示するために使用される。
【０１９４】
例えば、本願の本実施形態では、UEの端末種別情報は、UEがビデオ呼サービスを開始するとき生成される関連セッションシグナリングに含まれて良い。例えば、セッション開始プロトコル（英語：Session  Initiation  Protocol、略称：SIP）シグナリングは、UEの端末種別情報を伝達して良い。IMSコアネットワーク装置は、UEの端末種別情報を取得するために、SIPシグナリングを受信し及びパースして良い。IMSコアネットワーク装置は、代替として、UE又はEPC装置（例えばMME）から、クエリ要求を送信することにより、UEの端末種別情報を取得して良い。SIPシグナリングは、UEの位置する４Gセルの無線チャネル品質のような情報を更に伝達して良い。
【０１９５】
Ｓ７０２。IMSコアネットワーク装置は、ビデオ呼サービスのMOS要件、UEの位置するセルの無線チャネル品質、UEの端末種別情報、UEによりアクセスされるキャリア周波数に関する情報、UEの位置情報、ビデオ呼サービスのコーデック情報、UEの位置するセルの負荷情報、UEの位置するセルのRAT情報、及びビデオ呼サービスの帯域幅情報、のうちの少なくとも１つに基づき、ビデオ呼サービスのサービス要件を決定する。
【０１９６】
ビデオ呼サービスのサービス要件は、ビデオ呼サービスによりeNBの無線チャネルに課される要件である。ビデオ呼サービスのサービス要件は、ビデオ呼サービスのサービス種別指示情報、ビデオ呼サービスの無線チャネル要件、ビデオ呼サービスのコーデック情報、及びUEの端末種別、のうちの少なくとも１つを含んで良い。
【０１９７】
ビデオ呼サービスの無線チャネル要件は、RSRP要件、RSRQ要件、及びSINR要件のうちの少なくとも１つを含んで良い。ビデオ呼サービスの無線チャネル要件は、UEの位置する第１セルのRSRPの最低基準がRSRP要件であり、UEの位置する第１セルのRSRQの最低基準がRSRQ要件であり、及びUEの位置する第１セルのSINRの最低基準がSINR要件であることを、ビデオ呼サービスが要求することを指示するために使用される。ビデオ呼サービスのコーデック情報は、ビデオ呼サービスのコーデック種別情報及びビデオ呼サービスのコーデック速度セット情報を含む。ビデオ呼サービスのコーデック情報は、ビデオ呼サービスが使用を許可されたコーデック種別及びコーデック速度を示すために使用される。UEの端末種別情報は、UEのIMEI、IMEIのTAC、及びUEのIMSIのうちの少なくとも１つを含む。
【０１９８】
IMSコアネットワーク装置の内部データベースが、ビデオ呼サービスのMOS又は「端末の位置するセルの無線チャネル品質、端末の端末種別情報、端末によりアクセスされるキャリア周波数に関する情報、UEの位置情報、サービスのコーデック情報、端末の位置するセルの負荷情報、端末の位置するネットワークのRAT情報、サービスの帯域幅情報、のうちの少なくとも１つ」と、ビデオ呼サービスのサービス要件との間の対応を格納する場合、IMSコアネットワーク装置は、ビデオ呼サービスのサービス要件を決定するために対応をクエリし得ることが理解され得る。
【０１９９】
例えば、IMSコアネットワーク装置がビデオサービスのプリセットMOS要件を４．０ポイントに設定する、言い換えると、ユーザがビデオ呼サービスを完全且つ淀みなく楽しむことを可能にする対応する最小MOS値が４であり、且つ、IMSコアネットワーク装置が交渉の後にコーデック情報（例えば、AMR-WBコーデックが使用される場合、許容速度セットは６．６０〜２３．８５kbpsである）を取得したと仮定すると、IMSは、プリセットMOS要件及びコーデック情報に基づき内部データベースをクエリして、MOS＝４．０であり且つコーデック情報がAMR-WB及び６．６０〜２３．８５kbpsであるとき対応するRSRP要件を取得して良い。別の例では、IMSコアネットワーク装置がビデオサービスのプリセットMOS要件を４．０ポイントに設定し、且つIMSコアネットワーク装置が、UEは高速鉄道専用ネットワークの４Gセルに現在位置することを学習したと仮定すると、IMSは、プリセットMOS要件及びUEの位置情報に基づき内部データベースをクエリして、MOS＝４．０且つUEが高速鉄道専用ネットワークのセルに位置するとき対応するSINR要件を取得して良い。IMSコアネットワーク装置により、別のパラメータに基づきサービス要件を取得する方法は、前述の例の記載と同様であり、詳細はここで再び記載されない。
【０２００】
任意で、IMSコアネットワーク装置が対応を格納しない場合、対応を格納する第三者ネットワーク装置が、ビデオ呼サービスのサービス要件を決定し、ビデオ呼サービスの決定したサービス要件をIMSコアネットワーク装置へ送信して良い。第三者ネットワーク装置により、ビデオ呼サービスのサービス要件を決定する方法は、IMSコアネットワーク装置によりビデオ呼サービスのサービス要件を決定する方法と同様であり、詳細は本願の本実施形態において再び記載されない。
【０２０１】
Ｓ７０３。IMSコアネットワーク装置は、ビデオ呼サービスの第１設定要求をeNBへ送信して、ビデオ呼サービスに無線リソースを割り当てるようeNBをトリガする。ここで、ビデオ呼サービスの設定要求は、ビデオ呼サービスのサービス要件を伝達する。
【０２０２】
図７Ａ及び図７Ｂに示すように、Ｓ７０３は、IMSコアネットワーク装置により、ビデオ呼サービスの専用ベアラの生成をトリガするために、認証認可要求（英語：Authentication  Authorization  Request、略称：AAR）メッセージをPCRFへ開始するステップを含んで良い。UEのユーザ識別子、IMSアプリケーションレイヤ課金識別子、メディア記述情報、等に加えて、AARメッセージは、ビデオ呼サービスのサービス要件情報を更に伝達して良い（図７Ａ及び図７Ｂに示されるように、ビデオ呼サービスのサービス要件情報がRSRP要件を含む一例を用いて説明が提供される）。
【０２０３】
PCRFは、ビデオ呼サービスのユーザプレーンデータ専用ベアラを生成するようPGWをトリガするために、AARの中で伝達されるメディア記述情報に基づき、EPCのPGWへ、サービス品質（英語：Quality  of  Service、略称：QoS）ルールを伝達する再認証要求（英語：Re-Authentication  Request、略称：RAR）メッセージを送信して良い。RARメッセージは、ビデオ呼サービスのサービス要件情報（図１に示されるように、ビデオ呼サービスのサービス要件情報がRSRP要件を含む一例を用いて説明が提供される）を伝達する。
【０２０４】
PCRFからRAR要求を受信した後に、PGWは、ビデオ呼サービスの専用ベアラを生成する処理をトリガし、EPCのSGW及びMME（つまりEPC装置）を用いて、生成ベアラ要求（英語：Create  Bearer  Request）メッセージをアクセスネットワークのeNBへ送信して良い。create  bearer  requestメッセージは、ビデオ呼サービスのサービス要件情報を伝達する（図１に示されるように、ビデオ呼サービスのサービス要件情報がRSRP要件を含む一例を用いて説明が提供される）。
【０２０５】
本願の本実施形態の別の実装では、IMSコアネットワーク装置は、代替として、ビデオ呼サービスの設定要求をeNBへ直接送信して良い。ビデオ呼サービスの設定要求は、ビデオ呼サービスのサービス要件情報を伝達する。例えば、IMSコアネットワーク装置とeNBとの間にインタフェースが存在する場合、IMSコアネットワーク装置は、インタフェースを用いてeNBへビデオ呼サービスの設定要求を送信して良い。IMSコアネットワーク装置とeNBとの間のインタフェースは、前述の実施形態におけるサービスアプリケーションサーバとアクセスネットワーク装置との間のインタフェースである。
【０２０６】
本願の本実施形態の別の実装では、IMSコアネットワーク装置（例えば、ATCF又はATGW）は、代替として、ユーザプレーンデータパケット（例えば、RTPデータパケット）を生成し、ビデオ呼サービスのサービス要件情報（例えば、RSRP要件）をユーザプレーンデータパケットに追加して良く、eNBがユーザプレーンデータパケットを受信した後にRSRP要件をパースして取り出せるようにする。
【０２０７】
Ｓ７０４。eNBは、ビデオ呼サービスの第１設定要求を受信する。
【０２０８】
Ｓ７０５。eNBは、UEの位置する４Gネットワークセルの無線チャネル品質がビデオ呼サービスのサービス要件を満たさないと決定する。
【０２０９】
図７Ａ及び図７Ｂに示されるように、RSRP要件はサービス要件として使用され、Ｓ７０５は具体的に、eNBにより、UEの位置する４GネットワークセルのRSRPがビデオ呼サービスのRSRP要件を満たさないと決定するステップである。
【０２１０】
留意すべきことに、eNBにより、UEの位置する４Gネットワークセルの無線チャネル品質がビデオ呼サービスのサービス要件を満たさないと決定する方法については、前述の実施形態における、アクセスネットワーク装置により、第１セルの無線チャネル品質がビデオ呼サービスのサービス要件を満たさないと決定する方法が参照されて良く、詳細は本願の本実施形態において再び記載されない。
【０２１１】
Ｓ７０５の後に、本願の本実施形態における方法は、Ｓ７０６、Ｓ７０７、又はＳ７０８を更に含んで良い。具体的に、eNBは、ビデオ呼サービスのサービス要件に含まれる指示情報に基づき、Ｓ７０６、Ｓ７０７、又はＳ７０８のうちの１つを実行することを決定して良い。
【０２１２】
Ｓ７０６。ビデオ呼サービスのサービス要件が第１指示情報を含むと決定した場合、eNBは、IMSコアネットワーク装置へ第１設定応答を送信する。
【０２１３】
図７Ａ及び図７Ｂに示されるように、本願の本実施形態の一実装では、eNBは、以下の方法を用いて、IMSコアネットワーク装置へ第１設定応答を送信して良い。
【０２１４】
eNBは、EPC装置（例えばMME）へ、生成ベアラ応答（英語：create  bearer  response）メッセージを送信して良い。create  bearer  responseメッセージは、eNBがビデオ呼サービスのサービス要件により示される無線チャネル品質を提供できないことを指示するために使用される指示情報を伝達する。
【０２１５】
EPC装置は、create  bearer  responseを受信した後に、PCRFへ、クレジット制御要求（英語：Credit  Control  Request、略称：CCR）メッセージを送信して良い。CCRメッセージは、ビデオ呼サービスの専用ベアラの生成が失敗したことを示すために使用される指示情報を伝達し、eNBがビデオ呼サービスのサービス要件により示される無線チャネル品質を提供できないことを示すために使用される指示情報を伝達する。
【０２１６】
PCRFは、RARメッセージ又はアボートセッション要求（英語：Abort-Session-Request、略称：ASR）メッセージをIMSコアネットワーク装置へ送信して良い。RARメッセージ又はASRメッセージは、eNBがビデオ呼サービスのサービス要件により示される無線チャネル品質を提供できないことを示す指示情報を伝達する。
【０２１７】
図７Ａ及び図７Ｂに示される実装に加えて、eNBは、eNBとIMSコアネットワーク装置との間のインタフェースを用いて、IMSコアネットワーク装置へ第１設定応答を更に送信して良い。IMSコアネットワーク装置とeNBとの間のインタフェースは、前述の実施形態におけるサービスアプリケーションサーバとアクセスネットワーク装置との間のインタフェースである。代替として、eNBは、ユーザプレーンデータパケットに第１設定応答を付加し、ユーザプレーンデータパケットをIMSコアネットワーク装置へ送信して良い。eNBにより、eNBとIMSコアネットワーク装置との間のインタフェースを用いて又はユーザプレーンデータパケットを用いて、IMSコアネットワーク装置へ第１設定応答を送信する特定の方法については、本願の本実施形態における関連する記載を参照し、詳細はここで再び記載されない。
【０２１８】
任意で、eNBは、create  bearer  responseメッセージ、CCRメッセージ、RARメッセージ若しくはASRメッセージ、eNBとIMSコアネットワーク装置との間のインタフェース、又はユーザプレーンデータパケットを用いて、「UEの現在位置する４Gネットワークセルの無線チャネル品質、UEの端末種別情報、４Gセルのキャリア周波数情報、UEの位置情報、時間情報、４Gセルの負荷情報、及びビデオ呼サービスの帯域幅情報、のうちの少なくとも１つ」を更に報告して良い。図７Ａ及び図７Ｂに示されるように、第１設定応答が、「UEの現在位置する４Gネットワークセルの無線チャネル品質、UEの端末種別情報、４Gセルのキャリア周波数情報、UEの位置情報、時間情報、４Gセルの負荷情報、及びビデオ呼サービスの帯域幅情報、のうちの少なくとも１つ」を伝達することは、create  bearer  response、CCRメッセージ、又はRARメッセージが第１セルのRSRPを伝達する一例を用いて記載される。
【０２１９】
更に、本願の本実施形態における方法は、
eNBが、ビデオ呼サービスのサービス要件が第２指示情報を含むと決定し、且つeNBが、無線チャネル品質がビデオ呼サービスのサービス要件を満たす第２セルが存在すると決定した場合、eNBにより、UEを第２セルにハンドオーバするステップ、又は、
eNBが、ビデオ呼サービスのサービス要件が第３指示情報を含むと決定し、且つeNBが、無線チャネル品質がビデオ呼サービスのサービス要件を満たす第３セルが存在すると決定した場合、eNBにより、UEを第３セルにハンドオーバするステップ、を更に含んで良い。
【０２２０】
UEの位置する４Gネットワークセルの無線チャネル品質がビデオ呼サービスのサービス要件を満たさないこと、具体的に言うと、UEの現在位置する４Gネットワークセルの無線チャネル品質がIMSコアネットワーク装置により配信されたサービス要件閾より高いこと、が決定されるので、eNBは４Gネットワーク内のUEに対して内部ハンドオーバ処理を実行して、UEを４Gネットワーク内の第１セルから第２セルへハンドオーバして良く、又はeNBは、UEに対して４Gネットワークから３Gネットワーク又は２Gネットワークへのネットワーク間ハンドオーバ処理を実行して、UEを４Gネットワークの第１セルから３Gネットワーク又は２Gネットワークの第３セルにハンドオーバして良い。
【０２２１】
留意すべきことに、eNBがUEを４Gネットワークの第１セルから３Gネットワーク又は２Gネットワークの第３セルにハンドオーバした後に、ビデオ呼サービスは、３Gネットワーク又は２Gネットワークのパケット交換（英語：Packet  Switch、略称：PS）ドメインで実行されて良い。この場合、ネットワーク間ハンドオーバ処理は、PSからPSへのハンドオーバ処理に属する。代替として、ビデオ呼サービスは、３Gネットワーク又は２Gネットワークの回線交換（英語：Circuit  Switched  Domain、略称：CS）ドメインで実行されて良い。この場合、ネットワーク間ハンドオーバ処理は、PSからCSへのハンドオーバ処理に属する。
【０２２２】
eNBにより、無線チャネル品質がビデオ呼サービスのサービス要件を満たす第２セル又は第３セルが存在すると決定する方法については、前述の実施形態における関連する記載を参照し、詳細は本願の本実施形態において再び記載されない。
【０２２３】
任意で、本願の本実施形態では、IMSコアネットワーク装置は、UEが以下の条件を満たすとき、ビデオ呼サービスのサービス要件に、指示情報（第１指示情報、第２指示情報、又は第３指示情報）を付加して良い。
【０２２４】
条件１：UEが音声コーデックA及び音声コーデックBをサポートする。
【０２２５】
条件２：音声コーデックBによりセルの無線チャネル品質に課される要件が、音声コーデックAによりセルの無線チャネル品質に課される要件より低い。
【０２２６】
条件３：ビデオ呼サービスが音声コーデックAを現在使用している。
【０２２７】
例えば、UEは、EVSコーデック及びAMR  WBコーデックの両方をサポートし、且つビデオ呼サービスはAMR  WBコーデックを現在使用していると仮定する。同じユーザ経験の下では、一例としてRSRPを用いると、EVSコーデックによりセルのRSRPに課される要件は、RSRP＞−１２０dBmであり、AMR  WBコーデックによりセルのRSRPに課される要件は、RSRP＞−１１５dBmである。この場合、IMSコアネットワーク装置は、第１指示情報をビデオ呼サービスのサービス要件情報に付加して良く、第１セルのRSRPがAMR  WBによりセルのRSRPに課される要件を満たさないとき、eNBが、第１設定応答を送信して、IMSコアネットワーク装置に通知し、したがって、IMSコアネットワーク装置がEVSコーデックを使用するようにして、それにより、単一無線音声呼連続性（英語：Single  Radio  Voice  Call  Continuity、略称：SRVCC）の実行を回避する。代替として、IMSコアネットワーク装置は、第２指示情報又は第３指示情報をビデオ呼サービスのサービス要件情報に付加して良く、第１セルのRSRPがAMR  WBによりセルのRSRPに課される要件を満たさないとき、eNBがSRVCCを直接実行し得るよう、及び別のセルがビデオ呼サービスの対応する無線リソースをUEに提供するようにする。
【０２２８】
無線チャネル品質がビデオ呼サービスのサービス要件を満たす第２セル又は第３セルは存在しないことがある。この場合、図７Ａ及び図７Ｂに示されるように、本願の本実施形態における方法は、eNBが無線チャネル品質がビデオ呼サービスのサービス要件を満たす第２セル又は第３セルは存在しないと決定した場合、eNBにより、IMSコアネットワーク装置へ第２設定応答を送信するステップと、IMSコアネットワーク装置により、eNBから第２設定応答を受信するステップと、を更に含んで良い。
【０２２９】
無線チャネル品質が被設定サービスのサービス要件を満たす第２セル又は第３セルは存在しないとき、eNBは、ビデオ呼サービスに無線リソースを割り当てることを拒否し、（第２設定応答を用いて）IMSコアネットワーク装置に、第１セルの無線チャネル品質はビデオ呼サービスのサービス要件を満たさないこと、及び無線チャネル品質がビデオ呼サービスのサービス要件を満たす第２セル又は第３セルが存在しないことを通知して良い。
【０２３０】
Ｓ７０７。IMSコアネットワーク装置は、受信した第１設定応答又は第２設定応答に基づき、ビデオ呼サービスの更新サービス要件を決定する。
【０２３１】
IMSコアネットワーク装置は、第１設定応答又は第２設定応答の中で伝達される、「第１セルの無線チャネル品質、UEの端末種別情報、UEによりアクセスされるキャリア周波数に関する情報、UEの位置情報、ビデオ呼サービスのコーデック情報、第１セルの負荷情報、第１ネットワークのRAT情報、ビデオ呼サービスの帯域幅情報、のうちの少なくとも１つ」に基づき、ビデオ呼サービスの更新サービス要件を決定して良いことが理解され得る。IMSコアネットワーク装置により、ビデオ呼サービスの更新サービス要件を決定する方法は、IMSコアネットワーク装置によりビデオ呼サービスのサービス要件を決定する方法と同様であり、詳細は本願の本実施形態において再び記載されない。
【０２３２】
例えば、ビデオ呼サービスのサービス要件はビデオ呼サービスのコーデック情報を含むと仮定する。ビデオ呼サービスはAMR−WBコーデックを使用し、AMR−WBコーデックのコーデック速度は２３．８５kbpsであり、及びAMR−WBコーデックにより第１セルのRSRPに課される要件はRSRP＞−１１５dBmである。しかしながら、第１セルのRSRPが−１１８dBm（＜−１１dBm）である場合、IMSコアネットワーク装置は、ビデオサービスのコーデック種別をEVSコーデックに変更し、コーデック速度を１３．２kbpsコーデックに調整し、及びEVSコーデック方式に基づき、EVSコーデックにより第１セルのRSRPに課される要件はRSRP＞−１２０dBm（＜−１１８dBm）であると決定して良い。
【０２３３】
任意で、IMSコアネットワーク装置は、ビデオ呼サービスのコーデック情報を調整した後に、サービスコーデック情報調整通知メッセージ（具体的に言うと、第２メッセージ）を発信側UE及び着信側UEへ送信して良い。さらに、着信側UEがEVSコーデックをサポートしない場合、IMSコアネットワーク装置は、続いて、発信側UE及び着信側UEのコーデック方式を変更して良い。
【０２３４】
Ｓ７０８。IMSコアネットワーク装置は、ビデオ呼サービスの第２設定要求をeNBへ送信する。
【０２３５】
例えば、図７Ａ及び図７Ｂに示されるように、IMSコアネットワーク装置により、ビデオ呼サービスの第２設定要求をeNBへ送信する方法は、IMSコアネットワーク装置により、ビデオ呼サービスの第１設定要求をeNBへ送信する方法と同様であり、詳細は本願の本実施形態において再び記載されない。図７Ａ及び図７Ｂは、更新RSRPがビデオ呼サービスの更新サービス要件として使用される一例を用いる。
【０２３６】
Ｓ７０９。eNBは、IMSコアネットワーク装置から第２設定要求を受信する。ここで、第２設定要求は、ビデオ呼サービスの更新サービス要件を伝達する。
【０２３７】
例えば、図７Ａ及び図７Ｂに示されるように、前述の例に基づき、Ｓ７０９は、eNBにより、更新RSRP要件を伝達する生成ベアラ要求を受信するステップである。
【０２３８】
ビデオ呼サービスの更新サービス要件を受信した後に、eNBは、Ｓ７０５を実行するために継続し、具体的に言うと、UEの位置する４Gネットワークセルの無線チャネル品質がビデオ呼サービスの更新サービス要件を満たすか否かを決定し、後続の対応する処理を実行して良い。図７Ａ及び図７Ｂに示されるように、本願の本実施形態における方法は、Ｓ７１０及びＳ７１１を更に含んで良い。Ｓ７１０及びＳ７１１の詳細な説明については、本願の本実施形態における関連する内容を参照し、詳細はここで再び記載されない。
【０２３９】
さらに、本願の本実施形態では、IMSコアネットワーク装置は、さらに、第１設定応答又は第２設定応答を受信した後に、ビデオ呼サービスを終了して良い。IMSコアネットワーク装置は、第１セルの無線チャネル品質がビデオ呼サービスのサービス要件を満たすことを可能にするために、ビデオ呼サービスのサービス要件に更なる調整が行われ得ないと決定すると、ビデオ呼サービスを終了して良い。IMSコアネットワーク装置は、ビデオ呼サービスを終了することを決定すると、ビデオ呼サービス削除メッセージを、発信側UEへ送信して良い。削除メッセージは、ビデオ呼サービスを終了する特定理由値、例えば、第１セルの無線チャネル品質がビデオ呼サービスのサービス要件を満たすことができないことを伝達して良い。
【０２４０】
一実装では、IMSコアネットワーク装置が第１設定応答又は第２設定応答をeNBから受信した後に、IMSコアネットワーク装置が、第１セルの無線チャネル品質がビデオ呼サービスのサービス要件を満たすことを可能にするために、ビデオ呼サービスのサービス要件に更なる調整が行われ得ないことを決定した場合、IMSコアネットワーク装置は、発信側UEと交渉して、発信側UEが現在のサービス経験を受け入れ、及びサービスを保持し続けるか否かを、発信側UEに尋ねて良い。UEが現在のサービス経験を受け入れた場合、IMSコアネットワーク装置は、ビデオ呼サービスのサービス要件を調整せず、又はビデオ呼サービスを終了する動作を実行せず、EPC装置及びeNBに対してビデオ呼サービスの専用ベアラを生成する処理を再トリガして良い。ビデオ呼サービスの専用ベアラを生成する本処理では、IMSコアネットワーク装置は、ビデオ呼サービスのサービス要件をEPC装置及びeNBへ送信しない、又はIMSコアネットワーク装置は、ビデオ呼サービスのサービス要件を送信し、同時にeNBに、eNBがビデオ呼サービスに無線リソースを割り当てるとき、ビデオ呼サービスのサービス要件を無視するよう指示して良い。
【０２４１】
本願の本実施形態において提供されるサービス設定方法では、UEのためにビデオ呼サービスを設定する処理において、IMSコアネットワーク装置は、ビデオ呼サービスのサービス要件をeNBへ配信して良い。相応して、eNBは、ビデオ呼サービスの受信したサービス要件を、ビデオ呼サービス設定の承認閾として使用して良い。具体的に言うと、UEの位置するセルの無線信号品質がビデオ呼サービスのサービス要件を満たさないとき、eNBは、ビデオ呼サービスに無線リソースを割り当てることを拒否し、同時に、IMSコアネットワーク装置に通知して良く、このセル内でビデオ呼サービス設定を達成するために、IMSコアネットワーク装置がビデオ呼サービスのサービス要件に対応する調整を行うようにする。代替として、eNBは、別のセルにおいてビデオ呼サービス設定を達成するために、サービス要件を満たすことのできる別の４Gセル又は２G／３GセルにUEをハンドオーバして良い。
【０２４２】
留意すべきことに、前述の実施形態は、単に一例として４Gネットワーク内のビデオ呼サービスを用いて、本願の実施形態において提供されるサービス設定方法を記載した。本願の実施形態において提供されるサービス設定方法は、別のネットワーク標準における別のサービス設定処理に更に適用されて良い。本ソリューションを用いて、ネットワーク側は、異なるサービスのサービス要件に依存してサービス設定の承認閾を適応的に決定し得る。それにより、経験値にのみ基づき承認閾を決定することにより引き起こされる誤り及び柔軟性欠如のような問題を回避する。さらに、UEのセルの信号品質が承認閾より低いシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０２４３】
本願の一実施形態は、サービス設定方法を提供する。図８に示されるように、サービス設定方法は以下のステップを含む。
【０２４４】
Ｓ８０１。第１サービスアプリケーションサーバは、第１設定要求をアクセスネットワーク装置又は第１コアネットワーク装置へ送信する。ここで、第１設定要求は第１サービスのサービス要件を伝達し、第１サービスのサービス要件は、アクセスネットワーク装置に、第１サービスを実行するためにユーザ機器UEに対して要求される無線チャネル品質要件を指示するために使用される。
【０２４５】
留意すべきことに、第１サービスのサービス要件の特定の内容については、前述の実施形態における被設定サービスのサービス要件の詳細な説明が参照されて良く、詳細は本願の本実施形態において再び記載されない。
【０２４６】
Ｓ８０２。アクセスネットワーク装置は、第１コアネットワーク装置又は第１サービスアプリケーションサーバから第１設定要求を受信する。
【０２４７】
Ｓ８０３。アクセスネットワーク装置は、第１設定応答を第１コアネットワーク装置又は第１サービスアプリケーションサーバへ送信する。ここで、第１設定応答は、第１コアネットワーク装置又は第１サービスアプリケーションサーバに、アクセスネットワーク装置が第１設定要求を受け入れたことを通知するために使用される。
【０２４８】
ネットワーク内の各セルの無線チャネル品質は、常に変化し得る。言い換えると、Ｓ８０３でアクセスネットワーク装置が第１設定応答を第１コアネットワーク装置又は第１サービスアプリケーションサーバへ送信した後に、第１セルの無線チャネル品質は第１サービスのサービス要件を満たさないことがある。具体的に、Ｓ８０３の後に、本願の本実施形態における方法は、Ｓ８０４を更に含んで良い。
【０２４９】
Ｓ８０４。アクセスネットワーク装置は、UEの位置する第１ネットワークの第１セルの無線チャネル品質が第１サービスのサービス要件を満たさないと決定する。
【０２５０】
留意すべきことに、本実施形態において、アクセスネットワーク装置により、UEの位置する第１ネットワークの第１セルの無線チャネル品質が第１サービスのサービス要件を満たすか否かを決定する特定の方法については、前述の実施形態における、アクセスネットワーク装置により、第１セルの無線チャネル品質が被設定サービスのサービス要件を満たすか否かを決定する特定の方法が参照されて良く、詳細は本願の本実施形態において再び記載されない。
【０２５１】
例えば、本願の本実施形態の適用シナリオでは、第１サービスのサービス要件は、第１サービスのコーデック情報及びUEのコーデック情報リストを含んで良い。UEのコーデック情報リストは、UE及びサービスアプリケーションサーバの両者によりサポートされるコーデック情報を含む。
【０２５２】
本適用シナリオにおいて、Ｓ８０４において「アクセスネットワーク装置により、UEの位置する第１ネットワークの第１セルの無線チャネル品質が第１サービスのサービス要件を満たさないと決定すること」は、具体的に、アクセスネットワーク装置により、第１セルの無線チャネル品質はUEのコーデック情報リストの中の少なくとも１種類のコーデック情報により要求される無線チャネル品質を満たすが、第１セルの無線チャネル品質は被設定サービスのコーデック情報により要求される無線チャネル品質を満たさないと決定することを含んで良い。
【０２５３】
第１セルの無線チャネル品質が第１サービスのサービス要件を満たさないとき、Ｓ８０５、Ｓ８０６、又はＳ８０７のいずれかのステップが実行されて良い。
【０２５４】
Ｓ８０５。アクセスネットワーク装置は、第１通知メッセージを、第１コアネットワーク装置又は第１サービスアプリケーションサーバへ送信する。ここで、第１通知メッセージは、第１コアネットワーク装置又は第１サービスアプリケーションサーバに、第１セルの無線チャネル品質が第１サービスのサービス要件を満たさないことを通知するために使用される。
【０２５５】
第１通知メッセージは、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び第１サービスの帯域幅情報、のうちの少なくとも１つを伝達する。
【０２５６】
第１セルの無線チャネル品質がUEのコーデック情報リストの中の少なくとも１種類のコーデック情報により要求される無線チャネル品質を満たすと決定した後に、アクセスネットワーク装置は、推奨コーデック情報を決定し得ることが理解され得る。推奨コーデック情報は、アクセスネットワーク装置によりUEのコーデック情報リストから選択され且つUE及びサービスアプリケーションサーバの両者によりサポートされるコーデック情報であって良く、推奨コーデック情報は、第１セルによりサポートされるコーデック情報の中の１片のコーデック情報である。
【０２５７】
Ｓ８０６。第１サービスアプリケーションサーバは、第１コアネットワーク装置又はアクセスネットワーク装置から第１通知メッセージを受信する。
【０２５８】
Ｓ８０７。アクセスネットワーク装置は、第１ネットワークの第２セルにUEをハンドオーバする。
【０２５９】
Ｓ８０８。アクセスネットワーク装置は、第２ネットワークの第３セルにUEをハンドオーバする。
【０２６０】
本実施形態では、第１ネットワークは前述の実施形態における第１ネットワークと同じであり、第２ネットワークは前述の実施形態における第２ネットワークと同じであり、第１ネットワーク及び第２ネットワークの詳細な説明については、前述の実施形態の関連する内容を参照する。
【０２６１】
本願の本実施形態において提供されるサービス設定方法では、アクセスネットワーク装置により受信された第１設定要求は第１サービスのサービス要件を伝達するので、アクセスネットワーク装置が第１設定要求を受け入れた（具体的に言うと、第１設定応答をサービスアプリケーションサーバへ送信した）後に、UEの位置するセルの無線チャネル品質が第１サービスのサービス要件を満たさない場合、アクセスネットワーク装置は、サービスに無線リソースを割り当てることを拒否し、同時に、サービスアプリケーションサーバに「第１セルの無線チャネル品質は第１サービスのサービス要件を満たさない」ことを通知するために使用される第１通知メッセージを、サービスアプリケーションサーバへ送信し、又は別のセル内で第１サービスの設定を達成するために、別のセルにUEをハンドオーバする。本ソリューションを用いて、ネットワーク側は、サービス設定の承認閾（具体的に言うと、サービスのサービス要件を適応的に決定し得る。それにより、経験値にのみ基づき承認閾を決定することにより引き起こされる誤り及び柔軟性欠如のような問題を回避する。さらに、UEのセルの信号品質が承認閾に達しないシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０２６２】
本願の本実施形態の一実装では、第１サービスアプリケーションサーバは、被設定サービスのサービス要件に含まれる指示情報を用いて、第１セルの無線チャネル品質が第１サービスのサービス要件を満たさないとき、第１通知メッセージにより第１サービスアプリケーションサーバに直接応答するよう又はUEを別のセルにハンドオーバするよう、アクセスネットワーク装置に指示し、具体的に言うと、第１セルの無線チャネル品質が被設定サービスのサービス要件を満たさないとき、Ｓ８０５、Ｓ８０７、又はＳ８０８のうちの１つを実行することを決定するよう、アクセスネットワーク装置に指示して良い。
【０２６３】
具体的には、図９に示されるように、図８のＳ８０５はＳ８０５’で置き換えられて良く、Ｓ８０７はＳ８０７’で置き換えられて良く、Ｓ８０８はＳ８０８’で置き換えられて良い。
【０２６４】
Ｓ８０５’。第１サービスのサービス要件が第１指示情報を含むと決定した場合、アクセスネットワーク装置は、第１通知メッセージを第１コアネットワーク装置又は第１サービスアプリケーションサーバへ送信する。
【０２６５】
第１指示情報は、アクセスネットワーク装置に、第１セルの無線チャネル品質が第１サービスのサービス要件を満たさないとき、第１通知メッセージを第１コアネットワーク装置又は第１サービスアプリケーションサーバへ送信するよう指示するために使用される。
【０２６６】
Ｓ８０７’。アクセスネットワーク装置が、第１サービスのサービス要件は第２指示情報を含むと決定し、且つアクセスネットワーク装置が、無線チャネル品質が第１サービスのサービス要件を満たす第２セルが存在すると決定した場合、アクセスネットワーク装置は、第２セルにUEをハンドオーバする。
【０２６７】
第２指示情報は、アクセスネットワーク装置に、第１セルの無線チャネル品質が第１サービスのサービス要件を満たさないとき、UEを第２セルにハンドオーバするよう指示するために使用される。
【０２６８】
Ｓ８０８’。アクセスネットワーク装置が、第１サービスのサービス要件は第３指示情報を含むと決定し、且つアクセスネットワーク装置が、無線チャネル品質が第１サービスのサービス要件を満たす第３セルが存在すると決定した場合、アクセスネットワーク装置は、第３セルにUEをハンドオーバする。
【０２６９】
第３指示情報は、アクセスネットワーク装置に、第１セルの無線チャネル品質が第１サービスのサービス要件を満たさないとき、UEを第３セルにハンドオーバするよう指示するために使用される。
【０２７０】
更に、図９に示されるＳ８０３の前に、本願の本実施形態における方法は、Ｓ８０９を更に含む。
【０２７１】
Ｓ８０９。アクセスネットワーク装置は、第１セルの無線チャネル品質が第１サービスのサービス要件を満たすと決定する。
【０２７２】
留意すべきことに、本願の本実施形態では、アクセスネットワーク装置により、無線チャネル品質が第１サービスのサービス要件を満たす第２セル又は第３セルが存在することを決定する方法は、アクセスネットワーク装置により、無線チャネル品質が被設定サービスのサービス要件を満たす第２セルが存在すると決定する方法と同様であり、詳細は本願の本実施形態において再び記載されない。
【０２７３】
更に、図１０に示されるように、図９に示されるＳ８０２の後に、本願の本実施形態における方法は、Ｓ８１０を更に含む。
【０２７４】
Ｓ８１０。アクセスネットワーク装置は、第１サービスに無線リソースを割り当てる。
【０２７５】
さらに、無線チャネル品質が第１サービスのサービス要件を満たす第２セル又は第３セルが存在しないとき、図１１に示されるように、本願の本実施形態における方法はＳ８１１及びＳ８１２を更に含んで良い。
【０２７６】
Ｓ８１１。アクセスネットワーク装置が、無線チャネル品質が第１サービスのサービス要件を満たす第２セル又は第３セルが存在しないと決定した場合、アクセスネットワーク装置は、第１コアネットワーク装置又は第１サービスアプリケーションサーバへ第２通知メッセージを送信する。
【０２７７】
第２通知メッセージは、第１セルの無線チャネル品質が第１サービスのサービス要件を満たさないこと、及び無線チャネル品質が第１サービスのサービス要件を満たす第２セル又は第３セルが存在しないことを、第１コアネットワーク装置又は第１サービスアプリケーションサーバに通知するために使用される。第２通知メッセージは、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び第１サービスの帯域幅情報、のうちの少なくとも１つを伝達する。
【０２７８】
Ｓ８１２。第１サービスアプリケーションサーバは、アクセスネットワーク装置又は第１コアネットワーク装置から第２通知メッセージを受信する。
【０２７９】
更に、図１０に示されるＳ８１０の後に、本願の本実施形態における方法は、Ｓ８１３を更に含む。
【０２８０】
Ｓ８１３。アクセスネットワーク装置が、無線チャネル品質が第１サービスのサービス要件を満たす第２セル又は第３セルが存在しないと決定した場合、アクセスネットワーク装置は、第１サービスに割り当てられた無線リソースを削除する。
【０２８１】
第１通知メッセージ又は第２通知メッセージを受信した後に、第１サービスアプリケーションサーバは、第１セルの無線チャネル品質が第１サービスのサービス要件を満たさないと決定し、次に、第１サービスの更新サービス要件を伝達する第１サービス変更要求をアクセスネットワーク装置へ送信して良い。具体的に、Ｓ８０５、Ｓ８０５’、又はＳ８１１の後に、本願の本実施形態における方法は、Ｓ８１４を更に含んで良い。
【０２８２】
Ｓ８１４。第１サービスアプリケーションサーバは、アクセスネットワーク装置又は第１コアネットワーク装置へ第１サービス変更要求を送信する。ここで、第１サービス変更要求は、第１サービスの更新サービス要件を伝達する。
【０２８３】
Ｓ８１５。アクセスネットワーク装置は、第１コアネットワーク装置又は第１サービスアプリケーションサーバから第１サービス変更要求を受信する。
【０２８４】
留意すべきことに、アクセスネットワーク装置により、第１コアネットワーク装置又は第１サービスアプリケーションサーバから第１サービス変更要求を受信する方法は、アクセスネットワーク装置により、コアネットワーク装置又は第１サービスアプリケーションサーバから第１設定要求を受信する方法と同様であり、詳細は本願の本実施形態において再び記載されない。
【０２８５】
第１サービス変更要求を受信した後に、アクセスネットワーク装置は、第１セルの無線チャネル品質が第１サービス変更要求の中で伝達される第１サービスの更新サービス要件を満たすか否かを決定して良いことが理解され得る。アクセスネットワーク装置により、第１セルの無線チャネル品質が第１サービスの更新サービス要件を満たすか否かを決定する方法については、アクセスネットワーク装置により、第１セルの無線チャネル品質が被設定サービスのサービス要件を満たすか否かを決定する方法を参照し、詳細は本願の本実施形態において再び記載されない。
【０２８６】
本願の本実施形態では、第１サービスは前述の実施形態における被設定サービスと同様であり、第１サービスのコーデック情報は第１コーデック情報であって良く、第１サービスの更新コーデック情報は第２コーデック情報であって良い。第１サービス変更要求を送信するとき、第１サービスアプリケーションサーバは、第１サービスの更新コーデック情報が第２コーデック情報であると決定し、第１サービスのコーデック情報を第１コーデック情報から第２コーデック情報に変更して良い。第１サービスアプリケーションサーバは、さらに、UEへ第２メッセージを送信して良い。第２メッセージは、第１サービスのコーデック情報が第１コーデック情報から第２コーデック情報に変更されたことを指示するために使用される。
【０２８７】
第１サービスアプリケーションサーバは、第１コーデック情報に対応する無線チャネル要件が第２コーデック情報に対応する無線チャネル要件より高いことを決定すると、第１サービスのコーデック情報を第１コーデック情報から第２コーデック情報に変更し、第２メッセージをUEへ送信して良いことが理解され得る。
【０２８８】
さらに、アクセスネットワーク装置は、別のサービスアプリケーションサーバからであり且つ第１サービスと異なる別のサービスを設定するために使用されるサービス設定要求を更に受信して良い。具体的に、アクセスネットワーク装置は、第２コアネットワーク装置又は第２サービスアプリケーションサーバから第２設定要求を受信して良い。第２設定要求は第２サービスのサービス要件を伝達し、第２サービスのサービス要件は、アクセスネットワーク装置に、第２サービスを実行するためにUEに対して要求される無線チャネル品質要件を指示するために使用される。第２サービスのサービス要件が第１サービスのサービス要件より高いことを決定した後に、アクセスネットワーク装置は、第２測定制御コマンドをUEに配信して良い。第２測定制御コマンドは、UEに、第１セルの無線チャネル品質を測定し、第１セルの無線チャネル品質が第２サービスのサービス要件を満たさないとき、第２測定報告をアクセスネットワーク装置へ送信するよう指示するために使用される。第２測定報告は、アクセスネットワーク装置に、第１セルの無線チャネル品質が第２サービスのサービス要件を満たさないことを指示するために使用される。
【０２８９】
留意すべきことに、本願の本実施形態では、第１サービスアプリケーションサーバは、さらに、第１サービスのサービス要件を伝達する第１設定要求をアクセスネットワーク装置へ送信する前に、第１サービスのサービス要件を決定して良い。第１サービスアプリケーションサーバにより、第１サービスのサービス要件を決定する方法は、前述の実施形態における「サービスアプリケーションサーバにより、被設定サービスのサービス要件を決定する」方法と同様であり、詳細は本願の本実施形態において再び記載されない。
【０２９０】
第１サービスのサービス要件を決定する前に、第１サービスアプリケーションサーバは、第１サービスのサービス要件を決定するために使用される「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」（簡単に、サービス要件取得情報として参照される）を更に取得して良い。第１サービスアプリケーションサーバにより、サービス要件取得情報を取得する方法については、前述の実施形態におけるＳ５０１〜Ｓ５０４の関連する記載を参照し、詳細は本願の本実施形態において再び記載されない。
【０２９１】
さらに、第１サービスアプリケーションサーバにより、第１サービスの更新サービス要件を決定する方法は、前述の実施形態における「サービスアプリケーションサーバにより、被設定サービスの更新サービス要件を決定する」方法（具体的に言うと、Ｓ６０１〜Ｓ６０５の関連する記載）と同様であり、詳細は本願の本実施形態において再び記載されない。
【０２９２】
以下は、一例として４GネットワークにおけるVoLTEサービス設定処理を用いて、本願の実施形態におけるサービス設定方法を詳細に記載する。本願の実施形態では、UEは、VoLTEサービスの発信側UE及び着信側UEであって良く、相応して、アクセスネットワーク装置は、発信側UEに対応するeNB又は着信側UEに対応するeNBであって良く、サービスアプリケーションサーバは、発信側UEに対応するIMSコアネットワーク装置（例えば、P-CSCF／S-CSCF／SCC  AS／ATCF）又は着信側UEに対応するIMSコアネットワーク装置であって良い。
【０２９３】
図１１Ａ及び図１１Ｂに示されるように、本願の一実施形態において提供されるサービス設定方法は、以下のステップを含んで良い。
【０２９４】
Ｓ１１０１。IMSコアネットワーク装置は、発信側UEからVoLTEサービス要求メッセージを受信し、発信側UE及び着信側UEのためにビデオセッションを設定し、サービス要件（例えば、コーデック情報）交渉を実行する。
【０２９５】
Ｓ１１０２。IMSコアネットワーク装置は、VoLTEサービスのMOS要件、UEの位置するセルの無線チャネル品質、UEの端末種別情報、UEによりアクセスされるキャリア周波数に関する情報、UEの位置情報、ビデオ呼サービスのコーデック情報、UEの位置するセルの負荷情報、UEの位置するセルのRAT情報、及びビデオ呼サービスの帯域幅情報、のうちの少なくとも１つに基づき、VoLTEサービスのサービス要件を決定する。
【０２９６】
Ｓ１１０３。IMSコアネットワーク装置は、VoLTEサービスの第１設定要求をeNBへ送信して、VoLTEサービスに無線リソースを割り当てるようeNBをトリガする。ここで、第１設定要求は、VoLTEサービスのサービス要件を伝達する。
【０２９７】
Ｓ１１０４。eNBは、VoLTEサービスの第１設定要求を受信する。
【０２９８】
図１１Ａ及び図１１Ｂに示されるように、Ｓ１１０４は具体的に、eNBにより、VoLTEサービスのRSRP要件を伝達する生成ベアラ要求を受信するステップであって良い。
【０２９９】
留意すべきことに、本願の本実施形態におけるＳ１１０１〜Ｓ１１０４の詳細な説明については、前述の実施形態におけるＳ７０１〜Ｓ７０４における関連する内容が参照されて良く、詳細は本願の本実施形態において再び記載されない。
【０３００】
Ｓ１１０５。eNBは、UEの位置する４Gネットワークセルの無線チャネル品質がVoLTEサービスのサービス要件を満たすと決定する。
【０３０１】
eNBにより、UEの位置する４Gネットワークセルの無線チャネル品質がビデオ呼サービスのサービス要件を満たすと決定する方法については、前述の実施形態における、eNBにより、UEの位置する４Gネットワークセルの無線チャネル品質がビデオ呼サービスのサービス要件を満たすと決定する方法を参照し、詳細は本願の本実施形態において再び記載されない。
【０３０２】
Ｓ１１０６。eNBは、VoLTEサービスに無線リソースを割り当てる。
【０３０３】
Ｓ１１０７。eNBは、第１設定応答をIMSコアネットワーク装置へ送信する。
【０３０４】
第１設定応答は、IMSコアネットワーク装置に、アクセスネットワーク装置が第１設定要求を受け入れたことを通知するために使用される。
【０３０５】
図１１Ａ及び図１１Ｂに示されるように、図１１Ａ及び図１１Ｂは、本願の本実施形態の一実装における、eNBにより、IMSコアネットワーク装置へ第１設定応答を送信する特定の方法を示す。図１１Ａ及び図１１Ｂにおける、eNBにより、第１設定応答をIMSコアネットワーク装置へ送信する特定の方法の詳細な説明については、前述の実施形態におけるＳ７０６の関連する記載を参照し、詳細は本願の本実施形態において再び記載されない。
【０３０６】
強調されるべきことに、図７Ａ及び図７Ｂにおける生成ベアラ応答、CCRメッセージ、RARメッセージ、又はASRメッセージと異なり、図１１Ａ及び図１１Ｂに示される生成ベアラ応答、CCRメッセージ、RARメッセージ、又はASRメッセージは、「eNBがビデオ呼サービスのサービス要件により指示される無線チャネル品質を提供できないことを指示する指示情報」を伝達しないが、「eNBが第１設定要求（具体的に言うと、VoLTEサービスのサービス設定要求）を受け入れたことを指示する指示情報」又は「無線リソースが成功裏に予約されたことを指示する指示情報」を伝達する。
【０３０７】
図１１Ａ及び図１１Ｂに示される実装に加えて、eNBは、eNBとIMSコアネットワーク装置との間のインタフェースを用いて、又はユーザプレーンデータパケットを用いて、IMSコアネットワーク装置へ第１設定応答を更に送信して良い。eNBにより、eNBとIMSコアネットワーク装置との間のインタフェースを用いて又はユーザプレーンデータパケットを用いて、IMSコアネットワーク装置へ第１設定応答を送信する方法については、前述の実施形態におけるＳ７０６の関連する記載を参照し、詳細は本願の本実施形態において再び記載されない。
【０３０８】
さらに、ネットワーク内の各セルの無線チャネル品質は常に変化し得るので、Ｓ１１０７の後に、UEの位置する４Gネットワークセルの無線チャネル品質は変化することがあり、変化した無線チャネル品質はVoLTEサービスのサービス要件を満たさない。この場合、本願の本実施形態における方法は、以下のステップを更に含んで良い。
【０３０９】
Ｓ１１０８。eNBは、UEの位置する４Gネットワークセルの無線チャネル品質がVoLTEサービスのサービス要件を満たさないと決定する。
【０３１０】
eNBにより、UEの位置する４Gネットワークセルの無線チャネル品質がVoLTEサービスのサービス要件を満たさないと決定する特定の方法については、前述の実施形態における、eNBにより、UEの位置する４Gネットワークセルの無線チャネル品質がビデオ呼サービスのサービス要件を満たさないと決定する方法を参照し、詳細は本願の本実施形態において再び記載されない。
【０３１１】
Ｓ１１０９。VoLTEサービスのサービス要件が第１指示情報を含むと決定した場合、eNBは、IMSコアネットワーク装置へ第１通知メッセージを送信する。
【０３１２】
第１通知メッセージは、IMSコアネットワーク装置に、UEの位置する４Gネットワークセルの無線チャネル品質がVoLTEサービスのサービス要件を満たさないことを通知するために使用される。第１通知メッセージは、UEの位置する４Gネットワークセル（具体的に言うと、第１セル）の無線チャネル品質、UEの端末種別情報、UEによりアクセスされるキャリア周波数に関する情報、UEの位置情報、UEの位置する４Gネットワークセルの負荷情報、UEの位置する４GネットワークのRAT情報、及びVoLTEサービスの帯域幅情報、のうちの少なくとも１つを伝達する。
【０３１３】
本願の本実施形態における第１通知メッセージは、標準で当面定められない新しいメッセージであって良い。代替として、図１１Ａ及び図１１Ｂに示されるように、Ｓ１１０９において、eNBにより、第１通知メッセージをIMSコアネットワーク装置へ送信する特定の方法については、前述の実施形態のＳ７０６における、eNBにより、第１設定応答をIMSコアネットワーク装置へ送信する特定の方法を参照し、詳細は本願の本実施形態において再び記載されない。
【０３１４】
図１１Ａ及び図１１Ｂに示される実装に加えて、eNBは、更に、eNBとIMSコアネットワーク装置との間のインタフェースを用いて、IMSコアネットワーク装置へ第１通知メッセージを直接送信して良い。代替として、eNBは、ユーザプレーンデータパケットを用いて、第１通知メッセージをIMSコアネットワーク装置へ送信して良い。
【０３１５】
留意すべきことに、eNBにより、eNBとIMSコアネットワーク装置との間のインタフェースを用いて又はユーザプレーンデータパケットを用いて、第１通知メッセージをIMSコアネットワーク装置へ送信する特定の方法については、前述の実施形態２における、eNBにより、eNBとIMSコアネットワーク装置との間のインタフェースを用いて又はユーザプレーンデータパケットを用いて、第１設定応答をIMSコアネットワーク装置へ送信する方法が参照されて良く、詳細は本願の本実施形態において再び記載されない。
【０３１６】
さらに、本願の本実施形態における方法は、
eNBが、VoLTEサービスのサービス要件が第２指示情報を含むと決定し、且つeNBが、無線チャネル品質がVoLTEサービスのサービス要件を満たす第２セルが存在すると決定した場合、eNBにより、UEを第２セルにハンドオーバするステップ、又は、
eNBが、VoLTEサービスのサービス要件が第３指示情報を含むと決定し、且つeNBが、無線チャネル品質がVoLTEサービスのサービス要件を満たす第３セルが存在すると決定した場合、eNBにより、UEを第３セルにハンドオーバするステップ、を更に含んで良い。
【０３１７】
留意すべきことに、本願の本実施形態における、eNBにより、UEを第２セル又は第３セルにハンドオーバする特定の方法については、前述の実施形態における詳細な説明が参照されて良く、詳細は本願の本実施形態において再び記載されない。
【０３１８】
無線チャネル品質がVoLTEサービスのサービス要件を満たす第２セル又は第３セルが存在しないことがある。この場合、図７Ａ及び図７Ｂに示されるように、本願の本実施形態における方法は、eNBが無線チャネル品質がVoLTEサービスのサービス要件を満たす第２セル又は第３セルは存在しないと決定した場合、eNBにより、IMSコアネットワーク装置へ第２通知メッセージを送信するステップと、IMSコアネットワーク装置により、eNBから第２通知メッセージを受信するステップと、を更に含んで良い。第２通知メッセージは、第１セルの無線チャネル品質がVoLTEサービスのサービス要件を満たさないこと、及び無線チャネル品質がVoLTEサービスのサービス要件を満たす第２セル又は第３セルが存在しないことを、IMSコアネットワーク装置に通知するために使用される。第２通知メッセージは、UEの位置する４Gネットワークセル（具体的に言うと、第１セル）の無線チャネル品質、UEの端末種別情報、UEによりアクセスされるキャリア周波数に関する情報、UEの位置情報、UEの位置する４Gネットワークセルの負荷情報、UEの位置する４GネットワークのRAT情報、及びVoLTEサービスの帯域幅情報、のうちの少なくとも１つを伝達する。
【０３１９】
Ｓ１１１０。IMSコアネットワーク装置は、受信した第１通知メッセージ又は受信第２通知メッセージに基づき、VoLTEサービスの更新サービス要件を決定する。
【０３２０】
留意すべきことに、IMSコアネットワーク装置により、受信した第１通知メッセージ又は第２通知メッセージに基づき、VoLTEサービスの更新サービス要件を決定する方法については、Ｓ７０７における、IMSコアネットワーク装置により、受信第１設定応答又は第２設定応答に基づき、ビデオ呼サービスの更新サービス要件を決定する方法が参照されて良く、詳細は本願の本実施形態において再び記載されない。
【０３２１】
Ｓ１１１１。IMSコアネットワーク装置は、VoLTEサービスの第１サービス変更要求をeNBへ送信する。ここで、第１サービス変更要求は、VoLTEサービスの更新サービス要件を伝達する。
【０３２２】
例えば、図１１Ａ及び図１１Ｂに示されるように、Ｓ１１１１において、IMSコアネットワーク装置により、VoLTEサービスの第１サービス変更要求をeNBへ送信する特定の方法については、前述の実施形態のＳ７０８における、IMSコアネットワーク装置により、ビデオ呼サービスの第２設定要求をeNBへ送信する特定の方法を参照し、詳細は本願の本実施形態において再び記載されない。
【０３２３】
Ｓ１１１２。eNBは、IMSコアネットワーク装置から第１サービス変更要求を受信する。
【０３２４】
図１１Ａ及び図１１Ｂに示されるように、eNBにより、IMSコアネットワーク装置から第１サービス変更要求を受信するステップは、具体的に、更新RSRP要件を伝達する生成ベアラ要求を受信するステップであって良い。
【０３２５】
VoLTEサービスの更新サービス要件を受信した後に、eNBは、継続して、UEの位置する４Gネットワークセルの無線チャネル品質がVoLTEサービスの更新サービス要件を満たすか否かを決定し、後続の対応する処理を実行して良い。図１１Ａ及び図１１Ｂに示されるように、本願の本実施形態における方法は、Ｓ１１１２及び後続の動作を更に含んで良い。Ｓ１１１２の後に、eNBは、UEの位置する４Gネットワークセルの無線チャネル品質が、第１サービス変更要求の中で伝達されるVoLTEサービスの更新サービス要件を満たすか否かを決定して良い。
【０３２６】
さらに、本願の本実施形態では、IMSコアネットワーク装置は、第１通知メッセージ又は第２通知メッセージを受信した後に、VoLTEサービスを終了して良い。IMSコアネットワーク装置により、第１通知メッセージ又は第２通知メッセージに基づき、VoLTEサービスを終了する方法については、前述の実施形態２における、IMSコアネットワーク装置により、第１設定応答又は第２設定応答に基づき、ビデオ呼サービスを終了する方法を参照し、詳細は本願の本実施形態において再び記載されない。
【０３２７】
本願の本実施形態において提供されるサービス設定方法では、UEのためにVoLTEサービスを設定する処理において、IMSコアネットワーク装置は、VoLTEサービスのサービス要件をeNBへ配信して良い。eNBは、VoLTEサービスのサービス要件を伝達するサービス設定要求を受信して良い。相応して、eNBは、VoLTEサービスの受信したサービス要件を、VoLTEサービス設定の承認閾として使用して良い。具体的に言うと、UEの位置するセルの無線信号品質がVoLTEサービスのサービス要件を満たさないとき、eNBは、VoLTEサービスに無線リソースを割り当てることを拒否し、同時に、IMSコアネットワーク装置に通知して良く、このセル内でVoLTEサービス設定を達成するために、IMSコアネットワーク装置がVoLTEサービスのサービス要件に対応する調整を行うようにする。代替として、eNBは、別のセルにおいてVoLTEサービス設定を達成するために、サービス要件を満たすことのできる別の４Gセル又は２G／３GセルにUEをハンドオーバして良い。本ソリューションを用いて、ネットワーク側は、要件に依存してサービス設定の承認閾を適応的に決定し得る。それにより、経験値にのみ基づき承認閾を決定することにより引き起こされる誤り及び柔軟性欠如のような問題を回避する。さらに、UEのセルの信号品質が承認閾に達しないシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０３２８】
留意すべきことに、前述の実施形態は、単に一例として４Gネットワーク内のVoLTEサービスを用いて、本願の実施形態において提供されるサービス設定方法を記載した。
【０３２９】
さらに、VoLTEサービスが発信側UE、VoLTEサービスを担うIMSコアネットワーク装置（IMSコアネットワーク装置１としてマークされ、これは前述の実施形態における第１サービスアプリケーションサーバであって良い）、及び着信側UEの間で成功裏に設定された後に、発信側UEは、測定報告閾として、VoLTEサービスを担うIMSコアネットワーク装置により配信されたVoLTEサービスのサービス要件を保存して良い。本願の本実施形態では、第２サービス（例えば、ビデオ呼サービス）を担うIMSコアネットワーク装置は、IMSコアネットワーク装置２としてマークされ、具体的に言うと、前述の実施形態における第２サービスアプリケーションサーバであって良い。VoLTEサービスは前述の実施形態における第１サービスであり、ビデオ呼サービスは前述の実施形態における第２サービスである。具体的に、本願の本実施形態における方法は、Ｓ１２０１を更に含んで良い。
【０３３０】
Ｓ１２０１。IMSコアネットワーク装置２は、第２設定要求をeNBへ送信して、ビデオ呼サービスに無線リソースを割り当てるようeNBをトリガする。ここで、第２設定要求は、ビデオ呼サービスのサービス要件を伝達する。
【０３３１】
Ｓ１２０２。eNBは、IMSコアネットワーク装置２から第２設定要求を受信する。
【０３３２】
Ｓ１２０３。eNBは、VoLTEサービスのサービス要件がビデオ呼サービスのサービス要件より低いと決定する。
【０３３３】
例えば、VoLTEサービスのサービス要件及びビデオ呼サービスのサービス要件の両方がRSRP要件である一例を用いると、eNBは、VoLTEサービスのRSRP要件をビデオ呼サービスのRSRP要件と直接比較して良い。VoLTEサービスのRSRP要件が−１１５dBmであり、且つビデオ呼サービスのRSRP要件が−１１０dBmであると仮定すると、eNBは、VoLTEサービスのサービス要件がビデオ呼サービスのサービス要件より低いと決定する。
【０３３４】
代替として、VoLTEサービスのサービス要件の特定パラメータがビデオ呼サービスのサービス要件の特定パラメータと異なる、例えば、VoLTEサービスのサービス要件がRSRP要件（これは具体的に−１１５dBmである）であり、ビデオ呼サービスのサービス要件がSINR要件（これは具体的に３dBmである）であるとき、eNBは、先ずビデオ呼サービスのSINR要件をRSRP要件（例えば-１１０dBm）にマッピングして良く、又は先ずVoLTEサービスのRSRP要件をSINR要件（例えば２dBm）にマッピングして良く、次に比較を実行して良い。
【０３３５】
Ｓ１２０４。eNBは、UEの現在位置する４Gセルの無線チャネル品質がビデオ呼サービスのサービス要件を満たすことができないと決定する。
【０３３６】
Ｓ１２０４の後に、Ｓ１１０９及び後続の処理が実行されて良い。
【０３３７】
本願の本実施形態において提供されるサービス設定方法では、UEがVoLTEサービス及びビデオ呼サービスの両方を実行するシナリオで、eNBは、２つのサービスのサービス要件を比較し、より高いサービス要件、例えばビデオ呼サービスのサービス要件を、UEの測定報告閾として選択して良い。これは、eNBが、時宜を得た方法で、UEの位置するセルのダウンリンク無線チャネル品質が現在サービス（例えばビデオ呼サービス）のサービス要件の対応するハンドオーバ閾に達したか否かを決定し、時宜を得た方法で、ビデオ呼サービスの要件を満たすことのできる別のセルへのUEのハンドオーバをトリガする、又は時宜を得た方法で、対応するサービスのサービス要件を変更するようサービスアプリケーションサーバに指示することを助ける。さらに、ビデオ呼サービスのサービス要件がVoLTEサービスのサービス要件より高い場合、UEの位置するセルのダウンリンク無線チャネル品質がビデオ呼サービスのサービス要件を満たすならば、UEの位置するセルのダウンリンク無線チャネル品質は、VoLTEサービスのサービス要件を満たすことができ、VoLTEサービスの正常な実行を保証し、音声呼品質を保証する。
【０３３８】
留意すべきことに、本願の実施形態における方法は、単に、VoLTEサービス及びビデオ呼サービスの両方が本願の本実施形態において実行される一例を用いて記載された。本願の本実施形態における方法は、複数の他の種類のサービスに拡張され得る。
【０３３９】
さらに、本願の本実施形態では、IMSコアネットワーク装置は、更に、リアルタイムにVoLTEサービスのサービス要件を更新して良い。
【０３４０】
例えば、VoLTEサービスのサービス要件に影響するパラメータは、限定ではないが、UEの位置する４Gネットワークセルの無線チャネル品質（例えばRSRP、RSRQ、又はSINR）、UEの位置、UEによりアクセスされるキャリア周波数に関する情報、時間情報、UEの位置する４Gネットワークセルの負荷情報、VoLTEサービスのコーデック情報、及びVoLTEサービスの帯域幅情報を含む。IMSコアネットワーク装置は、パラメータの変化に基づき、リアルタイムにVoLTEサービスのサービス要件を更新して良い。リアルタイムにVoLTEサービスのサービス要件を更新する前に、IMSコアネットワーク装置は、UEから、VoLTEサービスのサービス要件に影響するパラメータを取得して良い。
【０３４１】
ネットワークユーザの数の変化に適応するために、IMSコアネットワーク装置は、更に、異なる時間期間におけるVoLTEサービスのためにeNBへ異なるサービス要件を配信して良いことが理解され得る。例えば、ビジー時間（例えば、日中に多数のユーザが存在するとき）に配信されるRSRP要件は−１１０dBmであって良く、アイドル時間（夜間に少数のユーザが存在するとき）に配信されるRSRP要件は−１２０dBmであって良い。IMSコアネットワーク装置が、時間情報がビジー時間からアイドル時間に変化することを検出した場合、IMSコアネットワーク装置は、RSRP要件が−１１０dBmから−１２０dBmに更新され得ることを決定して良い。
【０３４２】
代替として、発信側UE、IMSコアネットワーク装置、及び着信側UEの間に関する交渉されたコーデック情報が変化するとき、IMSコアネットワーク装置は、VoLTEサービスのサービス要件を現在コーデック情報に対応するサービス要件に更新して良い。
【０３４３】
代替として、IMSコアネットワーク装置は、VoLTEサービスのMOSの変化に基づき、リアルタイムにVoLTEサービスのサービス要件を更新して良い。例えば、VoLTEサービスの現在のMOSは、３．５であり、VoLTEサービスのMOS要件のプリセット値４より低い。次に、IMSコアネットワーク装置は、VoLTEサービスのサービス要件を３．５のMOSに対応するサービス要件に更新して良い。
【０３４４】
本願の本実施形態において提供されるサービス設定方法では、VoLTEサービスのサービス要件は、VoLTEサービスの正常実行を保証するため及び音声呼品質を保証するために、リアルタイムに更新されて良い。
【０３４５】
以上は、主に、アクセスネットワーク装置と、サービスアプリケーションサーバ及びコアネットワーク装置のような装置との間の相互作用の観点から、本願の実施形態のソリューションを記載した。前述の機能を実装するために、アクセスネットワーク装置及びサービスアプリケーションサーバは、該機能に対応するハードウェア構造及び／又はソフトウェアモジュールを含むことが理解され得る。当業者は、本願明細書に開示された実施形態を参照して記載された例のアクセスネットワーク装置、サービスアプリケーションサーバ、及びアルゴリズムステップが本願のハードウェア又はハードウェアとコンピュータソフトウェアとの組み合わせにより実装できることを容易に理解すべきである。機能がハードウェアにより又はコンピュータソフトウェアにより駆動されるハードウェアにより実行されるかは、技術的ソリューションの特定の適用及び設計制約条件に依存する。当業者は、各々の特定の適用について記載の機能を実施するために異なる方法を使用し得るが、実装が本願の範囲を超えると考えられるべきではない。
【０３４６】
本願の実施形態では、モジュール又はユニット分割は、方法の例に基づきアクセスネットワーク装置又はサービスアプリケーションサーバに対して実行され得る。例えば、各モジュール又はユニットは、各対応する機能についての分割を通じて得られて良く、又は、少なくとも２つの機能が１つの処理モジュールに統合されて良い。本願の実施形態におけるモジュール又はユニット分割は、一例であり、単に論理的機能分割であり、実際の実装中に別の分割方法があって良い。
【０３４７】
図１２は、前述の実施形態において使用されるアクセスネットワーク装置の可能な概略構造図である。アクセスネットワーク装置１２００は、受信モジュール１２０１、決定モジュール１２０２、送信モジュール１２０３、及びハンドオーバモジュール１２０４を含む。受信モジュール１２０１は、サービスアプリケーションサーバ、コアネットワーク装置、及びUEのような装置から、要求メッセージ又は別の種類のメッセージを受信するよう構成される。例えば、受信モジュール１２０１は、図３〜図６のいずれか１つのＳ３０２、図６のＳ３１１、図７Ａ及び図７ＢのＳ７０４及びＳ７０９、図８〜図１０のいずれか１つのＳ８０２、図１１Ａ及び図１１ＢのＳ１１０４及びＳ１１１２、及び／又は本願明細書に記載の技術の他の処理をサポートするよう構成される。決定モジュール１２０２は、UEの位置する第１ネットワークの第１セルの無線チャネル品質が被設定サービスのサービス要件を満たすか否かを決定するよう構成される。例えば、決定モジュール１２０２は、図３〜図６のいずれか１つのＳ３０３、図７Ａ及び図７ＢのＳ７０５及びＳ７１０、図８〜図１０のいずれか１つのＳ８０４、図１１Ａ及び図１１ＢのＳ１１０５及びＳ１１０８、及び／又は本願明細書に記載の技術の他の処理をサポートするよう構成される。送信モジュール１２０３は、サービスアプリケーションサーバ、コアネットワーク装置、及びUEのような装置へ、応答メッセージ、クエリメッセージ、又は別の種類のメッセージを送信するよう構成される。例えば、送信モジュール１２０３は、図３のＳ３０４、図４〜図６のいずれか１つのＳ３０４’、図５又は図６のＳ３０８、図７Ａ及び図７ＢのＳ７０６及びＳ７１１、図８のＳ８０３及びＳ８０５、図９のＳ８０３及びＳ８０５’、図１０のＳ８０３、Ｓ８１１、及びＳ８０５’、図１１Ａ及び図１１ＢのＳ１１０７及びＳ１１０９、及び／又は本願明細書に記載の技術の他の処理をサポートするよう構成される。ハンドオーバモジュール１２０４は、決定モジュール１２０２が第１セルの無線チャネル品質は被設定サービスのサービス要件を満たさないと決定すると、セル間でUEをハンドオーバするよう構成される。例えば、ハンドオーバモジュール１２０４は、図３のＳ３０６及びＳ３０７、図４〜図６のいずれか１つのＳ３０６’及びＳ３０７’、図８のＳ８０７及びＳ８０８、図９又は図１０のＳ８０７’及びＳ８０８’、及び／又は本願明細書に記載の技術の他の処理をサポートするよう構成される。
【０３４８】
アクセスネットワーク装置１２００は、前述の列挙された機能モジュールを含むが、それらに限定されない。例えば、アクセスネットワーク装置１２００は、割当モジュールであって、決定モジュール１２０２が第１セルの無線チャネル品質が被設定サービスのサービス要件を満たすと決定すると、UEに無線リソースを割り当てるよう構成される割当モジュール、及び、削除モジュールであって、決定モジュール１２０２が第１セルの無線チャネル品質は被設定サービスのサービス要件を満たさないと決定すると、割当モジュールによりUEに割り当てられた無線リソースを削除するよう構成される削除モジュール、等を更に含んで良い。さらに、前述の機能モジュールが具体的に実装可能な機能は、前述の例において記載された方法のステップに対応する機能を含み得るが、それらに限定されない。アクセスネットワーク装置１２００の他の機能ユニット及びアクセスネットワーク装置１２００の各機能ユニットの詳細な説明については、対応する方法のステップの詳細な説明を参照し、詳細は本願の本実施形態において再び記載されない。
【０３４９】
モジュールは、ハードウェアを用いて実装されて良く、又はソフトウェア機能モジュール又は機能ユニット用いて実装されて良い。
【０３５０】
統合ユニットが使用されるとき、決定モジュール１２０２、ハンドオーバモジュール１２０４、割当モジュール、及び削除モジュールのような機能モジュールは、実装のために１つの処理ユニットに統合されて良い。処理ユニットは、プロセッサ又は制御部であって良く、例えばCPU、汎用プロセッサ、デジタル信号プロセッサ（英語：Digital  Signal  Processor、略称：DSP）、特定用途向け集積回路（英語：Application  Specific  Integrated  Circuit、略称：ASIC）、フィールドプログラマブルゲートアレイ（英語：Field  Programmable  Gate  Array、略称：FPGA）又は別のプログラマブル論理装置、トランジスタ論理装置、ハードウェアコンポーネント、又はそれらの任意の組み合わせであって良い。プロセッサ又は制御部は、本願で開示された内容を参照して記載された例の論理ブロック図、モジュール及び回路を実装し又は実行して良い。処理ユニットは、コンピューティング機能を実装する組み合わせ、例えば、１又は複数のマイクロプロセッサを含む組み合わせ、又はDSP及びマイクロプロセッサの組み合わせであって良い。受信モジュール１２０１及び送信モジュール１２０３は、実装のために１つの通信ユニットに統合されて良い。通信ユニットは、通信インタフェース、通信機回路、通信機、等であって良い。
【０３５１】
処理ユニットがプロセッサであり、通信ユニットが通信インタフェースであるとき、本願の本実施形態におけるアクセスネットワーク装置１２００は、図１３に示されるアクセスネットワーク装置１３００であって良い。図１３に示されるように、アクセスネットワーク装置１３００は、１又は複数のプロセッサ１３０１、通信機１３０２、メモリ１３０３、及びバス１３０４、を含む。プロセッサ１３０１、通信機１３０２及びメモリ１３０３は、バス１３０４を用いて接続される。メモリは、１又は複数のアプリケーションプログラムを格納するよう構成される。１又は複数のアプリケーションプログラムは命令を含む。アクセスネットワーク装置１３００のプロセッサ１３０１が命令を実行すると、アクセスネットワーク装置１３００は、図３〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３５２】
バス１３０４は、周辺機器相互接続（英語：peripheral  component  interconnect、略称：PCI）バス、拡張業界標準アーキテクチャ（英語：extended  industry  standard  architecture、略称：EISA）バス、等であって良い。バス１３０４は、アドレスバス、データバス、制御バス、等に分類され得る。提示の容易さのために、バスは、図１３に１本の太線のみを用いて表されるが、１本のみのバス又は１種類のみのバスが存在することを示すものではない。
【０３５３】
本願の一実施形態は、不揮発性記憶媒体を更に提供する。不揮発性記憶媒体は、プログラムコードの１又は複数のピースを格納する。アクセスネットワーク装置１３００のプロセッサ１３０１がプログラムコードを実行すると、アクセスネットワーク装置１３００は、図４〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３５４】
本願の本実施形態で提供されるアクセスネットワーク装置内の機能ユニット又は機能モジュールの詳細な説明、及び機能ユニット又は機能モジュールが図４〜図１１Ａ及び図１１Ｂのうちのいずれか１つの関連する方法のステップを実行した後に得られる技術的効果については、本願の方法の実施形態における関連する記載を参照し、詳細はここで再び記載されない。
【０３５５】
図１４は、前述の実施形態において使用されるサービスアプリケーションサーバの可能な概略構造図である。サービスアプリケーションサーバ１４００は、送信モジュール１４０１、及び受信モジュール１４０２を含む。送信モジュール１４０１は、アクセスネットワーク装置、コアネットワーク装置、及びUEのような装置へ、要求メッセージ又は別の種類のメッセージを送信するよう構成される。例えば、送信モジュール１４０１は、図３〜図６のいずれか１つのＳ３０１、図６のＳ３１０、図７Ａ及び図７ＢのＳ７０３及びＳ７０８、図８〜図１０のいずれか１つのＳ８０１、図１１Ａ及び図１１ＢのＳ１１０３及びＳ１１１１、及び／又は本願明細書に記載の技術の他の処理をサポートするよう構成される。受信モジュール１４０２は、アクセスネットワーク装置、コアネットワーク装置、及びUEのような装置から、応答メッセージ、クエリメッセージ、又は別の種類のメッセージを受信するよう構成される。例えば、受信モジュール１４０２は、図３〜図６のいずれか１つのＳ３０５、図５又は図６のＳ３０９、図７Ａ及び図７ＢのＳ７０７、図８〜図１０のいずれか１つのＳ８０６、図１０のＳ８１２、図１１Ａ及び図１１ＢのＳ１１０７及びＳ１１０９、及び／又は本願明細書に記載の技術の他の処理をサポートするよう構成される。
【０３５６】
さらに、図１５に示されるように、サービスアプリケーションサーバ１４００は、決定モジュール１４０３を更に含んで良い。決定モジュール１４０３は、被設定サービスのサービス要件又は被設定サービスの更新サービス要件を決定するよう構成される。例えば、決定モジュール１４０３は、図７Ａ及び図７ＢのＳ７０２及びＳ７０７、図１１Ａ及び図１１ＢのＳ１１０２及びＳ１１１０、及び／又は本願明細書に記載の技術の他の処理をサポートするよう構成される。受信モジュール１４０２は、被設定サービスのサービス要件又は被設定サービスの更新サービス要件を決定するために決定モジュール１４０３により使用される関連情報を受信するよう更に構成されて良い。
【０３５７】
サービスアプリケーションサーバ１４００は、前述の列挙された機能モジュールを含むが、それらに限定されない。例えば、サービスアプリケーションサーバ１４００は、コーデック情報を変更するよう構成された変更モジュールを更に含んで良い。さらに、前述の機能モジュールが具体的に実装可能な機能は、前述の例において記載された方法のステップに対応する機能を含むが、それらに限定されない。サービスアプリケーションサーバ１４００の他の機能ユニット及びサービスアプリケーションサーバ１４００の各機能ユニットの詳細な説明については、対応する方法のステップの詳細な説明を参照し、詳細は本願の本実施形態において再び記載されない。
【０３５８】
統合ユニットが使用されるとき、決定モジュール１４０３及び変更モジュールのような機能モジュールは、実装のために１つの処理ユニットに統合されて良い。処理ユニットは、プロセッサ又は制御部であって良く、例えばCPU、汎用プロセッサ、DSP、ASIC、FPGA、又は別のプログラマブル論理装置、トランジスタ論理装置、ハードウェアコンポーネント、又はそれらの任意の組み合わせであって良い。プロセッサ又は制御部は、本願で開示された内容を参照して記載された例の論理ブロック図、モジュール及び回路を実装し又は実行して良い。処理ユニットは、コンピューティング機能を実装する組み合わせ、例えば、１又は複数のマイクロプロセッサを含む組み合わせ、又はDSP及びマイクロプロセッサの組み合わせであって良い。送信モジュール１４０１及び受信モジュール１４０２は、実装のために１つの通信ユニットに統合されて良い。通信ユニットは、通信インタフェース、通信機回路、通信機、等であって良い。
【０３５９】
処理ユニットがプロセッサであり、通信ユニットが通信インタフェースであるとき、本願の本実施形態におけるサービスアプリケーションサーバ１４００は、図１６に示されるサービスアプリケーションサーバ１６００であって良い。図１６に示されるように、サービスアプリケーションサーバ１６００は、１又は複数のプロセッサ１６０１、通信機１６０２、メモリ１６０３、及びバス１６０４を含む。プロセッサ１６０１、通信機１６０２及びメモリ１６０３は、バス１６０４を用いて接続される。メモリは、１又は複数のアプリケーションプログラムを格納するよう構成される。１又は複数のアプリケーションプログラムは命令を含む。サービスアプリケーションサーバ１６００のプロセッサ１６０１が命令を実行すると、サービスアプリケーションサーバ１６００は、図３〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３６０】
バス１６０４は、PCIバス、EISAバス、等であって良い。バス１６０４は、アドレスバス、データバス、制御バス、等に分類され得る。提示の容易さのために、バスは、図１６に１本の太線のみを用いて表されるが、１本のみのバス又は１種類のみのバスが存在することを示すものではない。
【０３６１】
本願の一実施形態は、不揮発性記憶媒体を更に提供する。不揮発性記憶媒体は、プログラムコードの１又は複数のピースを格納する。サービスアプリケーションサーバ１６００のプロセッサ１６０１がプログラムコードを実行すると、サービスアプリケーションサーバ１６００は、図４〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３６２】
本願の本実施形態で提供されるサービスアプリケーションサーバ内の機能ユニット又は機能モジュールの詳細な説明、及び機能ユニット又は機能モジュールが図４〜図１１Ａ及び図１１Ｂのうちのいずれか１つの関連する方法のステップを実行した後に得られる技術的効果については、本願の方法の実施形態における関連する記載を参照し、詳細はここで再び記載されない。
【０３６３】
実装に関する前述の記載は、便宜及び記載の簡潔さのために前述の機能モジュールの分割が説明のための一例として使用されることを、当業者が理解できるようにする。実際の適用では、前述の機能は、異なる機能モジュールに割り当てられ及び要件に従って実装され得る。つまり、機器の内部構造は、上述の機能の全部又は一部を実装するために異なる機能モジュールに分割される。前述のシステム、機器及びユニットの詳細な動作処理については、前述の方法の実施形態の対応する処理を参照し、詳細はここで再び記載されない。
【０３６４】
本願において提供される幾つかの実施形態では、開示のシステム、機器、及び方法は他の方法で実装されて良いことが理解されるべきである。例えば、記載した機器の実施形態は単なる一例である。例えば、モジュール又はユニット分割は、単なる論理的機能分割であり、実際の実装では他の分割であって良い。例えば、複数のユニット又はコンポーネントは、別のシステムに結合又は統合されて良い。或いは、幾つかの機能は無視されるか又は実行されなくて良い。さらに、示した又は議論した相互結合又は直接結合又は通信接続は、幾つかのインタフェースを用いて実装されて良い。機器又はユニット間の間接結合又は通信接続は、電気的、機械的又は他の形式で実装されて良い。
【０３６５】
別個の部分として記載されたユニットは、物理的に別個であって良く又はそうでなくて良い。並びに、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に従い選択されて良い。
【０３６６】
さらに、本願の実施形態における機能ユニットは、１つの処理ユニットに統合されて良く、或いはユニットの各々が物理的に単独で存在して良く、或いは２以上のユニットが１つのユニットに統合されて良い。統合ユニットは、ハードウェアの形式で実装されて良く、又はソフトウェア機能ユニットの形式で実装されて良い。
【０３６７】
統合ユニットがソフトウェア機能ユニットの形式で実装され、独立した製品として販売され又は使用されるとき、統合ユニットは、コンピュータ可読記憶媒体に格納されて良い。このような理解に基づき、本願の基本的技術的ソリューション、又は従来技術に貢献する部分、又は技術的ソリューションの全部若しくは一部は、ソフトウェアプロダクトの形式で実施されて良い。コンピュータソフトウェアプロダクトは、記憶媒体に格納され、コンピュータ装置（パーソナルコンピュータ、サーバ、ネットワーク装置、等であって良い）又はプロセッサ（英語：processor）に、本願の実施形態において記載された方法のステップの全部又は一部を実行するよう指示する複数の命令を含む。前述の記憶媒体は、USBフラッシュドライブ、取り外し可能ハードディスク、読み出し専用メモリ（英語：Read-Only  Memory、略称：ROM）、ランダムアクセスメモリ（英語：Random  Access  Memory、略称：RAM）、磁気ディスク又は光ディスクのような、プログラムコードを格納可能な任意の媒体を含む。
【０３６８】
上述の説明は、本願の単なる特定の実装であり、本願の保護範囲を制限するものではない。本願に開示された技術範囲内にある、当業者により直ちに考案される任意の変形又は置換は、本願の保護範囲に包含されるべきである。したがって、本願の保護範囲は、請求項の保護範囲に従うべきである。
【図１】
2019528639.tif 000003
【図２】
2019528639.tif 000004
【図３】
2019528639.tif 000005
【図４】
2019528639.tif 000006
【図５】
2019528639.tif 000007
【図６】
2019528639.tif 000008
【図７Ａ】
2019528639.tif 000009
【図７Ｂ】
2019528639.tif 000010
【図８】
2019528639.tif 000011
【図９】
2019528639.tif 000012
【図１０】
2019528639.tif 000013
【図１１Ａ】
2019528639.tif 000014
【図１１Ｂ】
2019528639.tif 000015
【図１２】
2019528639.tif 000016
【図１３】
2019528639.tif 000017
【図１４】
2019528639.tif 000018
【図１５】
2019528639.tif 000019
【図１６】
2019528639.tif 000020
【手続補正書】
【提出日】平成31年4月12日(2019.4.12)
【手続補正１】
【補正対象書類名】明細書
【補正対象項目名】全文
【補正方法】変更
【補正の内容】
【発明の詳細な説明】
【技術分野】
【０００１】
本願は、通信技術の分野に関し、特にサービス設定方法及び装置に関する。
【背景技術】
【０００２】
ロングタームエボリューション（英語：Long  Term  Evolution、略称：LTE）ネットワークにおける音声サービスは、ボイス・オーバ・ロングタームエボリューション（英語：Voice  over  LTE、略称：VoLTE）サービスとして参照される。現在、一層多くのオペレータが商用目的でVoLTEを使用し始め、一層多くのユーザ機器（英語：User  Equipment、略称：UE）がVoLTEサービスをサポート可能である。
【０００３】
しかしながら、従来技術では、UEがLTEネットワークの弱いカバレッジ内にいるとき、VoLTEサービスの正常な実行は保証できず、或いは、VoLTEサービスの実行が比較的粗悪なユーザ経験をもたらす。
【発明の概要】
【０００４】
本願の実施形態は、サービス設定要求が受信された後に無線リソースがUEに強制的に割り当てられるために、サービスが正常に実行できない又はサービスの実行が比較的粗悪なユーザ経験をもたらすという問題を解決するために、サービス設定方法及び装置を提供する。
【０００５】
第１の態様によると、サービス設定方法が提供される。方法は、アクセスネットワーク装置により、第１コアネットワーク装置又は第１サービスアプリケーションサーバから第１設定要求を受信するステップであって、前記第１設定要求は、第１サービスのサービス要件を伝達し、前記第１サービスの前記サービス要件は、前記アクセスネットワーク装置に、前記第１サービスを実行するためのユーザ機器UEに対する無線チャネル品質要件を指示するために使用される、ステップ、前記アクセスネットワーク装置により、前記第１コアネットワーク装置又は前記第１サービスアプリケーションサーバへ第１設定応答を送信するステップであって、前記第１設定応答は、前記第１コアネットワーク装置又は前記第１サービスアプリケーションサーバに、前記アクセスネットワーク装置が前記第１設定要求を受け入れたことを通知するために使用される、ステップ、及び、前記アクセスネットワーク装置が、前記UEの位置する第１ネットワークの第１セルの無線チャネル品質が前記第１サービスの前記サービス要件を満たさないと決定すると、前記アクセスネットワーク装置により、前記第１コアネットワーク装置又は前記第１サービスアプリケーションサーバへ第１通知メッセージを送信するステップであって、前記第１通知メッセージは、前記第１コアネットワーク装置又は前記第１サービスアプリケーションサーバに、前記第１セルの前記無線チャネル品質が前記第１サービスの前記サービス要件を満たさないと通知するために使用される、ステップ、又は、前記UEを前記第１ネットワークの第２セルにハンドオーバするステップ、又は、前記UEを第２ネットワークの第３セルにハンドオーバするステップ、を含む。
【０００６】
本実施形態の技術的ソリューションでは、アクセスネットワーク装置により受信される第１設定要求は、第１サービスのサービス要件を伝達するので、アクセスネットワーク装置が第１設定要求を受け入れた（具体的に言うと、第１設定応答をサービスアプリケーションサーバへ送信した）後に、アクセスネットワーク装置は、受信したサービス要件情報をサービス設定の承認閾として使用して良い。言い換えると、UEの位置するセルの無線信号品質がサービス要件を満たさないとき、アクセスネットワーク装置はサービスアプリケーションサーバに通知して、サービスアプリケーションサーバが対応する調整を行うようにする、或いは、アクセスネットワーク装置は、別のセルでサービス設定を達成するために、サービス要件を満たすことのできる別のセルにUEをハンドオーバして良い。本ソリューションを用いい、アクセスネットワーク装置は、サービス設定の承認閾として、被設定サービスの且つサービスアプリケーションサーバからのサービス要件を使用し得る。それにより、経験値にのみ基づき承認閾を決定することにより引き起こされる誤り及び柔軟性欠如のような従来技術の問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０００７】
可能な実装では、アクセスネットワーク装置は、第１セルの無線チャネル品質が第１サービスのサービス要件を満たすと決定した後に、第１設定応答を第１コアネットワーク装置又は第１サービスアプリケーションサーバへ送信して良い。具体的に、「前記アクセスネットワーク装置により、前記第１コアネットワーク装置又は前記第１サービスアプリケーションサーバへ第１設定応答を送信する前記ステップ」の前に、本願の本実施形態における前記方法は、前記アクセスネットワーク装置により、前記第１セルの前記無線チャネル品質が前記第１サービスの前記サービス要件を満たすと決定するステップ、を更に含んで良い。
【０００８】
可能な実装では、アクセスネットワーク装置は、第１設定要求を受信し且つ第１セルの無線チャネル品質が第１サービスのサービス要件を満たすと決定した後に、第１サービスに無線リソースを割り当てて良い。具体的に、「前記アクセスネットワーク装置により、前記第１コアネットワーク装置又は前記第１サービスアプリケーションサーバへ第１設定応答を送信する前記ステップ」の前に、本願の本実施形態における前記方法は、前記アクセスネットワーク装置により、前記第１サービスに前記無線リソースを割り当てるステップ、を更に含んで良い。
【０００９】
可能な実装では、サービスアプリケーションサーバは、第１サービスのサービス要件に含まれる指示情報（例えば、第１指示情報）を用いて、アクセスネットワーク装置に、第１セルの無線チャネル品質が第１サービスのサービス要件を満たさないとき、第１通知メッセージをコアネットワーク装置又はサービスアプリケーションサーバへ送信するよう指示して良い。具体的に、「前記アクセスネットワーク装置により、前記第１コアネットワーク装置又は前記第１サービスアプリケーションサーバへ第１通知メッセージを送信する前記ステップ」は、前記アクセスネットワーク装置が、前記第１サービスの前記サービス要件が前記第１指示情報を含むと決定した場合、前記第１通知メッセージを前記第１コアネットワーク装置又は前記第１サービスアプリケーションサーバへ送信するステップ、を含んで良い。第１指示情報は、アクセスネットワーク装置に、第１セルの無線チャネル品質が第１サービスのサービス要件を満たさないとき、第１通知メッセージを第１コアネットワーク装置又は第１サービスアプリケーションサーバへ送信するよう指示するために使用される。
【００１０】
可能な実装では、サービスアプリケーションサーバは、第１サービスのサービス要件に含まれる指示情報（例えば、第２指示情報）を用いて、アクセスネットワーク装置に、第１セルの無線チャネル品質が第１サービスのサービス要件を満たさないとき、UEを第２セルにハンドオーバするよう指示して良い。具体的に、「前記アクセスネットワーク装置により、前記UEを前記第１ネットワークの第２セルにハンドオーバする前記ステップ」は、前記アクセスネットワーク装置が、前記第１サービスの前記サービス要件が前記第２指示情報を含むと決定し、且つ前記アクセスネットワーク装置が、無線チャネル品質が前記第１サービスの前記サービス要件を満たす前記第２セルが存在すると決定した場合、前記アクセスネットワーク装置により、前記UEを前記第２セルにハンドオーバするステップを含んで良い。第２指示情報は、アクセスネットワーク装置に、第１セルの無線チャネル品質が第１サービスのサービス要件を満たさないとき、UEを第２セルにハンドオーバするよう指示するために使用される。
【００１１】
可能な実装では、サービスアプリケーションサーバは、第１サービスのサービス要件に含まれる指示情報（例えば、第３指示情報）を用いて、アクセスネットワーク装置に、第１セルの無線チャネル品質が第１サービスのサービス要件を満たさないとき、UEを第３セルにハンドオーバするよう指示して良い。具体的に、「前記アクセスネットワーク装置により、前記UEを第２ネットワークの第３セルにハンドオーバする前記ステップ」は、前記アクセスネットワーク装置が、前記第１サービスの前記サービス要件が前記第３指示情報を含むと決定し、且つ前記アクセスネットワーク装置が、無線チャネル品質が前記第１サービスの前記サービス要件を満たす前記第３セルが存在すると決定した場合、前記アクセスネットワーク装置により、前記UEを前記第３セルにハンドオーバするステップを含んで良い。第３指示情報は、アクセスネットワーク装置に、第１セルの無線チャネル品質が第１サービスのサービス要件を満たさないとき、UEを第３セルにハンドオーバするよう指示するために使用される。
【００１２】
本ソリューションでは、アクセスネットワーク装置は、第１セルの無線チャネル品質が第１サービスのサービス要件を満たさないとき、第１サービスのサービス要件の中の指示情報の指示に従い、「第１通知メッセージをコアネットワーク装置又はサービスアプリケーションサーバへ送信するステップ」、「UEを第２セルにハンドオーバするステップ」、又は「UEを第３セルにハンドオーバするステップ」を実行して良い。
【００１３】
可能な実装では、アクセスネットワーク装置は、測定制御コマンドをUEへ送信する方法で、第１セルの無線チャネル品質が第１サービスのサービス要件を満たさないことを決定して良い。具体的に、「前記アクセスネットワーク装置により、前記第１コアネットワーク装置又は前記第１サービスアプリケーションサーバへ第１設定応答を送信する前記ステップ」の後に、本願の本実施形態における前記方法は、前記アクセスネットワーク装置により、第１測定制御コマンドを前記UEへ配信するステップ、を更に含んで良い。第１測定制御コマンドは、UEに、第１セルの無線チャネル品質を測定し及び第１セルの無線チャネル品質が第１サービスのサービス要件を満たさないとき第１測定報告をアクセスネットワーク装置へ送信するよう指示するために使用される。第１測定報告は、アクセスネットワーク装置に、第１セルの無線チャネル品質が第１サービスのサービス要件を満たさないことを示すために使用される。
【００１４】
可能な実装では、アクセスネットワーク装置に第１サービスを生成するよう指示するために使用される第１設定要求を受信した後に、アクセスネットワーク装置は、アクセスネットワーク装置に別のサービスを生成するよう指示するために使用されるサービス設定要求を更に受信して良い。具体的に、「前記アクセスネットワーク装置により、前記第１コアネットワーク装置又は前記第１サービスアプリケーションサーバへ第１設定応答を送信する前記ステップ」の後に、本願の本実施形態における前記方法は、前記アクセスネットワーク装置により、第２コアネットワーク装置又は第２サービスアプリケーションサーバから第２設定要求を受信するステップであって、前記第２設定要求は第２サービスのサービス要件を伝達し、前記第２サービスの前記サービス要件は、前記アクセスネットワーク装置に、前記第２サービスを実行するための前記UEに対する無線チャネル品質要件を指示するために使用される、ステップと、前記アクセスネットワーク装置により、前記第２サービスの前記サービス要件が前記第１サービスの前記サービス要件より高いことを決定するステップと、前記アクセスネットワーク装置により、第２測定制御コマンドを前記UEへ配信するステップと、を更に含んで良い。前記第２測定制御コマンドは、前記UEに、前記第１セルの前記無線チャネル品質を測定し及び前記第１セルの前記無線チャネル品質が前記第２サービスの前記サービス要件を満たさないとき第２測定報告を前記アクセスネットワーク装置へ送信するよう指示するために使用される。前記第２測定報告は、前記アクセスネットワーク装置に、前記第１セルの前記無線チャネル品質が前記第２サービスの前記サービス要件を満たさないことを示すために使用される。
【００１５】
前記第２サービスの前記サービス要件を伝達する前記第２設定要求を受信するステップの後に、前記アクセスネットワーク装置は、前記第１サービスの前記サービス要件を前記第２サービスの前記サービス要件と直接比較し、前記第２サービスの前記サービス要件が前記第１サービスの前記サービス要件より高いとき、前記UEへ測定制御コマンドを配信する方法で、前記第１セルの前記無線チャネル品質が前記第２サービスの前記サービス要件を満たすか否かを決定して良い。前記第２サービスの前記サービス要件が前記第１サービスの前記サービス要件より低い場合、前記アクセスネットワーク装置は、前記第１セルの前記無線チャネル品質が前記第２サービスの前記サービス要件を満たすか否かを決定し続ける必要はないが、前記第２サービスを設定するために、前記第１セルの前記サービス要件をサービス設定の承認閾として直接使用する。
【００１６】
可能な実装では、無線チャネル品質が第１サービスのサービス要件を満たす第２セル又は第３セルが存在しないことがある。この場合、本願の本実施形態における方法は、前記アクセスネットワーク装置が、無線チャネル品質が前記第１サービスの前記サービス要件を満たす前記第２セル又は前記第３セルが存在しないと決定した場合、前記アクセスネットワーク装置により、前記第１コアネットワーク装置又は前記第１サービスアプリケーションサーバへ第２通知メッセージを送信するステップを更に含んで良い。前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される。このように、無線チャネル品質が前記第１サービスの前記サービス要件を満たす前記第２セル又は前記第３セルが存在しないとき、前記アクセスネットワーク装置は、前記第２通知メッセージを前記サービスアプリケーションサーバへ送信し、「前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないこと」を示して良く、前記サービスアプリケーションサーバが実際のネットワーク状態に依存して前記第１サービスの前記サービス要件を調整し得るようにする。
【００１７】
可能な実装では、無線チャネル品質が前記第１サービスの前記サービス要件を満たす前記第２セル又は前記第３セルが存在しないとき、前記アクセスネットワーク装置は、前記第１サービスに割り当てられた前記無線リソースを削除して良い。このように、前記第１サービスに割り当てられた前記無線リソースは、時宜を得た方法で、解放され得る。
【００１８】
可能な実装では、前記第１通知メッセージ及び前記第２通知メッセージの両方は、前記第１セルの前記無線チャネル品質、前記UEの端末種別情報、前記UEによりアクセスされるキャリア周波数に関する情報、前記UEの位置情報、前記第１セルの負荷情報、前記第１ネットワークの無線アクセス技術（英語：Radio  Access  Technology、略称：RAT）、推奨コーデック情報、及び前記第１サービスの帯域幅情報、のうちの少なくとも１つを伝達して良い。前記第１通知メッセージ及び前記第２通知メッセージの中で伝達される前記情報は、前記第１サービスのサービス要件、具体的に言うと前記第１サービスの更新サービス要件を再決定するために、前記サービスアプリケーションサーバにより使用されて良いことが理解され得る。
【００１９】
可能な実装では、前記UEの前記位置情報は、前記UEのセルアイデンティティ、前記UEの基地局アイデンティティ、前記UEの追跡領域アイデンティティ（英語：Tracking  Area  Identity、略称TAI）、前記UEの位置領域アイデンティティ（英語：Location  Area  Identity、略称：LAI）、及び前記UEのルーティング領域アイデンティティ（英語：Routing  Area  Identity、略称：RAI）のうちの少なくとも１つを含む。
【００２０】
可能な実装では、前記第１セルの前記無線チャネル品質が前記第１サービスの前記サービス要件を満たさないことを示すために使用される前記第１通知メッセージ又は前記第２通知メッセージを受信した後に、前記サービスアプリケーションサーバは、前記第１サービスの前記サービス要件を変更して、前記第１サービスの前記更新サービス要件を取得し、サービス設定要求を前記アクセスネットワーク装置へ再開始して良い。具体的に、「前記アクセスネットワーク装置により、第１通知メッセージ又は第２通知メッセージを前記第１コアネットワーク装置又は前記第１サービスアプリケーションサーバへ送信する前記ステップ」の後に、本願の本実施形態における前記方法は、前記アクセスネットワーク装置により、前記第１コアネットワーク装置又は前記第１サービスアプリケーションサーバから第１サービス変更要求を受信するステップであって、前記第１サービス変更要求は、前記第１サービスの前記更新サービス要件を伝達する、ステップ、を更に含んで良い。前記アクセスネットワーク装置は、前記サービスアプリケーションサーバからの且つ前記第１サービスを変更することを要求するために使用される前記第１サービス変更要求を受信して良い。前記第１サービス変更要求の中で伝達される前記第１サービスの前記更新サービス要件は、前記第１通知メッセージの中で又は前記第２通知メッセージの中で伝達される前記情報に基づき、前記サービスアプリケーションサーバにより決定されて良い。
【００２１】
可能な実装では、前記アクセスネットワーク装置は、ポリシ制御コマンドを前記UEへ送信する方法で、無線チャネル品質が前記第１サービスの前記サービス要件を満たす前記第２セル又は前記第３セルが存在するか否かを決定して良い。前記アクセスネットワーク装置により、無線チャネル品質が前記第１サービスの前記サービス要件を満たす前記第２セル又は前記第３セルが存在するか否かを決定する方法は、前記第２セル又は前記第３セルを表すために第４セルを用いて、本願の本実施形態において記載される。具体的に、前記アクセスネットワーク装置は、以下の２つの方法を用いて、「無線チャネル品質が前記第１サービスの前記サービス要件を満たす前記第４セルが存在すること」を決定して良い。方法１では、前記アクセスネットワーク装置は、測定制御コマンドを前記UEへ配信する。ここで、前記測定制御コマンドは、前記UEに、前記第４セルの前記無線チャネル品質を測定するよう指示するために使用される。前記アクセスネットワーク装置は、前記UEにより報告された測定報告を受信する。ここで、前記測定報告は、前記UEが前記第４セルの前記無線チャネル品質を測定した後に取得した測定結果を伝達する。前記アクセスネットワーク装置は、前記測定結果に基づき、無線チャネル品質が前記第１セルの前記サービス要件を満たす前記第４セルが存在することを決定する。方法２では、前記アクセスネットワーク装置は、測定制御コマンドを前記UEへ配信する。ここで、前記測定制御コマンドは、前記第１サービスの前記サービス要件に基づき決定された測定報告条件を伝達する。前記測定制御コマンドは、前記UEに、前記第４セルの前記無線チャネル品質を測定するよう指示するために使用される。前記測定報告条件は、前記UEに、前記UEが前記第４セルの前記無線チャネル品質が前記測定報告条件を満たすと決定したとき、測定報告を前記アクセスネットワーク装置に報告するよう指示するために使用される。前記アクセスネットワーク装置が前記UEにより報告された前記測定報告を受信した場合、前記アクセスネットワーク装置は、無線チャネル品質が前記第１サービスの前記サービス要件を満たす前記第４セルが存在すると決定する。
【００２２】
可能な実装では、前記第１サービスの前記サービス要件は、前記第１サービスのサービス種別指示情報、前記第１サービスの無線チャネル要件パラメータ、前記第１サービスのコーデック情報、前記UEのコーデック情報リスト、及び前記UEの端末種別、のうちの少なくとも１つを含み、前記UEの前記コーデック情報リストは、前記UE及び前記サービスアプリケーションサーバの両者によりサポートされるコーデック情報を含む。１つのUEが少なくとも２種類のコーデック情報をサポートして良く、各種類のコーデック情報は１つのコーデック種別及び１つのコーデック速度セットに対応することが理解され得る。
【００２３】
可能な実装では、前記第１サービスの前記無線チャネル要件パラメータは、基準信号受信電力（英語：Reference  Signal  Receiving  Power、略称：RSRP）要件、基準信号受信品質（英語：Reference  Signal  Receiving  Quality、略称：RSRQ）要件、及び信号対干渉及び雑音比（英語：Signal  to  Interference  plus  Noise  Ratio、略称：SINR）要件、のうちの少なくとも１つを含む。
【００２４】
可能な実装では、前記第１サービスの前記コーデック情報は、前記第１サービスのコーデック種別情報、及び前記第１サービスのコーデック速度セット情報を含む。
【００２５】
可能な実装では、前記無線チャネル品質は、RSRP、RSRQ、及びSINRのうちの少なくとも１つを含む。
【００２６】
可能な実装では、前記UEの端末種別情報は、前記UEの国際移動体装置識別番号（英語：International  Mobile  Equipment  Identity、略称：IMEI）、IMEIの種別認可コード（英語：Type  Approval  Code、略称：TAC）、及び前記UEの国際移動体加入者識別番号（英語：International  Mobile  Subscriber  Identification  Number、略称：IMSI）、のうちの少なくとも１つを含む。
【００２７】
可能な実装では、「前記アクセスネットワーク装置により、前記UEの位置する第１ネットワークの第１セルの無線チャネル品質が前記第１サービスの前記サービス要件を満たさないと決定する」特定の方法は、前記アクセスネットワーク装置により、前記第１セルの前記無線チャネル品質は前記UEの前記コーデック情報リストの中の少なくとも１種類のコーデック情報により要求される無線チャネル品質を満たすが、前記第１セルの前記無線チャネル品質は前記第１サービスの前記コーデック情報により要求される無線チャネル品質を満たさないと決定するステップであって良い。
【００２８】
可能な実装では、前記アクセスネットワーク装置により、前記第１セルの前記無線チャネル品質が前記UEの前記コーデック情報リストの中の少なくとも１種類のコーデック情報により要求される無線チャネル品質を満たすと決定する前記ステップの後に、前記方法は、前記アクセスネットワーク装置により、前記推奨コーデック情報を決定するステップを更に含む。
【００２９】
可能な実装では、前記第１ネットワークは、第５世代移動体通信技術（英語：The  Fifth  Generation  wireless  telephone  technology、略称：５G）ネットワーク及び第４世代移動体通信技術（英語：The  Fourth  Generation  wireless  telephone  technology、略称：４G）ネットワークのいずれかであって良く、前記第２ネットワークは、４Gネットワーク、第３世代移動体通信技術（英語：The  Third  Generation  wireless  telephone  technology、略称：３G）ネットワーク、及び第２世代移動体通信技術（英語：The  Second  Generation  wireless  telephone  technology、略称：２G）ネットワークのうちのいずれか１つであって良い。
【００３０】
第２の態様によると、本願の一実施形態は、サービス設定方法を提供する。方法は、サービスアプリケーションサーバにより、アクセスネットワーク装置へ第１設定要求を送信するステップであって、前記第１設定要求は第１サービスのサービス要件を伝達し、前記第１サービスの前記サービス要件は、前記第１サービスを実行するためのユーザ機器UEに対する無線チャネル品質要件を前記アクセスネットワーク装置に指示するために使用される、ステップ、前記サービスアプリケーションサーバにより、前記アクセスネットワーク装置から第１設定応答を受信するステップであって、前記第１設定応答は、前記アクセスネットワーク装置が前記第１設定要求を受け入れたことを前記サービスアプリケーションサーバに通知するために使用される、ステップ、及び、前記サービスアプリケーションサーバにより、前記アクセスネットワーク装置から第１通知メッセージを受信するステップであって、前記第１通知メッセージは、前記UEの位置する第１ネットワークの第１セルの無線チャネル品質が前記第１サービスの前記サービス要件を満たさないことを前記サービスアプリケーションサーバに通知するために使用される、ステップ、又は、前記サービスアプリケーションサーバにより、前記アクセスネットワーク装置から、第２通知メッセージを受信するステップであって、前記第２通知メッセージは、前記UEの位置する第１ネットワークの第１セルの無線チャネル品質が前記第１サービスの前記サービス要件を満たさないことを前記サービスアプリケーションサーバに通知するために使用され、前記第２通知メッセージは、前記第１セルの前記無線チャネル品質が前記第１サービスの前記サービス要件を満たさないこと、及び無線チャネル品質が前記第１サービスの前記サービス要件を満たす第２セル又は第３セルが存在しないことを、第１コアネットワーク装置又は前記サービスアプリケーションサーバに通知するために使用され、前記第２セルは前記第１ネットワークに位置し、前記第３セルは第２ネットワークに位置する、ステップ、を含む。
【００３１】
前記サービスアプリケーションサーバから前記コアネットワーク装置又は前記アクセスネットワーク装置への前記第１設定要求は、前記第１サービスの前記サービス要件を伝達するので、前記アクセスネットワーク装置が前記第１設定要求を受け入れた（具体的に言うと、前記第１設定応答を前記サービスアプリケーションサーバへ送信した）後に、前記アクセスネットワーク装置は、前記受信したサービス要件情報をサービス設定の承認閾として使用して良い。言い換えると、前記UEの位置する前記セルの無線信号品質が前記サービス要件を満たさないとき、前記アクセスネットワーク装置は前記サービスアプリケーションサーバに通知して、前記サービスアプリケーションサーバが対応する調整を行うようにする、或いは、前記アクセスネットワーク装置は、別のセルでサービス設定を達成するために、前記サービス要件を満たすことのできる前記別のセルに前記UEをハンドオーバして良い。本ソリューションを用いて、アクセスネットワーク装置は、サービス設定の承認閾として、被設定サービスの且つサービスアプリケーションサーバからのサービス要件を使用し得る。それにより、経験値にのみ基づき承認閾を決定することにより引き起こされる誤り及び柔軟性欠如のような従来技術の問題を回避する。さらに、前記UEの前記セルの前記信号品質が前記承認閾に達しないシナリオ（具体的に言うと、前記第１セルの前記無線チャネル品質が前記被設定サービスの前記サービス要件を満たさないシナリオ）、例えばネットワーク信号の弱いカバレッジ領域では、サービスの設定後に、前記サービスが正常に実行可能であること及び前記サービスの実行中のユーザ経験が向上されることを保証するために、ネットワーク側は、実際のネットワーク状態に依存して前記サービス要件を調整し、又は前記UEを別のセルにハンドオーバして良い。
【００３２】
可能な実装では、前記サービスアプリケーションサーバは、前記第１設定要求を前記アクセスネットワーク装置へ送信する前に、前記第１サービスの前記サービス要件を決定して良い。具体的に、前記サービスアプリケーションサーバは、以下の方法を用いて前記第１サービスの前記サービス要件を決定して良い。方法１では、前記サービスアプリケーションサーバは、前記第１サービスの平均オピニオン評点（英語：Mean  Opinion  Score、略称：MOS）要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定する。方法２では、前記サービスアプリケーションサーバは、第三者ネットワーク装置へ第１クエリ要求を送信する。ここで、前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、前記第１サービスの帯域幅情報、のうちの少なくとも１つを伝達する。前記サービスアプリケーションサーバは、前記第三者ネットワーク装置から第１クエリ応答を受信する。ここで、前記第１クエリ応答は、前記第１サービスの前記サービス要件を伝達する。
【００３３】
可能な実装では、前記第１サービスの前記サービス要件を決定する前に、前記サービスアプリケーションサーバは、先ず、前記第１サービスの前記サービス要件を決定するために使用される関連情報、例えば「前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ」を取得して良い。具体的に、「前記サービスアプリケーションサーバにより、前記第１サービスの前記サービス要件を決定する前記ステップ、又は前記サービスアプリケーションサーバにより、前記第三者ネットワーク装置から第１クエリ応答を受信するステップ」の前に、本願の本実施形態における前記方法は、前記サービスアプリケーションサーバにより、前記第１コアネットワーク、前記UE又は前記アクセスネットワーク装置へ第２クエリ要求を送信するステップと、前記サービスアプリケーションサーバにより、前記第１コアネットワーク、前記UE又は前記アクセスネットワーク装置から第２クエリ応答を受信するステップであって、前記第２クエリ応答は、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップと、を更に含んで良い。
【００３４】
可能な実装では、前記サービスアプリケーションサーバは、さらに、以下の方法を用いて、前記第１サービスの前記サービス要件を決定するために使用される前記関連情報を取得して良い。具体的に、「前記サービスアプリケーションサーバにより、前記第１サービスの前記サービス要件を決定する前記ステップ、又は前記サービスアプリケーションサーバにより、前記第三者ネットワーク装置から第１クエリ応答を受信するステップ」の前に、本願の本実施形態における前記方法は、前記サービスアプリケーションサーバにより、前記UEから第１メッセージを受信するステップであって、前記第１メッセージは、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する、ステップ、を更に含んで良い。
【００３５】
可能な実装では、前記第１サービスの前記サービス要件は、第１指示情報、第２指示情報、又は第３指示情報を含む。前記第１通知メッセージ又は前記第２通知メッセージを受信した後に、前記サービスアプリケーションサーバは、前記第１サービスの前記MOS要件又は前記第１通知メッセージ又は前記第２通知メッセージの中で伝達される「前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ」に基づき、前記第１サービスの更新サービス要件を決定して良い。代替として、前記サービスアプリケーションサーバは、前記第三者ネットワーク装置へ第３クエリ要求を送信して良い。ここで、前記第３クエリ要求は、前記第１通知メッセージ又は前記第２通知メッセージの中で伝達される、前記第１サービスの前記MOS要件、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報のうちの少なくとも１つを伝達する。前記サービスアプリケーションサーバは、前記第三者ネットワーク装置から第３クエリ応答を受信する。ここで、前記第１クエリ応答は、前記第１サービスの更新サービス要件を伝達する。
【００３６】
可能な実装では、「前記サービスアプリケーションサーバにより、前記第１サービスの更新サービス要件を決定する前記ステップ、又は前記第三者ネットワーク装置から第３クエリ応答を受信するステップ」の後に、本願の本実施形態における前記方法は、前記サービスアプリケーションサーバにより、前記アクセスネットワーク装置へ第１サービス変更要求を送信するステップであって、前記第１サービス変更要求は、前記第１サービスの前記更新サービス要件を伝達する、ステップを更に含んで良い。
【００３７】
可能な実装では、前記サービスアプリケーションサーバにより、前記アクセスネットワーク装置から第１通知メッセージ又は第２通知メッセージを受信する前記ステップの後に、前記方法は、前記サービスアプリケーションサーバにより、前記第１通知メッセージ又は前記第２通知メッセージの中で伝達される、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスを終了することを決定するステップと、前記サービスアプリケーションサーバにより、前記アクセスネットワーク装置又は前記UEへ第１サービス削除メッセージを送信するステップであって、前記第１サービス削除メッセージは、前記第１サービスを終了するよう、前記アクセスネットワーク装置又は前記UEに指示するために使用される、ステップと、を更に含む。
【００３８】
可能な実装では、前記サービスアプリケーションサーバは、以下の方法を用いて、前記第１設定要求を前記アクセスネットワーク装置へ送信して良い。方法１では、前記サービスアプリケーションサーバは、前記コアネットワーク装置を用いて、前記第１設定要求を前記アクセスネットワーク装置へ配信する。方法２では、前記サービスアプリケーションサーバは、前記サービスアプリケーションサーバと前記アクセスネットワーク装置との間のインタフェースを用いて、前記第１設定要求を前記アクセスネットワーク装置へ配信する。
【００３９】
可能な実装では、前記第１サービスの前記更新サービス要件に含まれる前記第１サービスの更新コーデック情報は、第２コーデック情報である。本願の本実施形態における方法は、前記サービスアプリケーションサーバにより、前記第１サービスの前記コーデック情報を第１コーデック情報として決定するステップと、前記第１サービスの前記更新コーデック情報を前記第２コーデック情報として決定するステップと、前記第１サービスの前記コーデック情報を前記第１コーデック情報から前記第２コーデック情報に変更するステップと、を更に含む。
【００４０】
可能な実装では、前記サービスアプリケーションサーバは第２メッセージを前記UEへ送信する。前記第２メッセージは、前記第１サービスの前記コーデック情報が前記第１コーデック情報から前記第２コーデック情報に変更されたことを示すために使用される。
【００４１】
可能な実装では、前記サービスアプリケーションサーバは、さらに、前記第１コーデック情報に対応する無線チャネル要件が前記第２コーデック情報に対応する無線チャネル要件より高いことを決定すると、前記第１サービスの前記コーデック情報を前記第１コーデック情報から前記第２コーデック情報に変更して良い。
【００４２】
留意すべきことに、本願の実施形態の第２の態様及び第２の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、前記第１指示情報、前記第２指示情報、前記第３指示情報、前記第１通知メッセージ、前記第２通知メッセージ、並びに前記第１通知メッセージ及び前記第２通知メッセージの中で伝達される前記情報の詳細な説明については、本願の実施形態の第１の態様の可能な実装における関連する記載が参照されて良く、詳細は本願の本実施形態において再び記載されない。
【００４３】
第３の態様によると、アクセスネットワーク装置が提供される。アクセスネットワーク装置は、受信モジュール、送信モジュール、決定モジュール、及びハンドオーバモジュールを含む。前記受信モジュールは、第１設定要求を第１コアネットワーク装置又は第１サービスアプリケーションサーバから受信するよう構成される。ここで、前記第１設定要求は第１サービスのサービス要件を伝達し、前記第１サービスの前記サービス要件は、前記アクセスネットワーク装置に、前記第１サービスを実行するためのUEに対する無線チャネル品質要件を指示するために使用される。前記送信モジュールは、第１設定応答を前記第１コアネットワーク装置又は前記第１サービスアプリケーションサーバへ送信するよう構成される。ここで、前記第１設定応答は、前記第１コアネットワーク装置又は前記第１サービスアプリケーションサーバに、前記アクセスネットワーク装置が前記第１設定要求を受け入れたことを通知するために使用される。前記決定モジュールは、前記UEの位置する第１ネットワークの第１セルの無線チャネル品質が前記第１サービスの前記サービス要件を満たすか否かを決定するよう構成される。前記送信モジュールは、前記決定モジュールが、前記第１セルの前記無線チャネル品質が前記第１サービスの前記サービス要件を満たさないと決定した場合、第１通知メッセージを前記第１コアネットワーク装置又は前記第１サービスアプリケーションサーバへ送信するよう構成される。ここで、前記第１通知メッセージは、前記第１コアネットワーク装置又は前記第１サービスアプリケーションサーバに、前記第１セルの前記無線チャネル品質が前記第１サービスの前記サービス要件を満たさないことを通知するために使用される。或いは、前記ハンドオーバモジュールは、前記決定モジュールが、前記第１セルの前記無線チャネル品質が前記第１サービスの前記サービス要件を満たさないと決定した場合、前記UEを前記第１ネットワークの第２セルへハンドオーバする、又は前記UEを第２ネットワークの第３セルにハンドオーバするよう構成される。
【００４４】
可能な実装では、前記決定モジュールは、前記送信モジュールが前記第１設定応答を前記第１コアネットワーク装置又は前記第１サービスアプリケーションサーバへ送信する前に、前記第１セルの前記無線チャネル品質が前記第１サービスの前記サービス要件を満たすと決定するよう更に構成される。前記送信モジュールは、具体的に、前記決定モジュールが前記第１セルの前記無線チャネル品質が前記第１サービスの前記サービス要件を満たすと決定した場合、前記第１設定応答を前記第１コアネットワーク装置又は前記第１サービスアプリケーションサーバへ送信するよう構成される。
【００４５】
可能な実装では、前記アクセスネットワーク装置は、割当モジュールを更に含んで良い。前記割当モジュールは、前記送信モジュールが前記第１設定応答を前記第１コアネットワーク装置又は前記第１サービスアプリケーションサーバへ送信する前に、前記第１サービスに無線リソースを割り当てるよう構成される。
【００４６】
可能な実装では、前記決定モジュールは、前記第１サービスの前記サービス要件が第１指示情報を含むか否かを決定するよう更に構成される。前記送信モジュールは、具体的に、前記決定モジュールが前記第１サービスの前記サービス要件が前記第１指示情報を含むと決定した場合、前記第１通知メッセージを前記第１コアネットワーク装置又は前記第１サービスアプリケーションサーバへ送信するよう構成される。前記第１指示情報は、前記アクセスネットワーク装置に、前記第１セルの前記無線チャネル品質が前記第１サービスの前記サービス要件を満たさないとき、前記第１通知メッセージを前記第１コアネットワーク装置又は前記第１サービスアプリケーションサーバへ送信するよう指示するために使用される。
【００４７】
可能な実装では、前記決定モジュールは、前記第１サービスの前記サービス要件が第２指示情報を含むか否かを決定し、無線チャネル品質が前記第１サービスの前記サービス要件を満たす前記第２セルが存在するか否かを決定するよう更に構成される。前記ハンドオーバモジュールは、具体的に、前記決定モジュールが、前記第１サービスの前記サービス要件は前記第２指示情報を含み、且つ無線チャネル品質が前記第１サービスの前記サービス要件を満たす前記第２セルが存在すると決定した場合、前記第２セルに前記UEをハンドオーバするよう構成される。前記第２指示情報は、前記アクセスネットワーク装置に、前記第１セルの前記無線チャネル品質が前記第１サービスの前記サービス要件を満たさないとき、前記UEを前記第２セルにハンドオーバするよう指示するために使用される。
【００４８】
可能な実装では、前記決定モジュールは、前記第１サービスの前記サービス要件が第３指示情報を含むか否かを決定し、無線チャネル品質が前記第１サービスの前記サービス要件を満たす前記第３セルが存在するか否かを決定するよう更に構成される。前記ハンドオーバモジュールは、具体的に、前記決定モジュールが、前記第１サービスの前記サービス要件は前記第３指示情報を含み、且つ無線チャネル品質が前記第１サービスの前記サービス要件を満たす前記第３セルが存在すると決定した場合、前記第３セルに前記UEをハンドオーバするよう構成される。前記第３指示情報は、前記アクセスネットワーク装置に、前記第１セルの前記無線チャネル品質が前記第１サービスの前記サービス要件を満たさないとき、前記UEを前記第３セルにハンドオーバするよう指示するために使用される。
【００４９】
可能な実装では、前記送信モジュールは、前記第１設定応答を前記第１コアネットワーク装置又は前記第１サービスアプリケーションサーバへ送信した後に、第１測定制御コマンドを前記UEへ配信するよう更に構成される。前記第１測定制御コマンドは、前記UEに、前記第１セルの前記無線チャネル品質を測定し及び前記第１セルの前記無線チャネル品質が前記第１サービスの前記サービス要件を満たさないとき第１測定報告を前記アクセスネットワーク装置へ送信するよう指示するために使用される。前記第１測定報告は、前記アクセスネットワーク装置に、前記第１セルの前記無線チャネル品質が前記第１サービスの前記サービス要件を満たさないことを示すために使用される。
【００５０】
可能な実装では、前記受信モジュールは、前記送信モジュールが前記第１設定応答を前記第１コアネットワーク装置又は前記第１サービスアプリケーションサーバへ送信した後に、第２設定要求を第２コアネットワーク装置又は第２サービスアプリケーションサーバから受信するよう更に構成される。ここで、前記第２設定要求は第２サービスのサービス要件を伝達し、前記第２サービスの前記サービス要件は、前記アクセスネットワーク装置に、前記第２サービスを実行するための前記UEに対する無線チャネル品質要件を示すために使用される。前記決定モジュールは、前記第２サービスの前記サービス要件が前記第１サービスの前記サービス要件より高いことを決定するよう更に構成される。前記送信モジュールは、第２測定制御コマンドを前記UEへ配信するよう更に構成される。前記第２測定制御コマンドは、前記UEに、前記第１セルの前記無線チャネル品質を測定し及び前記第１セルの前記無線チャネル品質が前記第２サービスの前記サービス要件を満たさないとき第２測定報告を前記アクセスネットワーク装置へ送信するよう指示するために使用される。前記第２測定報告は、前記アクセスネットワーク装置に、前記第１セルの前記無線チャネル品質が前記第２サービスの前記サービス要件を満たさないことを示すために使用される。
【００５１】
可能な実装では、前記送信モジュールは、前記決定モジュールが、無線チャネル品質が前記第１サービスの前記サービス要件を満たす前記第２セル又は前記第３セルが存在しないと決定した場合、前記第１コアネットワーク装置又は前記第１サービスアプリケーションサーバへ第２通知メッセージを送信するよう更に構成される。前記第２通知メッセージは、前記第１セルの前記無線チャネル品質が前記第１サービスの前記サービス要件を満たさないこと、及び無線チャネル品質が前記第１サービスの前記サービス要件を満たす前記第２セル又は前記第３セルが存在しないことを、前記第１コアネットワーク装置又は前記第１サービスアプリケーションサーバに通知するために使用される。
【００５２】
可能な実装では、前記アクセスネットワーク装置は、削除モジュールを更に含んで良い。前記削除モジュールは、前記決定モジュールが、無線チャネル品質が前記第１サービスの前記サービス要件を満たす前記第２セル又は前記第３セルが存在しないと決定した場合、前記第１サービスに割り当てられた前記無線リソースを削除するよう構成される。
【００５３】
可能な実装では、前記受信モジュールは、前記送信モジュールが前記第１コアネットワーク装置又は前記第１サービスアプリケーションサーバへ前記第１通知メッセージ又は前記第２通知メッセージを送信した後に、前記第１コアネットワーク装置又は前記第１サービスアプリケーションサーバから第１サービス変更要求を受信するよう更に構成され、前記第１サービス変更要求は、前記第１サービスの更新サービス要件を伝達する。
【００５４】
可能な実装では、第４セルは前記第２セル又は前記第３セルである。前記決定モジュールは、具体的に、第３測定制御コマンドを前記UEへ配信し、ここで前記第３測定制御コマンドは前記UEに前記第４セルの無線チャネル品質を測定するよう指示するために使用され、前記UEにより報告された第３測定報告を受信し、ここで前記第３測定報告は前記UEが前記第４セルの前記無線チャネル品質を測定した後に取得された測定結果を伝達し、並びに、前記測定結果に基づき、無線チャネル品質が前記第１サービスの前記サービス要件を満たす前記第４セルが存在することを決定し、又は、第３測定制御コマンドを前記UEへ配信するよう構成され、ここで前記第３測定制御コマンドは前記第１サービスの前記サービス要件に基づき決定された測定報告条件を伝達し、前記第３測定制御コマンドは前記UEに前記第４セルの無線チャネル品質を測定するよう指示するために使用され、前記測定報告条件は前記UEに前記UEが前記第４セルの前記無線チャネル品質が前記測定報告条件を満たすと決定したとき第３測定報告を前記アクセスネットワーク装置に報告するよう指示し及び前記UEにより報告された前記第３報告が受信された場合、無線チャネル品質が前記第１サービスの前記サービス要件を満たす前記第４セルが存在することを決定するよう指示するために使用される。
【００５５】
可能な実装では、前記決定モジュールは、具体的に、前記第１セルの前記無線チャネル品質が前記UEのコーデック情報リストの中の少なくとも１種類のコーデック情報により要求される無線チャネル品質を満たすが、前記第１セルの前記無線チャネル品質が前記第１サービスのコーデック情報により要求される無線チャネル品質を満たさない場合、前記第１セルの前記無線チャネル品質は前記第１サービスの前記サービス要件を満たさないと決定するよう構成される。
【００５６】
可能な実装では、前記決定モジュールは、前記第１セルの前記無線チャネル品質が前記UEの前記コーデック情報リストの中の少なくとも１種類のコーデック情報により要求される無線チャネル品質を満たすと決定した後に、推奨コーデック情報を決定するよう更に構成される。
【００５７】
可能な実装では、前記第１ネットワークは５Gネットワーク及び４Gネットワークのうちのいずれかである。前記第２ネットワークは、４Gネットワーク、３Gネットワーク、及び２Gネットワーク、のうちのいずれか１つである。
【００５８】
留意すべきことに、本願の実施形態の第３の態様及び第３の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、前記第１指示情報、前記第２指示情報、前記第３指示情報、前記第１通知メッセージ、前記第２通知メッセージ、及び前記第１通知メッセージ及び前記第２通知メッセージの中で伝達される情報の詳細な説明については、本願の実施形態の第１の態様の可能な実装における関連する記載が参照されて良く、詳細は本願の本実施形態において再び記載されない。
【００５９】
第４の態様によると、アクセスネットワーク装置が提供される。アクセスネットワーク装置は、１又は複数のプロセッサ、メモリ、バスシステム、送信機、受信機、及び１又は複数のアプリケーションプログラムを含む。前記１又は複数のプロセッサ、前記メモリ、前記送信機、及び前記受信機は、前記バスシステムを用いて接続される。前記１又は複数のアプリケーションプログラムは前記メモリに格納され、前記１又は複数のアプリケーションプログラムは命令を含み、前記アクセスネットワーク装置の前記プロセッサが前記命令を実行すると、前記アクセスネットワーク装置は、第１の態様及び第１の態様の可能な実装におけるサービス設定方法を実行する。
【００６０】
第５の態様によると、コンピュータ可読記憶媒体が提供される。前記コンピュータ可読記憶媒体は前記１又は複数のプログラムを格納し、前記１又は複数のプログラムは命令を含み、アクセスネットワーク装置のプロセッサが前記命令を実行すると、前記アクセスネットワーク装置は、第１の態様及び第１の態様の可能な実装におけるサービス設定方法を実行する。
【００６１】
留意すべきことに、第３の態様、第４の態様、及び第３の態様及び第４の態様の可能な実装におけるアクセスネットワーク装置の機能モジュールは、第１の態様及び第１の態様の可能な実装におけるサービス設定方法を実装するためにアクセスネットワーク装置において機能分割を実行することにより得られる。第３の態様、第４の態様、及び第３の態様及び第４の態様の可能な実装における機能モジュールにより実装される機能の特定の記載及び効果分析については、第１の態様及び第１の態様の可能な実装における詳細な説明を参照し、詳細は本願の本実施形態において再び記載されない。
【００６２】
第６の態様によると、サービスアプリケーションサーバが提供される。サービスアプリケーションサーバは、送信モジュール、及び受信モジュールを含む。前記送信モジュールは、第１設定要求をアクセスネットワーク装置へ送信するよう構成される。ここで、前記第１設定要求は第１サービスのサービス要件を伝達し、前記第１サービスの前記サービス要件は、前記アクセスネットワーク装置に、前記第１サービスを実行するためのUEに対する無線チャネル品質要件を指示するために使用される。前記受信モジュールは、第１設定応答を前記アクセスネットワーク装置から受信するよう構成される。ここで、前記第１設定応答は、前記サービスアプリケーションサーバに、前記アクセスネットワーク装置が前記第１設定要求を受け入れたことを通知するために使用される。前記受信モジュールは、第１通知メッセージを前記アクセスネットワーク装置から受信するよう更に構成される。ここで、前記第１通知メッセージは、前記サービスアプリケーションサーバに、前記UEの位置する第１ネットワークの第１セルの無線チャネル品質が前記第１サービスの前記サービス要件を満たさないことを通知するために使用される。代替として、前記受信モジュールは、第２通知メッセージを前記アクセスネットワーク装置から受信するよう更に構成される。ここで、前記第２通知メッセージは、前記サービスアプリケーションサーバに、前記UEの位置する第１ネットワークの第１セルの無線チャネル品質が前記第１サービスの前記サービス要件を満たさないことを通知するために使用され、前記第２通知メッセージは、第１コアネットワーク装置又は第１サービスアプリケーションサーバに、前記第１セルの前記無線チャネル品質が前記第１サービスの前記サービス要件を満たさないこと、及び無線チャネル品質が前記第１サービスの前記サービス要件を満たす第２セル又は第３セルが存在しないことを通知するために使用され、前記第２セルは前記第１ネットワークに位置し、前記第３セルは第２ネットワークに位置する。
【００６３】
可能な実装では、前記決定モジュールは、前記送信モジュールが、前記第１設定要求を前記アクセスネットワーク装置へ送信する前に、前記第１サービスのMOS要件、前記第１セルの前記無線チャネル品質、前記UEの端末種別情報、前記UEによりアクセスされる無線周波数に関する情報、前記UEの位置情報、前記第１サービスのコーデック情報、前記第１セルの負荷情報、前記第１ネットワークの無線アクセス技術RAT情報、及び前記第１サービスの帯域幅情報、のうちの少なくとも１つに基づき、前記第１サービスの前記サービス要件を決定するよう更に構成される。代替として、前記決定モジュールは、前記送信モジュールが第１設定要求を前記アクセスネットワーク装置へ送信する前に、第三者ネットワーク装置へ第１クエリ要求を送信し、ここで前記第１クエリ要求は、前記第１サービスのMOS要件、前記第１セルの前記無線チャネル品質、前記UEの端末種別情報、前記UEによりアクセスされるキャリア周波数に関する情報、前記UEの位置情報、前記第１サービスのコーデック情報、前記第１セルの負荷情報、前記第１ネットワークのRAT情報、前記第１サービスの帯域幅情報、のうちの少なくとも１つを伝達し、前記第三者ネットワーク装置から第１クエリ応答を受信し、ここで前記第１クエリ応答は、前記第１サービスの前記サービス要件を伝達する、よう更に構成される。
【００６４】
可能な実装では、前記送信モジュールは、前記決定モジュールが前記第１サービスの前記サービス要件を決定する前に、第２クエリ要求を前記第１コアネットワーク装置、前記UE、又は前記アクセスネットワーク装置へ送信するよう更に構成される。前記受信モジュールは、第２クエリ応答を、前記コアネットワーク装置、前記UE、又は前記アクセスネットワーク装置から受信するよう更に構成される。ここで、前記第２クエリ応答は、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、及び前記第１サービスの前記帯域幅情報、のうちの少なくとも１つを伝達する。
【００６５】
可能な実装では、前記受信モジュールは、前記決定モジュールが前記第１サービスの前記サービス要件を決定する前に、第１メッセージを前記UEから受信するよう更に構成される。ここで、前記第１メッセージは、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、のうちの少なくとも１つ伝達する。
【００６６】
可能な実装では、前記決定モジュールは、前記受信モジュールが前記第１通知メッセージ又は前記第２通知メッセージを前記アクセスネットワーク装置から受信した後に、前記第１通知メッセージ又は前記第２通知メッセージの中で伝達される、前記第１サービスの前記MOS要件、及び、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報、のうちの少なくとも１つに基づき、前記第１サービスの更新サービス要件を決定するよう更に構成される。代替として、前記決定モジュールは、前記受信モジュールが前記第１通知メッセージ又は前記第２通知メッセージを前記アクセスネットワーク装置から受信した後に、前記第三者ネットワーク装置へ第３クエリ要求を送信し、ここで前記第３クエリ要求は、前記第１通知メッセージ又は前記第２通知メッセージの中で伝達される、前記第１サービスの前記MOS要件、及び前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び推奨コーデック情報のうちの少なくとも１つを伝達し、前記第三者ネットワーク装置から第３クエリ応答を受信し、ここで前記第１クエリ応答は前記第１サービスの更新サービス要件を伝達する、よう更に構成される。
【００６７】
可能な実装では、前記送信モジュールは、前記決定モジュールが前記第１サービスの前記更新サービス要件を決定した後に、前記アクセスネットワーク装置へ第１サービス変更要求を送信するよう更に構成され、前記第１サービス変更要求は前記第１サービスの前記更新サービス要件を伝達する。
【００６８】
可能な実装では、前記サービスアプリケーションサーバは、終了モジュールを更に含んで良い。前記終了モジュールは、前記受信モジュールが前記第１通知メッセージ又は前記第２通知メッセージを前記アクセスネットワーク装置から受信した後に、前記第１通知メッセージ又は前記第２通知メッセージの中で伝達される、前記第１セルの前記無線チャネル品質、前記UEの前記端末種別情報、前記UEによりアクセスされる前記キャリア周波数に関する前記情報、前記UEの前記位置情報、前記第１サービスの前記コーデック情報、前記第１セルの前記負荷情報、前記第１ネットワークの前記RAT情報、前記第１サービスの前記帯域幅情報、及び前記推奨コーデック情報、のうちの少なくとも１つに基づき、前記第１サービスを終了することを決定するよう構成される。前記送信モジュールは、第１サービス削除メッセージを前記アクセスネットワーク装置又は前記UEへ送信するよう更に構成される。ここで、前記第１サービス削除メッセージは、前記アクセスネットワーク装置又は前記UEに、前記第１サービスを終了するよう指示するために使用される。
【００６９】
可能な実装では、前記送信モジュールは、具体的に、前記コアネットワーク装置を用いて前記アクセスネットワーク装置へ第１設定要求を配信し、又は前記サービスアプリケーションサーバと前記アクセスネットワーク装置との間のインタフェースを用いて前記アクセスネットワーク装置へ第１設定要求を配信するよう構成される。
【００７０】
可能な実装では、前記送信モジュールは第２メッセージを前記UEへ送信するよう更に構成される。前記第２メッセージは、前記第１サービスの前記コーデック情報が第１コーデック情報から第２コーデック情報に変更されたことを示すために使用される。
【００７１】
可能な実装では、前記決定モジュールは、前記第１コーデック情報に対応する無線チャネル要件が前記第２コーデック情報に対応する無線チャネル要件より高いことを決定するよう更に構成される。
【００７２】
留意すべきことに、本願の実施形態の第６の態様及び第６の態様の可能な実装における、前記第１サービスの前記サービス要件、前記第１サービスの前記更新サービス要件、前記第１サービスの前記無線チャネル要件、前記第１サービスの前記コーデック情報、前記無線チャネル品質、前記UEの前記端末種別情報、前記第１ネットワーク、前記第２ネットワーク、第１指示情報、第２指示情報、前記第３指示情報、前記第１通知メッセージ、前記第２通知メッセージ、及び前記第１通知メッセージ及び前記第２通知メッセージの中で伝達される前記情報の詳細な説明については、本願の実施形態の第１の態様の可能な実装における関連する記載が参照されて良く、詳細は本願の本実施形態において再び記載されない。
【００７３】
第７の態様によると、サービスアプリケーションサーバが提供される。前記サービスアプリケーションサーバは、１又は複数のプロセッサ、メモリ、バスシステム、送信機、受信機、及び１又は複数のアプリケーションプログラムを含む。前記１又は複数のプロセッサ、前記メモリ、前記送信機、及び前記受信機は、前記バスシステムを用いて接続される。前記１又は複数のアプリケーションプログラムは前記メモリに格納され、前記１又は複数のアプリケーションプログラムは命令を含み、前記サービスアプリケーションサーバの前記プロセッサが前記命令を実行すると、前記サービスアプリケーションサーバは、第２の態様及び第２の態様の可能な実装におけるサービス設定方法を実行する。
【００７４】
第８の態様によると、コンピュータ可読記憶媒体が提供される。前記コンピュータ可読記憶媒体は、１又は複数のプログラムを格納し、前記１又は複数のプログラムは命令を含み、前記サービスアプリケーションサーバの前記プロセッサが前記命令を実行すると、前記サービスアプリケーションサーバは、第２の態様及び第２の態様の可能な実装におけるサービス設定方法を実行する。
【００７５】
留意すべきことに、第６の態様、第７の態様、及び第６の態様及び第７の態様の可能な実装におけるサービスアプリケーションサーバの機能モジュールは、第２の態様及び第２の態様の可能な実装におけるサービス設定方法を実装するために前記サービスアプリケーションサーバにおいて機能分割を実行することにより得られる。第６の態様、第７の態様、及び第６の態様及び第７の態様の可能な実装における機能モジュールにより実装される機能の特定の記載及び効果分析については、第２の態様及び第２の態様の可能な実装における詳細な説明を参照し、詳細は本願の本実施形態において再び記載されない。
【図面の簡単な説明】
【００７６】
本願の実施形態の技術的ソリューションをより明確に記載するために、以下は、実施形態又は従来技術を説明するのに必要な添付の図面を簡単に記載する。明らかなことに、以下の説明中の添付の図面は、本願の一部の実施形態を示し、当業者は創造的労力を伴わずこれらの添付の図面から他の図面を更に導出し得る。
【００７７】
【図１】本願の一実施形態による通信ネットワークのネットワークアーキテクチャの概略図である。
【００７８】
【図２】本願の一実施形態による別の通信ネットワークのネットワークアーキテクチャの概略図である。
【００７９】
【図３】本願の一実施形態によるサービス設定方法のフローチャートである。
【００８０】
【図４】本願の一実施形態による別のサービス設定方法のフローチャートである。
【００８１】
【図５】本願の一実施形態による別のサービス設定方法のフローチャートである。
【００８２】
【図６】本願の一実施形態による別のサービス設定方法のフローチャートである。
【００８３】
【図７Ａ】本願の一実施形態による別のサービス設定方法のフローチャートである。
【図７Ｂ】本願の一実施形態による別のサービス設定方法のフローチャートである。
【００８４】
【図８】本願の一実施形態による別のサービス設定方法のフローチャートである。
【００８５】
【図９】本願の一実施形態による別のサービス設定方法のフローチャートである。
【００８６】
【図１０】本願の一実施形態による別のサービス設定方法のフローチャートである。
【００８７】
【図１１Ａ】本願の一実施形態による別のサービス設定方法のフローチャートである。
【図１１Ｂ】本願の一実施形態による別のサービス設定方法のフローチャートである。
【００８８】
【図１２】本願の一実施形態によるアクセスネットワーク装置の概略構造図である。
【００８９】
【図１３】本願の一実施形態による別のアクセスネットワーク装置の概略構造図である。
【００９０】
【図１４】本願の一実施形態によるサービスアプリケーションサーバの概略構造図である。
【００９１】
【図１５】本願の一実施形態による別のサービスアプリケーションサーバの概略構造図である。
【００９２】
【図１６】本願の一実施形態による別のサービスアプリケーションサーバの概略構造図である。
【発明を実施するための形態】
【００９３】
本願の明細書、請求項、及び添付の図面において、用語「第１」、「第２」、等は、異なるオブジェクト間を区別することを意図するが、特定の順序を示さない。さらに、用語「有する」、「含む」、又はそれらの任意の他の変形は、非排他的包含をカバーすることを意図する。例えば、一連のステップ若しくはユニットを含む処理、方法、システム、プロダクト、又は装置は、列挙されたステップ又はユニットに限定されないが、任意で、列挙されないステップ又はユニットを更に含み、或いは任意で、処理、方法、プロダクト、若しくは装置の別の固有のステップ又はユニットを更に含む。
【００９４】
本願の技術的ソリューションは、２Gネットワーク、３Gネットワーク、４Gネットワーク、及び５Gネットワークに適用されて良い。本願の技術的ソリューションは、VoLTEサービス及びビデオ呼サービスに適用可能なだけでなく、ネットワーク信号カバレッジにおいて同様の要件を有する別のサービスにも適用可能である。本願は、ユーザ機器及びユーザ機器の位置するネットワークのサービス種別を限定しない。
【００９５】
図１を参照すると、図１は、本願の一実施形態による通信ネットワークのネットワークアーキテクチャの概略図である。図１に示されるように、通信ネットワークは、アクセスネットワーク装置１１、サービスアプリケーションサーバ１２、及び少なくとも１つのユーザ機器（英語：User  Equipment、略称：UE）１３を含み得る。アクセスネットワーク装置１１は、無線通信リンクを用いてUE１３に接続されて良い。サービスアプリケーションサーバ１２は、UEのサービス登録要求、加入者管理、セッション制御、サービス切り替え、サービス制御、等の処理を担う。アクセスネットワーク装置１１とサービスアプリケーションサーバ１２との間に別のコアネットワーク装置が存在して良く、コアネットワーク装置は、UE１３とサービスアプリケーションサーバ１２との間のサービスの接続を担う。
【００９６】
図２に示されるように、図２は、図１に示される通信ネットワークのネットワークアーキテクチャが具体的に４Gネットワークである一例を示す。図２の進化型NodeB（英語：Evolved  NodeB、略称：eNB）は、図１のアクセスネットワーク装置として使用され、eNBは無線リンクを用いてUE（具体的に言うと図１のUE１３）と通信接続中であって良い。図２に示されるネットワークアーキテクチャのLTEネットワーク内のコアネットワーク装置は、モビリティ管理エンティティ（英語：Mobility  Management  Entity、略称：MME）、サービングゲートウェイ（英語：Serving  Gateway、略称：SGW）、パケットデータネットワークゲートウェイ（英語：PDN  Gateway、略称：PGW）、ポリシ及び課金ルール機能（英語：Policy  and  Charging  Rules  Function、略称：PCRF）エンティティ、等を含んで良い。コアネットワーク装置は、UEのVoLTEサービス等のインターネットプロトコル・マルチメディア・サブシステム（英語：IP  Multimedia  Subsystem、略称：IMS）ネットワークへの接続を担い、及びUEとIMSネットワークとの間のVoLTE呼等に関連するシグナリングの送信を担って良い。さらに、コアネットワーク装置は、VoLTEサービスに関連するユーザプレーンデータ（メディアデータ）を送信するために、関連専用ベアラ（例えば、サービス品質クラス識別子（英語：QoS  Class  Identifier、略称：QCI）＝１）の生成を更に担って良い。
【００９７】
図２に示されるIMSネットワーク装置、例えば、プロキシ呼セッション制御機能（英語：Proxy  Call  Session  Control  Function、略称：P-CSCF）エンティティ、インターロゲイティング／サービング呼セッション制御機能（英語：Interrogating/Serving  Call  Session  Control  Function、略称：S-CSCF）エンティティ、又はサービス集中及び継続アプリケーションサーバ（英語：Service  centralization  and  continuity  application  server、略称：SCC  AS）は、本願の実施形態における任意のサービスアプリケーションサーバとして使用されて良い。
【００９８】
P-CSCFエンティティ（これは、発信側P-CSCFエンティティ及び着信側P-CSCFエンティティに分類され得る）は、VoLTEサービス等の処理においてUEがIMSネットワークにアクセスするとき、第１コンタクトポイントであり、VoLTEサービス等に関連するシグナリングを処理するプロキシとして機能すること及び経路制御を実施することを担って良い。S-CSCFエンティティ（これは、発信側S-CSCFエンティティ及び着信側S-CSCFエンティティに分類され得る）は、IMSネットワークのサービス切り替え局である。S-CSCFエンティティは、主に、UEのサービス登録要求、加入者管理、セッション制御、サービス切り替え、サービス制御、セッション開始プロトコル（英語：Session  Initiation  Protocol、略称：SIP）メッセージ処理及び課金、等を担って良い。SCC  AS（これは、発信側SCC  AS及び着信側SCC  ASに分類され得る）は、UEがLTEネットワークと別のネットワークとの間を移動するとき、サービス連続性を保つ役割を担うよう構成される。
【００９９】
本願の本実施形態におけるUEは、無線端末又は有線端末であって良い。例えば、UEは、携帯電話機、コンピュータ、タブレットコンピュータ、パーソナルデジタルアシスタント（英語：personal  digital  assistant、略称：PDA）、モバイルインターネット装置（英語：mobile  Internet  device、略称：MID）、ウェアラブル装置、又は電子書籍リーダ（英語：e-book  reader）であって良い。
【０１００】
本願の実施形態の幾つかの技術的ソリューションは、具体的に、図１に示される通信ネットワークアーキテクチャ、又は、通信ネットワークアーキテクチャの変形アーキテクチャに基づき実装されて良い。
【０１０１】
本願の一実施形態は、サービス設定方法を提供する。図３に示されるように、サービス設定方法は以下のステップを含む。
【０１０２】
Ｓ３０１。サービスアプリケーションサーバは、アクセスネットワーク装置又はコアネットワーク装置へ第１設定要求を送信する。ここで、第１設定要求は、被設定サービスのサービス要件を伝達する。
【０１０３】
被設定サービスのサービス要件は、アクセスネットワーク装置又はコアネットワーク装置に、被設定サービスを実行するためにUEに対して要求される無線チャネル品質要件を指示するために使用される。
【０１０４】
留意すべきことに、本願の本実施形態におけるサービスアプリケーションサーバは、IMSネットワークにおけるサービスアプリケーションサーバ、例えばP-CSCF、ATCF、S-CSCF、及びSCC  ASのうちの任意の１つ又は少なくとも２つの統合である。
【０１０５】
第１設定要求は、サービスアプリケーションサーバがUEのために被設定サービスを設定する要求メッセージを受信した後に、サービスアプリケーションサーバによりアクセスネットワーク装置へ配信されて良いことが理解され得る。被設定サービスは、VoLTEサービス、ビデオ（video）サービス、又は別のサービス種別のサービスであって良い。
【０１０６】
例えば、被設定サービスはVoLTEサービスであり、サービスアプリケーションサーバ（例えば、P-CSCF、ATCF、S-CSCF、又はSCC  AS）は、UEのためにVoLTEサービスを設定する招待（英語：invite）メッセージを受信した後に、サービス設定要求メッセージ（具体的に言うと、第１設定要求）をアクセスネットワーク装置（例えば、eNB）へ送信して良い。第１設定要求は、VoLTEサービスに無線ネットワークリソースを割り当てるよう、アクセスネットワーク装置（例えば、eNB）に要求するために使用される。UEは発信側UEであって良く、相応して、サービスアプリケーションサーバは発信側サービスアプリケーションサーバである。代替として、UEは着信側UEであって良く、相応して、サービスアプリケーションサーバは着信側サービスアプリケーションサーバである。
【０１０７】
例えば、サービスアプリケーションサーバは、以下の２つの実装のうちのいずれかを用いて、第１設定要求をアクセスネットワーク装置へ送信して良い。
【０１０８】
方法１。サービスアプリケーションサーバは、コアネットワーク装置を用いて、第１設定要求をアクセスネットワーク装置へ配信する。
【０１０９】
例えば、VoLTEサービスを一例として用いると、UEのためにVoLTEサービスを設定する招待（英語：invite）メッセージを受信した後に、サービスアプリケーションサーバは、音声専用ベアラを生成する処理を開始するよう進化型パケットシステム（英語：Evolved  Packet  System、略称：EPS）コアネットワーク装置をトリガするために、PCRFへ認証認可要求を送信して良い。認証認可要求は、VoLTEサービスのサービス要件情報を含む。EPSコアネットワーク装置は、アクセスネットワーク装置へ、音声専用ベアラを生成する要求メッセージを送信して良い。音声専用ベアラを生成する要求メッセージは、VoLTEサービスのサービス要件情報を含む。
【０１１０】
方法２。サービスアプリケーションサーバは、サービスアプリケーションサーバとアクセスネットワーク装置との間のインタフェースを用いて、第１設定要求をアクセスネットワーク装置へ配信する。
【０１１１】
サービスアプリケーションサーバとアクセスネットワーク装置との間のインタフェースは、サービスアプリケーションサーバとアクセスネットワーク装置との間に装置製造者により配置されたプライベートインタフェースであって良い。サービスアプリケーションサーバは、プライベートインタフェースを用いてアクセスネットワーク装置へ、第１設定要求（例えば、VoLTEサービスの設定要求）を直接配信して良い。第１設定要求は、被設定サービスのサービス要件を伝達する。プライベートインタフェースの使用からの関連要求メッセージ（例えば、第１設定要求）は、リアルタイム・トランスポートプロトコル（英語：Real  time  Transport  Protocol、略称：RTP）フローデータパケットのヘッダの拡張フィールド内で伝達されて良い。
【０１１２】
例えば、被設定サービスのサービス要件は、被設定サービスのサービス種別指示情報、被設定サービスの無線チャネル要件、被設定サービスのコーデック情報、UEのコーデック情報リスト、及びUEの端末種別情報、のうちの少なくとも１つを含んで良く、UEのコーデック情報リストは、UE及びサービスアプリケーションサーバの両者によりサポートされるコーデック情報を含む。
【０１１３】
被設定サービスの無線チャネル要件は、基準信号受信電力（英語：Reference  Signal  Receiving  Power、略称：RSRP）要件、基準信号受信品質（英語：Reference  Signal  Receiving  Quality、略称：RSRQ）要件、及び信号対干渉及び雑音比（英語：Signal  to  Interference  plus  Noise  Ratio、略称：SINR）要件、のうちの少なくとも１つを含んで良い。
【０１１４】
被設定サービスのコーデック情報は、被設定サービスのコーデック種別情報、及び被設定サービスのコーデック速度セット情報を含む。
【０１１５】
UEの端末種別情報は、UEの国際移動体装置識別番号（英語：International  Mobile  Equipment  Identity、略称：IMEI）、IMEIの種別認可コード（英語：Type  Approval  Code、略称：TAC）、及びUEの国際移動体加入者識別番号（英語：International  Mobile  Subscriber  Identification  Number、略称：IMSI）、のうちの少なくとも１つを含む。
【０１１６】
Ｓ３０２。アクセスネットワーク装置は、コアネットワーク装置又はサービスアプリケーションサーバから第１設定要求を受信する。
【０１１７】
サービスアプリケーションサーバが上述の方法１を用いて第１設定要求をアクセスネットワーク装置へ送信する場合、アクセスネットワーク装置は、コアネットワーク装置を用いて、サービスアプリケーションサーバから第１設定要求を受信し得ること、又は、サービスアプリケーションサーバが上述の方法２を用いてアクセスネットワーク装置へ第１設定要求を送信する場合、アクセスネットワーク装置は、サービスアプリケーションサーバとアクセスネットワーク装置との間のプライベートインタフェースを用いて、サービスアプリケーションサーバから第１設定要求を直接受信し得ることが理解され得る。
【０１１８】
Ｓ３０３。アクセスネットワーク装置は、UEの位置する第１ネットワークの第１セルの無線チャネル品質が被設定サービスのサービス要件を満たさないと決定する。
【０１１９】
例えば、本願の本実施形態における第１ネットワークは、５Gネットワーク及び４Gネットワークのいずれかであって良い。
【０１２０】
第１設定要求を受信した後に、アクセスネットワーク装置は、第１セルの無線チャネル品質が被設定サービスのサービス要件を満たすか否かを決定して良い。第１セルの無線チャネル品質が被設定サービスのサービス要件を満たすと決定した場合、アクセスネットワーク装置は、被設定サービスに無線リソースを割り当てて良い。代替として、第１セルの無線チャネル品質が被設定サービスのサービス要件を満たさないと決定した場合、アクセスネットワーク装置は、Ｓ３０４及びＳ３０５、又はＳ３０６、又はＳ３０７を実行し続けて良い。
【０１２１】
例えば、被設定サービスのサービス要件を伝達する第１設定要求を受信した後に、アクセスネットワーク装置は、被設定サービスのサービス要件に基づき、被設定サービスの無線チャネル要件を取得し、次に、第１セルの無線チャネル品質を、被設定サービスの取得した無線チャネル要件に基づくサービス要件と比較して、第１セルの無線チャネル品質が被設定サービスのサービス要件を満たすか否かを決定して良い。
【０１２２】
例えば、被設定サービスのサービス要件が被設定サービスのサービス種別指示情報を含むと仮定すると、アクセスネットワーク装置は、サービス種別指示情報に基づき、被設定サービスの特定サービス種別を決定して良い（例えば、被設定サービスは、VoLTEサービス、ビデオ（video）サービス、又は別の種類のサービスである）。次に、アクセスネットワーク装置は、被設定サービスのサービス種別及びサービス種別と無線チャネル要件との間の予め設定された対応に基づき、被設定サービスの無線チャネル要件（例えば、RSRP要件、RSRQ要件、又はSINR要件）を決定して良い。別の例では、被設定サービスのサービス要件が被設定サービスのコーデック情報を含むと仮定すると、アクセスネットワーク装置は、被設定サービスのコーデック情報に基づき、被設定サービスのコーデック情報に対応する無線チャネル要件を決定して良い。
【０１２３】
アクセスネットワーク装置は、UEの位置する第１セルのアップリンク及び／又はダウンリンク無線チャネル品質パラメータが被設定サービスの無線チャネル要件を満たすことができないことに基づき、UEの位置する第１ネットワークの第１セルの無線チャネル品質が被設定サービスのサービス要件を満たすことができないと決定して良いことが理解され得る。
【０１２４】
例えば、アップリンク及び／又はダウンリンクチャネル品質パラメータは、アップリンク及び／又はダウンリンクRSRP、アップリンク及び／又はダウンリンクSINR、及び、アップリンク及び／又はダウンリンクRSRQのうちの少なくとも１つを含んで良い。例えば、アップリンク及び／又はダウンリンクRSRPがRSRP要件より低い、アップリンク及び／又はダウンリンクRSRQが被設定サービスのRSRQ要件より低い、及びアップリンク及び／又はダウンリンクSINRが被設定サービスのSINR要件より低い場合、アクセスネットワーク装置は、第１セルの無線チャネル品質が被設定サービスのサービス要件を満たすことができないと決定して良い。
【０１２５】
例えば、本願の本実施形態の適用シナリオでは、被設定サービスのサービス要件は、被設定サービスのコーデック情報及びUEのコーデック情報リストを含んで良い。UEのコーデック情報リストは、UE及びサービスアプリケーションサーバの両者によりサポートされるコーデック情報を含む。
【０１２６】
本適用シナリオにおいて、Ｓ３０３において「アクセスネットワーク装置により、UEの位置する第１ネットワークの第１セルの無線チャネル品質が被設定サービスのサービス要件を満たさないと決定すること」は、具体的に、アクセスネットワーク装置により、第１セルの無線チャネル品質はUEのコーデック情報リストの中の少なくとも１種類のコーデック情報により要求される無線チャネル品質を満たすが、第１セルの無線チャネル品質は被設定サービスのコーデック情報により要求される無線チャネル品質を満たさないと決定することを含んで良い。
【０１２７】
Ｓ３０４。アクセスネットワーク装置は、第１設定応答を、コアネットワーク装置又はサービスアプリケーションサーバへ送信する。ここで、第１設定応答は、コアネットワーク装置又はサービスアプリケーションサーバに、第１セルの無線チャネル品質が被設定サービスのサービス要件を満たさないことを通知するために使用される。
【０１２８】
第１設定応答は、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つを伝達する。第１セルの無線チャネル品質がUEのコーデック情報リストの中の少なくとも１種類のコーデック情報により要求される無線チャネル品質を満たすと決定した後に、アクセスネットワーク装置は、推奨コーデック情報を決定し得ることが理解され得る。推奨コーデック情報は、アクセスネットワーク装置によりUEのコーデック情報リストから選択され且つUE及びサービスアプリケーションサーバの両者によりサポートされるコーデック情報であって良く、推奨コーデック情報は、第１セルによりサポートされるコーデック情報の中の１片のコーデック情報である。
【０１２９】
UEの位置情報は、UEのセルアイデンティティ、UEの基地局アイデンティティ、UEのTAI、UEのLAI、及びUEのRAIのうちの少なくとも１つを含む。
【０１３０】
Ｓ３０５。サービスアプリケーションサーバは、アクセスネットワーク装置又はコアネットワーク装置から第１設定応答を受信する。
【０１３１】
Ｓ３０６。アクセスネットワーク装置は、第１ネットワークの第２セルにUEをハンドオーバする。
【０１３２】
Ｓ３０７。アクセスネットワーク装置は、第２ネットワークの第３セルにUEをハンドオーバする。
【０１３３】
アクセスネットワーク装置は、第１セルの無線チャネル品質が被設定サービスのサービス要件を満たさないとき、第１ネットワークの第２セルに又は第２ネットワークの第３セルにUEをハンドオーバすることを試みて良い。
【０１３４】
例えば、第２ネットワークは、４Gネットワーク、３Gネットワーク、及び２Gネットワーク、のうちのいずれか１つである。例えば、第１ネットワークが５Gネットワークであるとき、第２ネットワークは４Ｇネットワーク、３Gネットワーク、及び２Gネットワークのうちのいずれか１つであって良い。代替として、第１ネットワークが４Ｇネットワークであるとき、第２ネットワークは３Gネットワーク又は２Gネットワークであって良い。本願の本実施形態における第１セル及び第２セルは、第１ネットワークの異なるセルである。
【０１３５】
本願の本実施形態で提供されるサービス設定方法では、UEのためにサービスを設定する処理において、サービスアプリケーションサーバは、サービス需要及びリアルタイム状態に依存して、アクセスネットワーク装置へ対応するサービス要件情報を配信して良い。相応して、アクセスネットワーク装置は、受信したサービス要件情報をサービス設定の承認閾として使用して良い。具体的に言うと、UEの位置するセルの無線信号品質がサービス要件を満たさないとき、アクセスネットワーク装置は、サービスアプリケーションサーバに通知して、サービスアプリケーションサーバが対応する調整を行うようにする。代替として、アクセスネットワーク装置は、別のセルにおいてサービス設定を達成するために、サービス要件を満たすことのできる別のセルにUEをハンドオーバして良い。本ソリューションを用いると、アクセスネットワーク装置は、サービス設定の承認閾として、被設定サービスの且つサービスアプリケーションサーバからのサービス要件を使用して良い。それにより、経験値にのみ基づき承認閾を決定することにより引き起こされる誤り及び柔軟性欠如のような問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０１３６】
本願の本実施形態の一実装では、サービスアプリケーションサーバは、被設定サービスのサービス要件に含まれる指示情報（例えば、第１指示情報、第２指示情報、又は第３指示情報）を用いて、第１セルの無線チャネル品質が被設定サービスのサービス要件を満たさないとき、第１設定応答によりサービスアプリケーションサーバに直接応答するよう又はUEを別のセルにハンドオーバするよう、アクセスネットワーク装置に指示し、具体的に言うと、第１セルの無線チャネル品質が被設定サービスのサービス要件を満たさないとき、Ｓ３０４、Ｓ３０６、又はＳ３０７のうちの１つを実行することを決定するよう、アクセスネットワーク装置に指示して良い。
【０１３７】
具体的には、被設定サービスのサービス要件が第１指示情報を含むとき、第１指示情報は、第１セルの無線チャネル品質が被設定サービスのサービス要件を満たさないとき、第１設定応答をコアネットワーク装置又はサービスアプリケーションサーバへ送信するよう、アクセスネットワーク装置に指示するために使用されるので、アクセスネットワーク装置は、第１セルの無線チャネル品質が被設定サービスのサービス要件を満たさないとき、第１設定応答をコアネットワーク装置又はサービスアプリケーションサーバへ直接送信して良い。具体的には、図４に示されるように、図３のＳ３０４はＳ３０４’に置き換えられて良い。
【０１３８】
Ｓ３０４’。被設定サービスのサービス要件が第１指示情報を含むと決定した場合、アクセスネットワーク装置は、第１設定応答をコアネットワーク装置又はサービスアプリケーションサーバへ送信する。
【０１３９】
被設定サービスのサービス要件が第２指示情報を含むとき、第２指示情報は、第１セルの無線チャネル品質が被設定サービスのサービス要件を満たさないとき、UEを第２セルにハンドオーバするよう、アクセスネットワーク装置に指示するために使用されるので、アクセスネットワーク装置は、第１セルの無線チャネル品質が被設定サービスのサービス要件を満たさないとき、第１ネットワークの第２セルにUEをハンドオーバして良い。具体的には、図４に示されるように、図３のＳ３０６はＳ３０６’に置き換えられて良い。
【０１４０】
Ｓ３０６’。アクセスネットワーク装置が、被設定サービスのサービス要件は第２指示情報を含むと決定し、且つアクセスネットワーク装置が、無線チャネル品質が被設定サービスのサービス要件を満たす第２セルが存在すると決定した場合、アクセスネットワーク装置は、第２セルにUEをハンドオーバする。
【０１４１】
被設定サービスのサービス要件が第３指示情報を含むとき、第３指示情報は、第１セルの無線チャネル品質が被設定サービスのサービス要件を満たさないとき、UEを第３セルにハンドオーバするよう、アクセスネットワーク装置に指示するために使用されるので、アクセスネットワーク装置は、第１セルの無線チャネル品質が被設定サービスのサービス要件を満たさないとき、第３セルにUEをハンドオーバして良い。具体的には、図４に示されるように、図３のＳ３０７はＳ３０７’に置き換えられて良い。
【０１４２】
Ｓ３０７’。アクセスネットワーク装置が、被設定サービスのサービス要件は第３指示情報を含むと決定し、且つアクセスネットワーク装置が、無線チャネル品質が被設定サービスのサービス要件を満たす第３セルが存在すると決定した場合、アクセスネットワーク装置は、第３セルにUEをハンドオーバする。
【０１４３】
UEを第２セル又は第３セルにハンドオーバする前に、アクセスネットワーク装置は、無線チャネル品質が被設定サービスのサービス要件を満たす第２セル又は第３セルが存在することを決定し得ることが理解され得る。
【０１４４】
本願の本実施形態では、無線チャネル品質が被設定サービスのサービス要件を満たす第２セル又は第３セルが存在することを決定することは、アクセスネットワーク装置が、無線チャネル品質が被設定サービスのサービス要件を満たす第２セルが存在すると決定する一例を用いて記載される。
【０１４５】
方法１。アクセスネットワーク装置は、UEへ測定制御コマンドを配信して良い。測定制御コマンドは、第２セルの無線チャネル品質を測定するよう、UEに指示するために使用される。アクセスネットワーク装置は、UEにより報告された測定報告を受信する。測定報告は、UEが第２セルの無線チャネル品質を測定した後に取得された測定結果を伝達する。測定結果は、第２セルの無線チャネル品質パラメータを含んで良く、アクセスネットワーク装置は、測定結果に基づき、無線チャネル品質が被設定サービスのサービス要件を満たす第２セルが存在すると決定して良い。代替として、測定結果は、無線チャネル品質が被設定サービスのサービス要件を満たす第２セルが存在することを指示する指示情報であって良く、アクセスネットワーク装置は、測定結果の指示に基づき、無線チャネル品質が被設定サービスのサービス要件を満たす第２セルが存在することを直接決定して良い。
【０１４６】
方法２。アクセスネットワーク装置は、UEへ測定制御コマンドを配信する。測定制御コマンドは、被設定サービスのサービス要件に基づき決定された測定報告条件を伝達する。測定制御コマンドは、第２セルの無線チャネル品質を測定するよう、UEに指示するために使用され、測定報告条件は、UEが第２セルの無線チャネル品質は測定報告条件を満たすと決定したとき、アクセスネットワーク装置に測定報告を報告するよう、UEに指示するために使用される。アクセスネットワーク装置が、UEにより報告された測定報告を受信した場合、アクセスネットワーク装置は、無線チャネル品質が被設定サービスのサービス要件を満たす第２セルが存在すると決定する。
【０１４７】
留意すべきことに、アクセスネットワーク装置により、無線チャネル品質が被設定サービスのサービス要件を満たす第３セルが存在することを決定する方法は、アクセスネットワーク装置により、無線チャネル品質が被設定サービスのサービス要件を満たす第２セルが存在すると決定する方法と同様であり、詳細は本願の本実施形態において再び記載されない。
【０１４８】
さらに、無線チャネル品質が被設定サービスのサービス要件を満たす第２セル又は第３セルが存在しないとき、図５に示されるように、本願の本実施形態における方法はＳ３０８及びＳ３０９を更に含んで良い。
【０１４９】
Ｓ３０８。アクセスネットワーク装置が、無線チャネル品質が被設定サービスのサービス要件を満たす第２セル又は第３セルが存在しないと決定した場合、アクセスネットワーク装置は、コアネットワーク装置又はサービスアプリケーションサーバへ第２設定応答を送信する。
【０１５０】
第２設定応答は、第１セルの無線チャネル品質が被設定サービスのサービス要件を満たさないこと、及び無線チャネル品質が被設定サービスのサービス要件を満たす第２セル又は第３セルが存在しないことを、コアネットワーク装置又はサービスアプリケーションサーバに通知するために使用される。
【０１５１】
留意すべきことに、アクセスネットワーク装置により、コアネットワーク装置又はサービスアプリケーションサーバへ第２設定応答を送信する方法は、アクセスネットワーク装置により、コアネットワーク装置又はサービスアプリケーションサーバへ第１設定応答を送信する方法と同様であり、詳細は本願の本実施形態において再び記載されない。
【０１５２】
Ｓ３０９。サービスアプリケーションサーバは、アクセスネットワーク装置又はコアネットワーク装置から第２設定応答を受信する。
【０１５３】
第２設定応答は、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つを伝達する。
【０１５４】
第１設定応答又は第２設定応答の中で伝達される、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び被設定サービスの帯域幅情報、のうちの少なくとも１つは、被設定サービスを更新するためにサービスアプリケーションサーバにより使用されて良い。第１設定応答又は第２設定応答を受信した後に、サービスアプリケーションサーバは、第１セルの無線チャネル品質が被設定サービスのサービス要件を満たさないと決定して良く、被設定サービスの更新サービス要件を伝達する第２設定要求がアクセスネットワーク装置へ送信され得るようにする。具体的に、図６に示されるように、図５に示されるＳ３０５又はＳ３０９の後に、本願の本実施形態における方法は、Ｓ３１０及びＳ３１１を更に含んで良い。
【０１５５】
Ｓ３１０。サービスアプリケーションサーバは、アクセスネットワーク装置又はコアネットワーク装置へ第２設定要求を送信する。ここで、第２設定要求は、被設定サービスの更新サービス要件を伝達する。
【０１５６】
留意すべきことに、サービスアプリケーションサーバにより、アクセスネットワーク装置又はコアネットワーク装置へ第２設定要求を送信する方法は、サービスアプリケーションサーバにより、アクセスネットワーク装置又はコアネットワーク装置へ第１設定要求を送信する方法と同様であり、詳細は本願の本実施形態において再び記載されない。
【０１５７】
Ｓ３１１。アクセスネットワーク装置は、コアネットワーク装置又はサービスアプリケーションサーバから第２設定要求を受信する。
【０１５８】
留意すべきことに、アクセスネットワーク装置により、コアネットワーク装置又はサービスアプリケーションサーバから第２設定要求を受信する方法は、アクセスネットワーク装置により、コアネットワーク装置又はサービスアプリケーションサーバから第１設定要求を受信する方法と同様であり、詳細は本願の本実施形態において再び記載されない。
【０１５９】
第２設定要求を受信した後に、アクセスネットワーク装置は、第１セルの無線チャネル品質が第２設定要求の中で伝達される被設定サービスの更新サービス要件を満たすか否かを決定して良いことが理解され得る。アクセスネットワーク装置により、第１セルの無線チャネル品質が被設定サービスの更新サービス要件を満たすか否かを決定する方法については、アクセスネットワーク装置により、第１セルの無線チャネル品質が被設定サービスのサービス要件を満たすか否かを決定する方法を参照し、詳細は本願の本実施形態において再び記載されない。
【０１６０】
例えば、本願の本実施形態では、被設定サービスのサービス要件に含まれる被設定サービスのコーデック情報は第１コーデック情報であり、被設定サービスの更新サービス要件に含まれる被設定サービスの更新コーデック情報は第２コーデック情報である。サービスアプリケーションサーバは、被設定サービスのコーデック情報が第１コーデック情報であること、及び被設定サービスの更新コーデック情報が第２コーデック情報であることを決定し、被設定サービスのコーデック情報を第１コーデック情報から第２コーデック情報に変更して良い。具体的に、サービスアプリケーションサーバは、第２設定要求を送信するとき、被設定サービスの更新コーデック情報が第２コーデック情報であることを決定して良い。サービスアプリケーションサーバは、さらに、UEへ第２メッセージを送信して良い。第２メッセージは、被設定サービスのコーデック情報が第１コーデック情報から第２コーデック情報に変更されたことを指示するために使用される。
【０１６１】
サービスアプリケーションサーバは、第１コーデック情報に対応する無線チャネル要件が第２コーデック情報に対応する無線チャネル要件より高いことを決定すると、被設定サービスのコーデック情報を第１コーデック情報から第２コーデック情報に変更し、第２メッセージをUEへ送信して良いことが理解され得る。さらに、第１コーデック情報及び第２コーデック情報は、同じ種類のコーデックであるが、異なるコーデック速度セットを使用して良い。例えば、第１コーデック情報および第２コーデック情報の両方がEVSコーデックであるが、第１コーデック情報のコーデック速度セットはEVS全速度セットであり、第２コーデック情報のコーデック速度セットはEVS  VBRモードである。
【０１６２】
さらに、被設定サービスのサービス要件を伝達する第１設定要求をアクセスネットワーク装置へ送信する前に、サービスアプリケーションサーバは、被設定サービスのサービス要件を決定して良い。具体的に、図３〜図６のいずれか１つに示されるＳ３０１の前に、本願の本実施形態における方法はＳ４０１、又はＳ４０２〜Ｓ４０５を更に含んで良い。
【０１６３】
Ｓ４０１。サービスアプリケーションサーバは、被設定サービスの平均オピニオン評点（英語：Mean  Opinion  Score、略称：MOS）、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスのサービス要件を決定する。
【０１６４】
例えば、サービスアプリケーションサーバは、MOS又は「端末の位置するセルの無線チャネル品質、端末の端末種別情報、端末によりアクセスされるキャリア周波数に関する情報、UEの位置情報、サービスのコーデック情報、端末の位置するセルの負荷情報、端末の位置するネットワークのRAT情報、及びサービスの帯域幅情報、のうちの少なくとも１つ」と、サービスのサービス要件と、の間の対応を格納して良い。対応は、サービスアプリケーションサーバにより、ビッグデータを用いて統計収集を通じて取得される。このように、サービスアプリケーションサーバは、被設定サービスのMOS要件、又は「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」に基づき、対応をクエリして、被設定サービスのサービス要件を決定して良い。
【０１６５】
サービスアプリケーションサーバが対応を格納しないとき、対応を格納する第三者ネットワーク装置が、被設定サービスのサービス要件を決定して良い。具体的に、本願の本実施形態における方法は、Ｓ４０２〜Ｓ４０５を更に含んで良い。
【０１６６】
Ｓ４０２。サービスアプリケーションサーバは、第三者ネットワーク装置へ第１クエリ要求を送信する。ここで、第１クエリ要求は、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つを伝達する。
【０１６７】
Ｓ４０３。第三者ネットワーク装置は、第１クエリ要求を受信し、第１クエリ要求の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスのサービス要件を決定する。
【０１６８】
留意すべきことに、第三者ネットワーク装置により、被設定サービスのサービス要件を決定する方法については、サービスアプリケーションサーバにより、被設定サービスのサービス要件を決定する方法が参照されて良く、詳細は本願の本実施形態において再び記載されない。
【０１６９】
Ｓ４０４。第三者ネットワーク装置は、第１クエリ応答をサービスアプリケーションサーバへ送信する。ここで、第１クエリ応答は被設定サービスのサービス要件を伝達する。
【０１７０】
Ｓ４０５。サービスアプリケーションサーバは、第三者ネットワーク装置から第１クエリ応答を受信する。
【０１７１】
被設定サービスのサービス要件を決定する前に、サービスアプリケーションサーバは、先ず、被設定サービスのサービス要件を決定するために使用される「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良いことが理解され得る。
【０１７２】
サービスアプリケーションサーバは、コアネットワーク装置が発信側UE及び着信側UEのためにビデオセッションを設定する処理において、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良い。具体的に、Ｓ４０１又はＳ４０２の前に、本願の本実施形態における方法は、Ｓ５０１〜Ｓ５０４を更に含んで良い。
【０１７３】
Ｓ５０１。サービスアプリケーションサーバは、第２クエリ要求を、コアネットワーク装置、UE、又はアクセスネットワーク装置へ送信する。ここで、第２クエリ要求は、コアネットワーク装置、UE、又はアクセスネットワーク装置に、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」をクエリするよう指示するために使用される。
【０１７４】
Ｓ５０２。コアネットワーク装置、UE、又はアクセスネットワーク装置は、サービスアプリケーションサーバから第２クエリ要求を受信する。
【０１７５】
Ｓ５０３。コアネットワーク装置、UE、又はアクセスネットワーク装置は、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」をクエリする。
【０１７６】
Ｓ５０４。サービスアプリケーションサーバは、第２クエリ応答を、コアネットワーク装置、UE、又はアクセスネットワーク装置から受信する。ここで、第２クエリ応答は、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つを伝達する。
【０１７７】
サービスアプリケーションサーバは、UEからセッションメッセージを受信することにより、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」を取得して良い。具体的に、Ｓ４０１又はＳ４０２の前に、本願の本実施形態における方法は、Ｓ５０５を更に含んで良い。
【０１７８】
Ｓ５０５。サービスアプリケーションサーバは第１メッセージをUEから受信する。ここで、第１メッセージは、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つを伝達する。
【０１７９】
例えば、第１メッセージは、被設定サービスの関連するセッション開始プロトコル（英語：Session  Initiation  Protocol、略称：SIP）シグナリングであって良い。サービスアプリケーションサーバは、SIPシグナリングを受信し及びパースして、「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つ」を取得して良い。
【０１８０】
相応して、被設定サービスの更新サービス要件を伝達する第２設定要求をアクセスネットワーク装置へ送信する前に、サービスアプリケーションサーバは、被設定サービスの更新サービス要件を決定して良い。具体的に、図６に示されるＳ３１０の前に、本願の本実施形態における方法はＳ６０１、又はＳ６０２〜Ｓ６０５を更に含んで良い。
【０１８１】
Ｓ６０１。サービスアプリケーションサーバは、第１設定応答又は第２設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスの更新サービス要件を決定する。
【０１８２】
Ｓ６０２。サービスアプリケーションサーバは、第三者ネットワーク装置へ第３クエリ要求を送信する。ここで、第３クエリ要求は、第１設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つを伝達する。
【０１８３】
Ｓ６０３。第三者ネットワーク装置は、第３クエリ要求を受信し、第１設定応答の中で伝達される、被設定サービスのMOS要件、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つに基づき、被設定サービスの更新サービス要件を決定する。ここで、前述の情報は、第３クエリ要求の中で伝達される。
【０１８４】
Ｓ６０４。第三者ネットワーク装置は、第３クエリ応答をサービスアプリケーションサーバへ送信する。ここで、第３クエリ応答は被設定サービスのサービス要件を伝達する。
【０１８５】
Ｓ６０５。サービスアプリケーションサーバは、第三者ネットワーク装置から第３クエリ応答を受信する。
【０１８６】
留意すべきことに、サービスアプリケーションサーバ又は第三者ネットワーク装置により、被設定サービスの更新サービス要件を決定する方法については、サービスアプリケーションサーバにより、被設定サービスのサービス要件を決定する方法が参照されて良く、詳細は本願の本実施形態において再び記載されない。
【０１８７】
さらに、サービスアプリケーションサーバは、第１設定応答又は第２設定応答を受信した後に、被設定サービスを更に終了して良い。具体的に、図４に示されるＳ３０５の後に、本願の本実施形態における方法は、サービスアプリケーションサーバにより、第１設定応答又は第２設定応答の中で伝達される、第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、及び被設定サービスの帯域幅情報、のうちの少なくとも１つに基づき、被設定サービスを終了することを決定するステップと、サービスアプリケーションサーバにより、被設定サービス削除メッセージをUEへ送信するステップであって、被設定サービス削除メッセージは、被設定サービスを終了するよう、UEに指示するために使用される、ステップと、UEにより、サービスアプリケーションサーバから被設定サービス削除メッセージを受信し、被設定サービスを終了するステップと、を更に含んで良い。
【０１８８】
本実施形態の技術的ソリューションでは、UEのためにサービスを設定する処理において、サービスアプリケーションサーバは、サービス需要及びリアルタイム状態に依存して、アクセスネットワーク装置へ対応するサービス要件情報を配信して良い。相応して、アクセスネットワーク装置は、受信したサービス要件情報をサービス設定の承認閾として使用して良い。具体的に言うと、UEの位置するセルの無線信号品質がサービス要件を満たさないとき、アクセスネットワーク装置は、サービスに無線リソースを割り当てることを拒否し、同時に、サービスアプリケーションサーバに通知して良く、サービスアプリケーションサーバが対応する調整を行うようにする。代替として、アクセスネットワーク装置は、別のセルにおいてサービス設定を達成するために、サービス要件を満たすことのできる別のセルにUEをハンドオーバして良い。本ソリューションを用いると、アクセスネットワーク装置は、サービス設定の承認閾として、被設定サービスの且つサービスアプリケーションサーバからのサービス要件を使用して良い。それにより、経験値にのみ基づき承認閾を決定することにより引き起こされる誤り及び柔軟性欠如のような問題を回避する。さらに、UEのセルの信号品質が承認閾に達しないシナリオ（具体的に言うと、第１セルの無線チャネル品質が被設定サービスのサービス要件を満たさないシナリオ）、例えばネットワーク信号の弱いカバレッジ領域では、サービスの設定後に、サービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０１８９】
以下は、一例として４Gネットワークにおけるビデオ呼サービス設定処理を用いて、本願の実施形態におけるサービス設定方法を詳細に記載する。本願の実施形態では、UEは、ビデオ呼サービスの発信側UE及び着信側UEであって良く、相応して、アクセスネットワーク装置は、発信側UEに対応するeNB又は着信側UEに対応するeNBであって良く、サービスアプリケーションサーバは、発信側UEに対応するIMSコアネットワーク装置（例えば、P-CSCF／S-CSCF／SCC  AS／ATCF）又は着信側UEに対応するIMSコアネットワーク装置であって良い。
【０１９０】
図７Ａ及び図７Ｂに示されるように、本願の一実施形態において提供されるサービス設定方法は、以下のステップを含んで良い。
【０１９１】
Ｓ７０１。IMSコアネットワーク装置は、発信側UEからビデオ呼サービス要求メッセージを受信し、発信側UE及び着信側UEのためにビデオセッションを設定し、サービス要件（例えば、コーデック情報）交渉を実行する。
【０１９２】
IMSコアネットワーク装置が発信側UE及び着信側UEのためにビデオセッションを設定する処理において、IMSコアネットワーク装置は、ビデオ呼サービスのコーデック情報について、発信側UE及び着信側UEと交渉して良い。ビデオ呼サービスのコーデック情報は、ビデオ呼のコーデック種別及びコーデック速度セット情報を含んで良い。例えば、ビデオ呼のコーデック種別は、拡張音声サービス（英語：Enhanced  Voice  Service、略称：EVS）コーデック、適応型マルチレート広帯域音声コーデック（英語：Adaptive  Multi-Rate  Wideband  Speech  Codec、略称：AMR  WB）、適応型マルチレート狭帯域音声コーデック（英語：Adaptive  Multi  Rate-Narrow  Band  Speech  Codec、略称：AMR  NB）、及び動画専門家集団（英語：Moving  Picture  Experts  Group、略称：MPEG）コーデック、のようなコーデック方式であって良い。ビデオ呼のコーデック速度セット情報（codec  rating  set）は、ビデオ呼のコーデック速度が６．６０〜２３．８５kbpsであることを指示して良い。
【０１９３】
さらに、「IMSコアネットワーク装置が発信側UE及び着信側UEのためにビデオセッションを設定する」処理において、IMSコアネットワーク装置は、UE、eNB、又は進化型パケットコア（英語：Evolved  Packet  Core、略称：EPC）装置から、ビデオ呼サービスの他の初期パラメータを更に取得して良い。他の初期パラメータは、UEの端末種別、UEの位置する４Gセルの無線チャネル品質、UEの位置する４Gセルのキャリア周波数情報、UEの現在位置情報、UEの位置する４Gセルの負荷情報（例えば、セルが過負荷か否か）、及びビデオ呼サービスにより要求される帯域幅に関する情報を含んで良い。例えば、UEの端末種別は、UEのIMEI、IMSI、及びIMEIのうちの少なくとも１つであって良い。他の初期パラメータに含まれるIMEIは、具体的に、IMEIの最初の８ビットの中のTACであって良く、TACは、通常、UEの型を表すために使用される。UEの位置する４Gセルの無線チャネル品質は、RSRP、RSRQ、及びSINRのうちの少なくとも１つであって良い。UEの位置する４Gセルのキャリア周波数情報は、UEの位置する４Gセルのキャリア周波数が１８００MHz、９００MHz、等であることを指示して良い。UEの現在位置情報は、UEが共通マクロネットワークの４Gセル、高速鉄道専用ネットワークの４Gセル、等に位置することを指示するために使用される。UEの位置する４Gセルの負荷情報は、UEの位置する４Gセルが過負荷か否かを指示するために使用される。
【０１９４】
例えば、本願の本実施形態では、UEの端末種別情報は、UEがビデオ呼サービスを開始するとき生成される関連セッションシグナリングに含まれて良い。例えば、セッション開始プロトコル（英語：Session  Initiation  Protocol、略称：SIP）シグナリングは、UEの端末種別情報を伝達して良い。IMSコアネットワーク装置は、UEの端末種別情報を取得するために、SIPシグナリングを受信し及びパースして良い。IMSコアネットワーク装置は、代替として、UE又はEPC装置（例えばMME）から、クエリ要求を送信することにより、UEの端末種別情報を取得して良い。SIPシグナリングは、UEの位置する４Gセルの無線チャネル品質のような情報を更に伝達して良い。
【０１９５】
Ｓ７０２。IMSコアネットワーク装置は、ビデオ呼サービスのMOS要件、UEの位置するセルの無線チャネル品質、UEの端末種別情報、UEによりアクセスされるキャリア周波数に関する情報、UEの位置情報、ビデオ呼サービスのコーデック情報、UEの位置するセルの負荷情報、UEの位置するセルのRAT情報、及びビデオ呼サービスの帯域幅情報、のうちの少なくとも１つに基づき、ビデオ呼サービスのサービス要件を決定する。
【０１９６】
ビデオ呼サービスのサービス要件は、ビデオ呼サービスによりeNBの無線チャネルに課される要件である。ビデオ呼サービスのサービス要件は、ビデオ呼サービスのサービス種別指示情報、ビデオ呼サービスの無線チャネル要件、ビデオ呼サービスのコーデック情報、及びUEの端末種別、のうちの少なくとも１つを含んで良い。
【０１９７】
ビデオ呼サービスの無線チャネル要件は、RSRP要件、RSRQ要件、及びSINR要件のうちの少なくとも１つを含んで良い。ビデオ呼サービスの無線チャネル要件は、UEの位置する第１セルのRSRPの最低基準がRSRP要件であり、UEの位置する第１セルのRSRQの最低基準がRSRQ要件であり、及びUEの位置する第１セルのSINRの最低基準がSINR要件であることを、ビデオ呼サービスが要求することを指示するために使用される。ビデオ呼サービスのコーデック情報は、ビデオ呼サービスのコーデック種別情報及びビデオ呼サービスのコーデック速度セット情報を含む。ビデオ呼サービスのコーデック情報は、ビデオ呼サービスが使用を許可されたコーデック種別及びコーデック速度を示すために使用される。UEの端末種別情報は、UEのIMEI、IMEIのTAC、及びUEのIMSIのうちの少なくとも１つを含む。
【０１９８】
IMSコアネットワーク装置の内部データベースが、ビデオ呼サービスのMOS又は「端末の位置するセルの無線チャネル品質、端末の端末種別情報、端末によりアクセスされるキャリア周波数に関する情報、UEの位置情報、サービスのコーデック情報、端末の位置するセルの負荷情報、端末の位置するネットワークのRAT情報、サービスの帯域幅情報、のうちの少なくとも１つ」と、ビデオ呼サービスのサービス要件との間の対応を格納する場合、IMSコアネットワーク装置は、ビデオ呼サービスのサービス要件を決定するために対応をクエリし得ることが理解され得る。
【０１９９】
例えば、IMSコアネットワーク装置がビデオサービスのプリセットMOS要件を４．０ポイントに設定する、言い換えると、ユーザがビデオ呼サービスを完全且つ淀みなく楽しむことを可能にする対応する最小MOS値が４であり、且つ、IMSコアネットワーク装置が交渉の後にコーデック情報（例えば、AMR-WBコーデックが使用される場合、許容速度セットは６．６０〜２３．８５kbpsである）を取得したと仮定すると、IMSは、プリセットMOS要件及びコーデック情報に基づき内部データベースをクエリして、MOS＝４．０であり且つコーデック情報がAMR-WB及び６．６０〜２３．８５kbpsであるとき対応するRSRP要件を取得して良い。別の例では、IMSコアネットワーク装置がビデオサービスのプリセットMOS要件を４．０ポイントに設定し、且つIMSコアネットワーク装置が、UEは高速鉄道専用ネットワークの４Gセルに現在位置することを学習したと仮定すると、IMSは、プリセットMOS要件及びUEの位置情報に基づき内部データベースをクエリして、MOS＝４．０且つUEが高速鉄道専用ネットワークのセルに位置するとき対応するSINR要件を取得して良い。IMSコアネットワーク装置により、別のパラメータに基づきサービス要件を取得する方法は、前述の例の記載と同様であり、詳細はここで再び記載されない。
【０２００】
任意で、IMSコアネットワーク装置が対応を格納しない場合、対応を格納する第三者ネットワーク装置が、ビデオ呼サービスのサービス要件を決定し、ビデオ呼サービスの決定したサービス要件をIMSコアネットワーク装置へ送信して良い。第三者ネットワーク装置により、ビデオ呼サービスのサービス要件を決定する方法は、IMSコアネットワーク装置によりビデオ呼サービスのサービス要件を決定する方法と同様であり、詳細は本願の本実施形態において再び記載されない。
【０２０１】
Ｓ７０３。IMSコアネットワーク装置は、ビデオ呼サービスの第１設定要求をeNBへ送信して、ビデオ呼サービスに無線リソースを割り当てるようeNBをトリガする。ここで、ビデオ呼サービスの設定要求は、ビデオ呼サービスのサービス要件を伝達する。
【０２０２】
図７Ａ及び図７Ｂに示すように、Ｓ７０３は、IMSコアネットワーク装置により、ビデオ呼サービスの専用ベアラの生成をトリガするために、認証認可要求（英語：Authentication  Authorization  Request、略称：AAR）メッセージをPCRFへ開始するステップを含んで良い。UEのユーザ識別子、IMSアプリケーションレイヤ課金識別子、メディア記述情報、等に加えて、AARメッセージは、ビデオ呼サービスのサービス要件情報を更に伝達して良い（図７Ａ及び図７Ｂに示されるように、ビデオ呼サービスのサービス要件情報がRSRP要件を含む一例を用いて説明が提供される）。
【０２０３】
PCRFは、ビデオ呼サービスのユーザプレーンデータ専用ベアラを生成するようPGWをトリガするために、AARの中で伝達されるメディア記述情報に基づき、EPCのPGWへ、サービス品質（英語：Quality  of  Service、略称：QoS）ルールを伝達する再認証要求（英語：Re-Authentication  Request、略称：RAR）メッセージを送信して良い。RARメッセージは、ビデオ呼サービスのサービス要件情報（図１に示されるように、ビデオ呼サービスのサービス要件情報がRSRP要件を含む一例を用いて説明が提供される）を伝達する。
【０２０４】
PCRFからRAR要求を受信した後に、PGWは、ビデオ呼サービスの専用ベアラを生成する処理をトリガし、EPCのSGW及びMME（つまりEPC装置）を用いて、生成ベアラ要求（英語：Create  Bearer  Request）メッセージをアクセスネットワークのeNBへ送信して良い。create  bearer  requestメッセージは、ビデオ呼サービスのサービス要件情報を伝達する（図１に示されるように、ビデオ呼サービスのサービス要件情報がRSRP要件を含む一例を用いて説明が提供される）。
【０２０５】
本願の本実施形態の別の実装では、IMSコアネットワーク装置は、代替として、ビデオ呼サービスの設定要求をeNBへ直接送信して良い。ビデオ呼サービスの設定要求は、ビデオ呼サービスのサービス要件情報を伝達する。例えば、IMSコアネットワーク装置とeNBとの間にインタフェースが存在する場合、IMSコアネットワーク装置は、インタフェースを用いてeNBへビデオ呼サービスの設定要求を送信して良い。IMSコアネットワーク装置とeNBとの間のインタフェースは、前述の実施形態におけるサービスアプリケーションサーバとアクセスネットワーク装置との間のインタフェースである。
【０２０６】
本願の本実施形態の別の実装では、IMSコアネットワーク装置（例えば、ATCF又はATGW）は、代替として、ユーザプレーンデータパケット（例えば、RTPデータパケット）を生成し、ビデオ呼サービスのサービス要件情報（例えば、RSRP要件）をユーザプレーンデータパケットに追加して良く、eNBがユーザプレーンデータパケットを受信した後にRSRP要件をパースして取り出せるようにする。
【０２０７】
Ｓ７０４。eNBは、ビデオ呼サービスの第１設定要求を受信する。
【０２０８】
Ｓ７０５。eNBは、UEの位置する４Gネットワークセルの無線チャネル品質がビデオ呼サービスのサービス要件を満たさないと決定する。
【０２０９】
図７Ａ及び図７Ｂに示されるように、RSRP要件はサービス要件として使用され、Ｓ７０５は具体的に、eNBにより、UEの位置する４GネットワークセルのRSRPがビデオ呼サービスのRSRP要件を満たさないと決定するステップである。
【０２１０】
留意すべきことに、eNBにより、UEの位置する４Gネットワークセルの無線チャネル品質がビデオ呼サービスのサービス要件を満たさないと決定する方法については、前述の実施形態における、アクセスネットワーク装置により、第１セルの無線チャネル品質がビデオ呼サービスのサービス要件を満たさないと決定する方法が参照されて良く、詳細は本願の本実施形態において再び記載されない。
【０２１１】
Ｓ７０５の後に、本願の本実施形態における方法は、Ｓ７０６、Ｓ７０７、又はＳ７０８を更に含んで良い。具体的に、eNBは、ビデオ呼サービスのサービス要件に含まれる指示情報に基づき、Ｓ７０６、Ｓ７０７、又はＳ７０８のうちの１つを実行することを決定して良い。
【０２１２】
Ｓ７０６。ビデオ呼サービスのサービス要件が第１指示情報を含むと決定した場合、eNBは、IMSコアネットワーク装置へ第１設定応答を送信する。
【０２１３】
図７Ａ及び図７Ｂに示されるように、本願の本実施形態の一実装では、eNBは、以下の方法を用いて、IMSコアネットワーク装置へ第１設定応答を送信して良い。
【０２１４】
eNBは、EPC装置（例えばMME）へ、生成ベアラ応答（英語：create  bearer  response）メッセージを送信して良い。create  bearer  responseメッセージは、eNBがビデオ呼サービスのサービス要件により示される無線チャネル品質を提供できないことを指示するために使用される指示情報を伝達する。
【０２１５】
EPC装置は、create  bearer  responseを受信した後に、PCRFへ、クレジット制御要求（英語：Credit  Control  Request、略称：CCR）メッセージを送信して良い。CCRメッセージは、ビデオ呼サービスの専用ベアラの生成が失敗したことを示すために使用される指示情報を伝達し、eNBがビデオ呼サービスのサービス要件により示される無線チャネル品質を提供できないことを示すために使用される指示情報を伝達する。
【０２１６】
PCRFは、RARメッセージ又はアボートセッション要求（英語：Abort-Session-Request、略称：ASR）メッセージをIMSコアネットワーク装置へ送信して良い。RARメッセージ又はASRメッセージは、eNBがビデオ呼サービスのサービス要件により示される無線チャネル品質を提供できないことを示す指示情報を伝達する。
【０２１７】
図７Ａ及び図７Ｂに示される実装に加えて、eNBは、eNBとIMSコアネットワーク装置との間のインタフェースを用いて、IMSコアネットワーク装置へ第１設定応答を更に送信して良い。IMSコアネットワーク装置とeNBとの間のインタフェースは、前述の実施形態におけるサービスアプリケーションサーバとアクセスネットワーク装置との間のインタフェースである。代替として、eNBは、ユーザプレーンデータパケットに第１設定応答を付加し、ユーザプレーンデータパケットをIMSコアネットワーク装置へ送信して良い。eNBにより、eNBとIMSコアネットワーク装置との間のインタフェースを用いて又はユーザプレーンデータパケットを用いて、IMSコアネットワーク装置へ第１設定応答を送信する特定の方法については、本願の本実施形態における関連する記載を参照し、詳細はここで再び記載されない。
【０２１８】
任意で、eNBは、create  bearer  responseメッセージ、CCRメッセージ、RARメッセージ若しくはASRメッセージ、eNBとIMSコアネットワーク装置との間のインタフェース、又はユーザプレーンデータパケットを用いて、「UEの現在位置する４Gネットワークセルの無線チャネル品質、UEの端末種別情報、４Gセルのキャリア周波数情報、UEの位置情報、時間情報、４Gセルの負荷情報、及びビデオ呼サービスの帯域幅情報、のうちの少なくとも１つ」を更に報告して良い。図７Ａ及び図７Ｂに示されるように、第１設定応答が、「UEの現在位置する４Gネットワークセルの無線チャネル品質、UEの端末種別情報、４Gセルのキャリア周波数情報、UEの位置情報、時間情報、４Gセルの負荷情報、及びビデオ呼サービスの帯域幅情報、のうちの少なくとも１つ」を伝達することは、create  bearer  response、CCRメッセージ、又はRARメッセージが第１セルのRSRPを伝達する一例を用いて記載される。
【０２１９】
更に、本願の本実施形態における方法は、
eNBが、ビデオ呼サービスのサービス要件が第２指示情報を含むと決定し、且つeNBが、無線チャネル品質がビデオ呼サービスのサービス要件を満たす第２セルが存在すると決定した場合、eNBにより、UEを第２セルにハンドオーバするステップ、又は、
eNBが、ビデオ呼サービスのサービス要件が第３指示情報を含むと決定し、且つeNBが、無線チャネル品質がビデオ呼サービスのサービス要件を満たす第３セルが存在すると決定した場合、eNBにより、UEを第３セルにハンドオーバするステップ、を更に含んで良い。
【０２２０】
UEの位置する４Gネットワークセルの無線チャネル品質がビデオ呼サービスのサービス要件を満たさないこと、具体的に言うと、UEの現在位置する４Gネットワークセルの無線チャネル品質がIMSコアネットワーク装置により配信されたサービス要件閾より高いこと、が決定されるので、eNBは４Gネットワーク内のUEに対して内部ハンドオーバ処理を実行して、UEを４Gネットワーク内の第１セルから第２セルへハンドオーバして良く、又はeNBは、UEに対して４Gネットワークから３Gネットワーク又は２Gネットワークへのネットワーク間ハンドオーバ処理を実行して、UEを４Gネットワークの第１セルから３Gネットワーク又は２Gネットワークの第３セルにハンドオーバして良い。
【０２２１】
留意すべきことに、eNBがUEを４Gネットワークの第１セルから３Gネットワーク又は２Gネットワークの第３セルにハンドオーバした後に、ビデオ呼サービスは、３Gネットワーク又は２Gネットワークのパケット交換（英語：Packet  Switch、略称：PS）ドメインで実行されて良い。この場合、ネットワーク間ハンドオーバ処理は、PSからPSへのハンドオーバ処理に属する。代替として、ビデオ呼サービスは、３Gネットワーク又は２Gネットワークの回線交換（英語：Circuit  Switched  Domain、略称：CS）ドメインで実行されて良い。この場合、ネットワーク間ハンドオーバ処理は、PSからCSへのハンドオーバ処理に属する。
【０２２２】
eNBにより、無線チャネル品質がビデオ呼サービスのサービス要件を満たす第２セル又は第３セルが存在すると決定する方法については、前述の実施形態における関連する記載を参照し、詳細は本願の本実施形態において再び記載されない。
【０２２３】
任意で、本願の本実施形態では、IMSコアネットワーク装置は、UEが以下の条件を満たすとき、ビデオ呼サービスのサービス要件に、指示情報（第１指示情報、第２指示情報、又は第３指示情報）を付加して良い。
【０２２４】
条件１：UEが音声コーデックA及び音声コーデックBをサポートする。
【０２２５】
条件２：音声コーデックBによりセルの無線チャネル品質に課される要件が、音声コーデックAによりセルの無線チャネル品質に課される要件より低い。
【０２２６】
条件３：ビデオ呼サービスが音声コーデックAを現在使用している。
【０２２７】
例えば、UEは、EVSコーデック及びAMR  WBコーデックの両方をサポートし、且つビデオ呼サービスはAMR  WBコーデックを現在使用していると仮定する。同じユーザ経験の下では、一例としてRSRPを用いると、EVSコーデックによりセルのRSRPに課される要件は、RSRP＞−１２０dBmであり、AMR  WBコーデックによりセルのRSRPに課される要件は、RSRP＞−１１５dBmである。この場合、IMSコアネットワーク装置は、第１指示情報をビデオ呼サービスのサービス要件情報に付加して良く、第１セルのRSRPがAMR  WBによりセルのRSRPに課される要件を満たさないとき、eNBが、第１設定応答を送信して、IMSコアネットワーク装置に通知し、したがって、IMSコアネットワーク装置がEVSコーデックを使用するようにして、それにより、単一無線音声呼連続性（英語：Single  Radio  Voice  Call  Continuity、略称：SRVCC）の実行を回避する。代替として、IMSコアネットワーク装置は、第２指示情報又は第３指示情報をビデオ呼サービスのサービス要件情報に付加して良く、第１セルのRSRPがAMR  WBによりセルのRSRPに課される要件を満たさないとき、eNBがSRVCCを直接実行し得るよう、及び別のセルがビデオ呼サービスの対応する無線リソースをUEに提供するようにする。
【０２２８】
無線チャネル品質がビデオ呼サービスのサービス要件を満たす第２セル又は第３セルは存在しないことがある。この場合、図７Ａ及び図７Ｂに示されるように、本願の本実施形態における方法は、eNBが無線チャネル品質がビデオ呼サービスのサービス要件を満たす第２セル又は第３セルは存在しないと決定した場合、eNBにより、IMSコアネットワーク装置へ第２設定応答を送信するステップと、IMSコアネットワーク装置により、eNBから第２設定応答を受信するステップと、を更に含んで良い。
【０２２９】
無線チャネル品質が被設定サービスのサービス要件を満たす第２セル又は第３セルは存在しないとき、eNBは、ビデオ呼サービスに無線リソースを割り当てることを拒否し、（第２設定応答を用いて）IMSコアネットワーク装置に、第１セルの無線チャネル品質はビデオ呼サービスのサービス要件を満たさないこと、及び無線チャネル品質がビデオ呼サービスのサービス要件を満たす第２セル又は第３セルが存在しないことを通知して良い。
【０２３０】
Ｓ７０７。IMSコアネットワーク装置は、受信した第１設定応答又は第２設定応答に基づき、ビデオ呼サービスの更新サービス要件を決定する。
【０２３１】
IMSコアネットワーク装置は、第１設定応答又は第２設定応答の中で伝達される、「第１セルの無線チャネル品質、UEの端末種別情報、UEによりアクセスされるキャリア周波数に関する情報、UEの位置情報、ビデオ呼サービスのコーデック情報、第１セルの負荷情報、第１ネットワークのRAT情報、ビデオ呼サービスの帯域幅情報、のうちの少なくとも１つ」に基づき、ビデオ呼サービスの更新サービス要件を決定して良いことが理解され得る。IMSコアネットワーク装置により、ビデオ呼サービスの更新サービス要件を決定する方法は、IMSコアネットワーク装置によりビデオ呼サービスのサービス要件を決定する方法と同様であり、詳細は本願の本実施形態において再び記載されない。
【０２３２】
例えば、ビデオ呼サービスのサービス要件はビデオ呼サービスのコーデック情報を含むと仮定する。ビデオ呼サービスはAMR−WBコーデックを使用し、AMR−WBコーデックのコーデック速度は２３．８５kbpsであり、及びAMR−WBコーデックにより第１セルのRSRPに課される要件はRSRP＞−１１５dBmである。しかしながら、第１セルのRSRPが−１１８dBm（＜−１１dBm）である場合、IMSコアネットワーク装置は、ビデオサービスのコーデック種別をEVSコーデックに変更し、コーデック速度を１３．２kbpsコーデックに調整し、及びEVSコーデック方式に基づき、EVSコーデックにより第１セルのRSRPに課される要件はRSRP＞−１２０dBm（＜−１１８dBm）であると決定して良い。
【０２３３】
任意で、IMSコアネットワーク装置は、ビデオ呼サービスのコーデック情報を調整した後に、サービスコーデック情報調整通知メッセージ（具体的に言うと、第２メッセージ）を発信側UE及び着信側UEへ送信して良い。さらに、着信側UEがEVSコーデックをサポートしない場合、IMSコアネットワーク装置は、続いて、発信側UE及び着信側UEのコーデック方式を変更して良い。
【０２３４】
Ｓ７０８。IMSコアネットワーク装置は、ビデオ呼サービスの第２設定要求をeNBへ送信する。
【０２３５】
例えば、図７Ａ及び図７Ｂに示されるように、IMSコアネットワーク装置により、ビデオ呼サービスの第２設定要求をeNBへ送信する方法は、IMSコアネットワーク装置により、ビデオ呼サービスの第１設定要求をeNBへ送信する方法と同様であり、詳細は本願の本実施形態において再び記載されない。図７Ａ及び図７Ｂは、更新RSRPがビデオ呼サービスの更新サービス要件として使用される一例を用いる。
【０２３６】
Ｓ７０９。eNBは、IMSコアネットワーク装置から第２設定要求を受信する。ここで、第２設定要求は、ビデオ呼サービスの更新サービス要件を伝達する。
【０２３７】
例えば、図７Ａ及び図７Ｂに示されるように、前述の例に基づき、Ｓ７０９は、eNBにより、更新RSRP要件を伝達する生成ベアラ要求を受信するステップである。
【０２３８】
ビデオ呼サービスの更新サービス要件を受信した後に、eNBは、Ｓ７０５を実行するために継続し、具体的に言うと、UEの位置する４Gネットワークセルの無線チャネル品質がビデオ呼サービスの更新サービス要件を満たすか否かを決定し、後続の対応する処理を実行して良い。図７Ａ及び図７Ｂに示されるように、本願の本実施形態における方法は、Ｓ７１０及びＳ７１１を更に含んで良い。Ｓ７１０及びＳ７１１の詳細な説明については、本願の本実施形態における関連する内容を参照し、詳細はここで再び記載されない。
【０２３９】
さらに、本願の本実施形態では、IMSコアネットワーク装置は、さらに、第１設定応答又は第２設定応答を受信した後に、ビデオ呼サービスを終了して良い。IMSコアネットワーク装置は、第１セルの無線チャネル品質がビデオ呼サービスのサービス要件を満たすことを可能にするために、ビデオ呼サービスのサービス要件に更なる調整が行われ得ないと決定すると、ビデオ呼サービスを終了して良い。IMSコアネットワーク装置は、ビデオ呼サービスを終了することを決定すると、ビデオ呼サービス削除メッセージを、発信側UEへ送信して良い。削除メッセージは、ビデオ呼サービスを終了する特定理由値、例えば、第１セルの無線チャネル品質がビデオ呼サービスのサービス要件を満たすことができないことを伝達して良い。
【０２４０】
一実装では、IMSコアネットワーク装置が第１設定応答又は第２設定応答をeNBから受信した後に、IMSコアネットワーク装置が、第１セルの無線チャネル品質がビデオ呼サービスのサービス要件を満たすことを可能にするために、ビデオ呼サービスのサービス要件に更なる調整が行われ得ないことを決定した場合、IMSコアネットワーク装置は、発信側UEと交渉して、発信側UEが現在のサービス経験を受け入れ、及びサービスを保持し続けるか否かを、発信側UEに尋ねて良い。UEが現在のサービス経験を受け入れた場合、IMSコアネットワーク装置は、ビデオ呼サービスのサービス要件を調整せず、又はビデオ呼サービスを終了する動作を実行せず、EPC装置及びeNBに対してビデオ呼サービスの専用ベアラを生成する処理を再トリガして良い。ビデオ呼サービスの専用ベアラを生成する本処理では、IMSコアネットワーク装置は、ビデオ呼サービスのサービス要件をEPC装置及びeNBへ送信しない、又はIMSコアネットワーク装置は、ビデオ呼サービスのサービス要件を送信し、同時にeNBに、eNBがビデオ呼サービスに無線リソースを割り当てるとき、ビデオ呼サービスのサービス要件を無視するよう指示して良い。
【０２４１】
本願の本実施形態において提供されるサービス設定方法では、UEのためにビデオ呼サービスを設定する処理において、IMSコアネットワーク装置は、ビデオ呼サービスのサービス要件をeNBへ配信して良い。相応して、eNBは、ビデオ呼サービスの受信したサービス要件を、ビデオ呼サービス設定の承認閾として使用して良い。具体的に言うと、UEの位置するセルの無線信号品質がビデオ呼サービスのサービス要件を満たさないとき、eNBは、ビデオ呼サービスに無線リソースを割り当てることを拒否し、同時に、IMSコアネットワーク装置に通知して良く、このセル内でビデオ呼サービス設定を達成するために、IMSコアネットワーク装置がビデオ呼サービスのサービス要件に対応する調整を行うようにする。代替として、eNBは、別のセルにおいてビデオ呼サービス設定を達成するために、サービス要件を満たすことのできる別の４Gセル又は２G／３GセルにUEをハンドオーバして良い。
【０２４２】
留意すべきことに、前述の実施形態は、単に一例として４Gネットワーク内のビデオ呼サービスを用いて、本願の実施形態において提供されるサービス設定方法を記載した。本願の実施形態において提供されるサービス設定方法は、別のネットワーク標準における別のサービス設定処理に更に適用されて良い。本ソリューションを用いて、ネットワーク側は、異なるサービスのサービス要件に依存してサービス設定の承認閾を適応的に決定し得る。それにより、経験値にのみ基づき承認閾を決定することにより引き起こされる誤り及び柔軟性欠如のような問題を回避する。さらに、UEのセルの信号品質が承認閾より低いシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０２４３】
本願の一実施形態は、サービス設定方法を提供する。図８に示されるように、サービス設定方法は以下のステップを含む。
【０２４４】
Ｓ８０１。第１サービスアプリケーションサーバは、第１設定要求をアクセスネットワーク装置又は第１コアネットワーク装置へ送信する。ここで、第１設定要求は第１サービスのサービス要件を伝達し、第１サービスのサービス要件は、アクセスネットワーク装置に、第１サービスを実行するためにユーザ機器UEに対して要求される無線チャネル品質要件を指示するために使用される。
【０２４５】
留意すべきことに、第１サービスのサービス要件の特定の内容については、前述の実施形態における被設定サービスのサービス要件の詳細な説明が参照されて良く、詳細は本願の本実施形態において再び記載されない。
【０２４６】
Ｓ８０２。アクセスネットワーク装置は、第１コアネットワーク装置又は第１サービスアプリケーションサーバから第１設定要求を受信する。
【０２４７】
Ｓ８０３。アクセスネットワーク装置は、第１設定応答を第１コアネットワーク装置又は第１サービスアプリケーションサーバへ送信する。ここで、第１設定応答は、第１コアネットワーク装置又は第１サービスアプリケーションサーバに、アクセスネットワーク装置が第１設定要求を受け入れたことを通知するために使用される。
【０２４８】
ネットワーク内の各セルの無線チャネル品質は、常に変化し得る。言い換えると、Ｓ８０３でアクセスネットワーク装置が第１設定応答を第１コアネットワーク装置又は第１サービスアプリケーションサーバへ送信した後に、第１セルの無線チャネル品質は第１サービスのサービス要件を満たさないことがある。具体的に、Ｓ８０３の後に、本願の本実施形態における方法は、Ｓ８０４を更に含んで良い。
【０２４９】
Ｓ８０４。アクセスネットワーク装置は、UEの位置する第１ネットワークの第１セルの無線チャネル品質が第１サービスのサービス要件を満たさないと決定する。
【０２５０】
留意すべきことに、本実施形態において、アクセスネットワーク装置により、UEの位置する第１ネットワークの第１セルの無線チャネル品質が第１サービスのサービス要件を満たすか否かを決定する特定の方法については、前述の実施形態における、アクセスネットワーク装置により、第１セルの無線チャネル品質が被設定サービスのサービス要件を満たすか否かを決定する特定の方法が参照されて良く、詳細は本願の本実施形態において再び記載されない。
【０２５１】
例えば、本願の本実施形態の適用シナリオでは、第１サービスのサービス要件は、第１サービスのコーデック情報及びUEのコーデック情報リストを含んで良い。UEのコーデック情報リストは、UE及びサービスアプリケーションサーバの両者によりサポートされるコーデック情報を含む。
【０２５２】
本適用シナリオにおいて、Ｓ８０４において「アクセスネットワーク装置により、UEの位置する第１ネットワークの第１セルの無線チャネル品質が第１サービスのサービス要件を満たさないと決定すること」は、具体的に、アクセスネットワーク装置により、第１セルの無線チャネル品質はUEのコーデック情報リストの中の少なくとも１種類のコーデック情報により要求される無線チャネル品質を満たすが、第１セルの無線チャネル品質は被設定サービスのコーデック情報により要求される無線チャネル品質を満たさないと決定することを含んで良い。
【０２５３】
第１セルの無線チャネル品質が第１サービスのサービス要件を満たさないとき、Ｓ８０５、Ｓ８０６、又はＳ８０７のいずれかのステップが実行されて良い。
【０２５４】
Ｓ８０５。アクセスネットワーク装置は、第１通知メッセージを、第１コアネットワーク装置又は第１サービスアプリケーションサーバへ送信する。ここで、第１通知メッセージは、第１コアネットワーク装置又は第１サービスアプリケーションサーバに、第１セルの無線チャネル品質が第１サービスのサービス要件を満たさないことを通知するために使用される。
【０２５５】
第１通知メッセージは、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び第１サービスの帯域幅情報、のうちの少なくとも１つを伝達する。
【０２５６】
第１セルの無線チャネル品質がUEのコーデック情報リストの中の少なくとも１種類のコーデック情報により要求される無線チャネル品質を満たすと決定した後に、アクセスネットワーク装置は、推奨コーデック情報を決定し得ることが理解され得る。推奨コーデック情報は、アクセスネットワーク装置によりUEのコーデック情報リストから選択され且つUE及びサービスアプリケーションサーバの両者によりサポートされるコーデック情報であって良く、推奨コーデック情報は、第１セルによりサポートされるコーデック情報の中の１片のコーデック情報である。
【０２５７】
Ｓ８０６。第１サービスアプリケーションサーバは、第１コアネットワーク装置又はアクセスネットワーク装置から第１通知メッセージを受信する。
【０２５８】
Ｓ８０７。アクセスネットワーク装置は、第１ネットワークの第２セルにUEをハンドオーバする。
【０２５９】
Ｓ８０８。アクセスネットワーク装置は、第２ネットワークの第３セルにUEをハンドオーバする。
【０２６０】
本実施形態では、第１ネットワークは前述の実施形態における第１ネットワークと同じであり、第２ネットワークは前述の実施形態における第２ネットワークと同じであり、第１ネットワーク及び第２ネットワークの詳細な説明については、前述の実施形態の関連する内容を参照する。
【０２６１】
本願の本実施形態において提供されるサービス設定方法では、アクセスネットワーク装置により受信された第１設定要求は第１サービスのサービス要件を伝達するので、アクセスネットワーク装置が第１設定要求を受け入れた（具体的に言うと、第１設定応答をサービスアプリケーションサーバへ送信した）後に、UEの位置するセルの無線チャネル品質が第１サービスのサービス要件を満たさない場合、アクセスネットワーク装置は、サービスに無線リソースを割り当てることを拒否し、同時に、サービスアプリケーションサーバに「第１セルの無線チャネル品質は第１サービスのサービス要件を満たさない」ことを通知するために使用される第１通知メッセージを、サービスアプリケーションサーバへ送信し、又は別のセル内で第１サービスの設定を達成するために、別のセルにUEをハンドオーバする。本ソリューションを用いて、ネットワーク側は、サービス設定の承認閾（具体的に言うと、サービスのサービス要件を適応的に決定し得る。それにより、経験値にのみ基づき承認閾を決定することにより引き起こされる誤り及び柔軟性欠如のような問題を回避する。さらに、UEのセルの信号品質が承認閾に達しないシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０２６２】
本願の本実施形態の一実装では、第１サービスアプリケーションサーバは、被設定サービスのサービス要件に含まれる指示情報を用いて、第１セルの無線チャネル品質が第１サービスのサービス要件を満たさないとき、第１通知メッセージにより第１サービスアプリケーションサーバに直接応答するよう又はUEを別のセルにハンドオーバするよう、アクセスネットワーク装置に指示し、具体的に言うと、第１セルの無線チャネル品質が被設定サービスのサービス要件を満たさないとき、Ｓ８０５、Ｓ８０７、又はＳ８０８のうちの１つを実行することを決定するよう、アクセスネットワーク装置に指示して良い。
【０２６３】
具体的には、図９に示されるように、図８のＳ８０５はＳ８０５’で置き換えられて良く、Ｓ８０７はＳ８０７’で置き換えられて良く、Ｓ８０８はＳ８０８’で置き換えられて良い。
【０２６４】
Ｓ８０５’。第１サービスのサービス要件が第１指示情報を含むと決定した場合、アクセスネットワーク装置は、第１通知メッセージを第１コアネットワーク装置又は第１サービスアプリケーションサーバへ送信する。
【０２６５】
第１指示情報は、アクセスネットワーク装置に、第１セルの無線チャネル品質が第１サービスのサービス要件を満たさないとき、第１通知メッセージを第１コアネットワーク装置又は第１サービスアプリケーションサーバへ送信するよう指示するために使用される。
【０２６６】
Ｓ８０７’。アクセスネットワーク装置が、第１サービスのサービス要件は第２指示情報を含むと決定し、且つアクセスネットワーク装置が、無線チャネル品質が第１サービスのサービス要件を満たす第２セルが存在すると決定した場合、アクセスネットワーク装置は、第２セルにUEをハンドオーバする。
【０２６７】
第２指示情報は、アクセスネットワーク装置に、第１セルの無線チャネル品質が第１サービスのサービス要件を満たさないとき、UEを第２セルにハンドオーバするよう指示するために使用される。
【０２６８】
Ｓ８０８’。アクセスネットワーク装置が、第１サービスのサービス要件は第３指示情報を含むと決定し、且つアクセスネットワーク装置が、無線チャネル品質が第１サービスのサービス要件を満たす第３セルが存在すると決定した場合、アクセスネットワーク装置は、第３セルにUEをハンドオーバする。
【０２６９】
第３指示情報は、アクセスネットワーク装置に、第１セルの無線チャネル品質が第１サービスのサービス要件を満たさないとき、UEを第３セルにハンドオーバするよう指示するために使用される。
【０２７０】
更に、図９に示されるＳ８０３の前に、本願の本実施形態における方法は、Ｓ８０９を更に含む。
【０２７１】
Ｓ８０９。アクセスネットワーク装置は、第１セルの無線チャネル品質が第１サービスのサービス要件を満たすと決定する。
【０２７２】
留意すべきことに、本願の本実施形態では、アクセスネットワーク装置により、無線チャネル品質が第１サービスのサービス要件を満たす第２セル又は第３セルが存在することを決定する方法は、アクセスネットワーク装置により、無線チャネル品質が被設定サービスのサービス要件を満たす第２セルが存在すると決定する方法と同様であり、詳細は本願の本実施形態において再び記載されない。
【０２７３】
更に、図１０に示されるように、図９に示されるＳ８０２の後に、本願の本実施形態における方法は、Ｓ８１０を更に含む。
【０２７４】
Ｓ８１０。アクセスネットワーク装置は、第１サービスに無線リソースを割り当てる。
【０２７５】
さらに、無線チャネル品質が第１サービスのサービス要件を満たす第２セル又は第３セルが存在しないとき、図１０に示されるように、本願の本実施形態における方法はＳ８１１及びＳ８１２を更に含んで良い。
【０２７６】
Ｓ８１１。アクセスネットワーク装置が、無線チャネル品質が第１サービスのサービス要件を満たす第２セル又は第３セルが存在しないと決定した場合、アクセスネットワーク装置は、第１コアネットワーク装置又は第１サービスアプリケーションサーバへ第２通知メッセージを送信する。
【０２７７】
第２通知メッセージは、第１セルの無線チャネル品質が第１サービスのサービス要件を満たさないこと、及び無線チャネル品質が第１サービスのサービス要件を満たす第２セル又は第３セルが存在しないことを、第１コアネットワーク装置又は第１サービスアプリケーションサーバに通知するために使用される。第２通知メッセージは、第１セルの無線チャネル品質、UEの端末種別情報、UEによりアクセスされるキャリア周波数に関する情報、UEの位置情報、第１セルの負荷情報、第１ネットワークのRAT情報、推奨コーデック情報、及び第１サービスの帯域幅情報、のうちの少なくとも１つを伝達する。
【０２７８】
Ｓ８１２。第１サービスアプリケーションサーバは、アクセスネットワーク装置又は第１コアネットワーク装置から第２通知メッセージを受信する。
【０２７９】
更に、図１０に示されるＳ８１０の後に、本願の本実施形態における方法は、Ｓ８１３を更に含む。
【０２８０】
Ｓ８１３。アクセスネットワーク装置が、無線チャネル品質が第１サービスのサービス要件を満たす第２セル又は第３セルが存在しないと決定した場合、アクセスネットワーク装置は、第１サービスに割り当てられた無線リソースを削除する。
【０２８１】
第１通知メッセージ又は第２通知メッセージを受信した後に、第１サービスアプリケーションサーバは、第１セルの無線チャネル品質が第１サービスのサービス要件を満たさないと決定し、次に、第１サービスの更新サービス要件を伝達する第１サービス変更要求をアクセスネットワーク装置へ送信して良い。具体的に、Ｓ８０５、Ｓ８０５’、又はＳ８１１の後に、本願の本実施形態における方法は、Ｓ８１４を更に含んで良い。
【０２８２】
Ｓ８１４。第１サービスアプリケーションサーバは、アクセスネットワーク装置又は第１コアネットワーク装置へ第１サービス変更要求を送信する。ここで、第１サービス変更要求は、第１サービスの更新サービス要件を伝達する。
【０２８３】
Ｓ８１５。アクセスネットワーク装置は、第１コアネットワーク装置又は第１サービスアプリケーションサーバから第１サービス変更要求を受信する。
【０２８４】
留意すべきことに、アクセスネットワーク装置により、第１コアネットワーク装置又は第１サービスアプリケーションサーバから第１サービス変更要求を受信する方法は、アクセスネットワーク装置により、コアネットワーク装置又は第１サービスアプリケーションサーバから第１設定要求を受信する方法と同様であり、詳細は本願の本実施形態において再び記載されない。
【０２８５】
第１サービス変更要求を受信した後に、アクセスネットワーク装置は、第１セルの無線チャネル品質が第１サービス変更要求の中で伝達される第１サービスの更新サービス要件を満たすか否かを決定して良いことが理解され得る。アクセスネットワーク装置により、第１セルの無線チャネル品質が第１サービスの更新サービス要件を満たすか否かを決定する方法については、アクセスネットワーク装置により、第１セルの無線チャネル品質が被設定サービスのサービス要件を満たすか否かを決定する方法を参照し、詳細は本願の本実施形態において再び記載されない。
【０２８６】
本願の本実施形態では、第１サービスは前述の実施形態における被設定サービスと同様であり、第１サービスのコーデック情報は第１コーデック情報であって良く、第１サービスの更新コーデック情報は第２コーデック情報であって良い。第１サービス変更要求を送信するとき、第１サービスアプリケーションサーバは、第１サービスの更新コーデック情報が第２コーデック情報であると決定し、第１サービスのコーデック情報を第１コーデック情報から第２コーデック情報に変更して良い。第１サービスアプリケーションサーバは、さらに、UEへ第２メッセージを送信して良い。第２メッセージは、第１サービスのコーデック情報が第１コーデック情報から第２コーデック情報に変更されたことを指示するために使用される。
【０２８７】
第１サービスアプリケーションサーバは、第１コーデック情報に対応する無線チャネル要件が第２コーデック情報に対応する無線チャネル要件より高いことを決定すると、第１サービスのコーデック情報を第１コーデック情報から第２コーデック情報に変更し、第２メッセージをUEへ送信して良いことが理解され得る。
【０２８８】
さらに、アクセスネットワーク装置は、別のサービスアプリケーションサーバからであり且つ第１サービスと異なる別のサービスを設定するために使用されるサービス設定要求を更に受信して良い。具体的に、アクセスネットワーク装置は、第２コアネットワーク装置又は第２サービスアプリケーションサーバから第２設定要求を受信して良い。第２設定要求は第２サービスのサービス要件を伝達し、第２サービスのサービス要件は、アクセスネットワーク装置に、第２サービスを実行するためにUEに対して要求される無線チャネル品質要件を指示するために使用される。第２サービスのサービス要件が第１サービスのサービス要件より高いことを決定した後に、アクセスネットワーク装置は、第２測定制御コマンドをUEに配信して良い。第２測定制御コマンドは、UEに、第１セルの無線チャネル品質を測定し、第１セルの無線チャネル品質が第２サービスのサービス要件を満たさないとき、第２測定報告をアクセスネットワーク装置へ送信するよう指示するために使用される。第２測定報告は、アクセスネットワーク装置に、第１セルの無線チャネル品質が第２サービスのサービス要件を満たさないことを指示するために使用される。
【０２８９】
留意すべきことに、本願の本実施形態では、第１サービスアプリケーションサーバは、さらに、第１サービスのサービス要件を伝達する第１設定要求をアクセスネットワーク装置へ送信する前に、第１サービスのサービス要件を決定して良い。第１サービスアプリケーションサーバにより、第１サービスのサービス要件を決定する方法は、前述の実施形態における「サービスアプリケーションサーバにより、被設定サービスのサービス要件を決定する」方法と同様であり、詳細は本願の本実施形態において再び記載されない。
【０２９０】
第１サービスのサービス要件を決定する前に、第１サービスアプリケーションサーバは、第１サービスのサービス要件を決定するために使用される「第１セルの無線チャネル品質、UEの端末種別情報、UEによりアクセスされるキャリア周波数に関する情報、UEの位置情報、被設定サービスのコーデック情報、第１セルの負荷情報、第１ネットワークのRAT情報、被設定サービスの帯域幅情報、のうちの少なくとも１つ」（簡単に、サービス要件取得情報として参照される）を更に取得して良い。第１サービスアプリケーションサーバにより、サービス要件取得情報を取得する方法については、前述の実施形態におけるＳ５０１〜Ｓ５０４の関連する記載を参照し、詳細は本願の本実施形態において再び記載されない。
【０２９１】
さらに、第１サービスアプリケーションサーバにより、第１サービスの更新サービス要件を決定する方法は、前述の実施形態における「サービスアプリケーションサーバにより、被設定サービスの更新サービス要件を決定する」方法（具体的に言うと、Ｓ６０１〜Ｓ６０５の関連する記載）と同様であり、詳細は本願の本実施形態において再び記載されない。
【０２９２】
以下は、一例として４GネットワークにおけるVoLTEサービス設定処理を用いて、本願の実施形態におけるサービス設定方法を詳細に記載する。本願の実施形態では、UEは、VoLTEサービスの発信側UE及び着信側UEであって良く、相応して、アクセスネットワーク装置は、発信側UEに対応するeNB又は着信側UEに対応するeNBであって良く、サービスアプリケーションサーバは、発信側UEに対応するIMSコアネットワーク装置（例えば、P-CSCF／S-CSCF／SCC  AS／ATCF）又は着信側UEに対応するIMSコアネットワーク装置であって良い。
【０２９３】
図１１Ａ及び図１１Ｂに示されるように、本願の一実施形態において提供されるサービス設定方法は、以下のステップを含んで良い。
【０２９４】
Ｓ１１０１。IMSコアネットワーク装置は、発信側UEからVoLTEサービス要求メッセージを受信し、発信側UE及び着信側UEのためにビデオセッションを設定し、サービス要件（例えば、コーデック情報）交渉を実行する。
【０２９５】
Ｓ１１０２。IMSコアネットワーク装置は、VoLTEサービスのMOS要件、UEの位置するセルの無線チャネル品質、UEの端末種別情報、UEによりアクセスされるキャリア周波数に関する情報、UEの位置情報、ビデオ呼サービスのコーデック情報、UEの位置するセルの負荷情報、UEの位置するセルのRAT情報、及びビデオ呼サービスの帯域幅情報、のうちの少なくとも１つに基づき、VoLTEサービスのサービス要件を決定する。
【０２９６】
Ｓ１１０３。IMSコアネットワーク装置は、VoLTEサービスの第１設定要求をeNBへ送信して、VoLTEサービスに無線リソースを割り当てるようeNBをトリガする。ここで、第１設定要求は、VoLTEサービスのサービス要件を伝達する。
【０２９７】
Ｓ１１０４。eNBは、VoLTEサービスの第１設定要求を受信する。
【０２９８】
図１１Ａ及び図１１Ｂに示されるように、Ｓ１１０４は具体的に、eNBにより、VoLTEサービスのRSRP要件を伝達する生成ベアラ要求を受信するステップであって良い。
【０２９９】
留意すべきことに、本願の本実施形態におけるＳ１１０１〜Ｓ１１０４の詳細な説明については、前述の実施形態におけるＳ７０１〜Ｓ７０４における関連する内容が参照されて良く、詳細は本願の本実施形態において再び記載されない。
【０３００】
Ｓ１１０５。eNBは、UEの位置する４Gネットワークセルの無線チャネル品質がVoLTEサービスのサービス要件を満たすと決定する。
【０３０１】
eNBにより、UEの位置する４Gネットワークセルの無線チャネル品質がビデオ呼サービスのサービス要件を満たすと決定する方法については、前述の実施形態における、eNBにより、UEの位置する４Gネットワークセルの無線チャネル品質がビデオ呼サービスのサービス要件を満たすと決定する方法を参照し、詳細は本願の本実施形態において再び記載されない。
【０３０２】
Ｓ１１０６。eNBは、VoLTEサービスに無線リソースを割り当てる。
【０３０３】
Ｓ１１０７。eNBは、第１設定応答をIMSコアネットワーク装置へ送信する。
【０３０４】
第１設定応答は、IMSコアネットワーク装置に、アクセスネットワーク装置が第１設定要求を受け入れたことを通知するために使用される。
【０３０５】
図１１Ａ及び図１１Ｂに示されるように、図１１Ａ及び図１１Ｂは、本願の本実施形態の一実装における、eNBにより、IMSコアネットワーク装置へ第１設定応答を送信する特定の方法を示す。図１１Ａ及び図１１Ｂにおける、eNBにより、第１設定応答をIMSコアネットワーク装置へ送信する特定の方法の詳細な説明については、前述の実施形態におけるＳ７０６の関連する記載を参照し、詳細は本願の本実施形態において再び記載されない。
【０３０６】
強調されるべきことに、図７Ａ及び図７Ｂにおける生成ベアラ応答、CCRメッセージ、RARメッセージ、又はASRメッセージと異なり、図１１Ａ及び図１１Ｂに示される生成ベアラ応答、CCRメッセージ、RARメッセージ、又はASRメッセージは、「eNBがビデオ呼サービスのサービス要件により指示される無線チャネル品質を提供できないことを指示する指示情報」を伝達しないが、「eNBが第１設定要求（具体的に言うと、VoLTEサービスのサービス設定要求）を受け入れたことを指示する指示情報」又は「無線リソースが成功裏に予約されたことを指示する指示情報」を伝達する。
【０３０７】
図１１Ａ及び図１１Ｂに示される実装に加えて、eNBは、eNBとIMSコアネットワーク装置との間のインタフェースを用いて、又はユーザプレーンデータパケットを用いて、IMSコアネットワーク装置へ第１設定応答を更に送信して良い。eNBにより、eNBとIMSコアネットワーク装置との間のインタフェースを用いて又はユーザプレーンデータパケットを用いて、IMSコアネットワーク装置へ第１設定応答を送信する方法については、前述の実施形態におけるＳ７０６の関連する記載を参照し、詳細は本願の本実施形態において再び記載されない。
【０３０８】
さらに、ネットワーク内の各セルの無線チャネル品質は常に変化し得るので、Ｓ１１０７の後に、UEの位置する４Gネットワークセルの無線チャネル品質は変化することがあり、変化した無線チャネル品質はVoLTEサービスのサービス要件を満たさない。この場合、本願の本実施形態における方法は、以下のステップを更に含んで良い。
【０３０９】
Ｓ１１０８。eNBは、UEの位置する４Gネットワークセルの無線チャネル品質がVoLTEサービスのサービス要件を満たさないと決定する。
【０３１０】
eNBにより、UEの位置する４Gネットワークセルの無線チャネル品質がVoLTEサービスのサービス要件を満たさないと決定する特定の方法については、前述の実施形態における、eNBにより、UEの位置する４Gネットワークセルの無線チャネル品質がビデオ呼サービスのサービス要件を満たさないと決定する方法を参照し、詳細は本願の本実施形態において再び記載されない。
【０３１１】
Ｓ１１０９。VoLTEサービスのサービス要件が第１指示情報を含むと決定した場合、eNBは、IMSコアネットワーク装置へ第１通知メッセージを送信する。
【０３１２】
第１通知メッセージは、IMSコアネットワーク装置に、UEの位置する４Gネットワークセルの無線チャネル品質がVoLTEサービスのサービス要件を満たさないことを通知するために使用される。第１通知メッセージは、UEの位置する４Gネットワークセル（具体的に言うと、第１セル）の無線チャネル品質、UEの端末種別情報、UEによりアクセスされるキャリア周波数に関する情報、UEの位置情報、UEの位置する４Gネットワークセルの負荷情報、UEの位置する４GネットワークのRAT情報、及びVoLTEサービスの帯域幅情報、のうちの少なくとも１つを伝達する。
【０３１３】
本願の本実施形態における第１通知メッセージは、標準で当面定められない新しいメッセージであって良い。代替として、図１１Ａ及び図１１Ｂに示されるように、Ｓ１１０９において、eNBにより、第１通知メッセージをIMSコアネットワーク装置へ送信する特定の方法については、前述の実施形態のＳ７０６における、eNBにより、第１設定応答をIMSコアネットワーク装置へ送信する特定の方法を参照し、詳細は本願の本実施形態において再び記載されない。
【０３１４】
図１１Ａ及び図１１Ｂに示される実装に加えて、eNBは、更に、eNBとIMSコアネットワーク装置との間のインタフェースを用いて、IMSコアネットワーク装置へ第１通知メッセージを直接送信して良い。代替として、eNBは、ユーザプレーンデータパケットを用いて、第１通知メッセージをIMSコアネットワーク装置へ送信して良い。
【０３１５】
留意すべきことに、eNBにより、eNBとIMSコアネットワーク装置との間のインタフェースを用いて又はユーザプレーンデータパケットを用いて、第１通知メッセージをIMSコアネットワーク装置へ送信する特定の方法については、前述の実施形態における、eNBにより、eNBとIMSコアネットワーク装置との間のインタフェースを用いて又はユーザプレーンデータパケットを用いて、第１設定応答をIMSコアネットワーク装置へ送信する方法が参照されて良く、詳細は本願の本実施形態において再び記載されない。
【０３１６】
さらに、本願の本実施形態における方法は、
eNBが、VoLTEサービスのサービス要件が第２指示情報を含むと決定し、且つeNBが、無線チャネル品質がVoLTEサービスのサービス要件を満たす第２セルが存在すると決定した場合、eNBにより、UEを第２セルにハンドオーバするステップ、又は、
eNBが、VoLTEサービスのサービス要件が第３指示情報を含むと決定し、且つeNBが、無線チャネル品質がVoLTEサービスのサービス要件を満たす第３セルが存在すると決定した場合、eNBにより、UEを第３セルにハンドオーバするステップ、を更に含んで良い。
【０３１７】
留意すべきことに、本願の本実施形態における、eNBにより、UEを第２セル又は第３セルにハンドオーバする特定の方法については、前述の実施形態における詳細な説明が参照されて良く、詳細は本願の本実施形態において再び記載されない。
【０３１８】
無線チャネル品質がVoLTEサービスのサービス要件を満たす第２セル又は第３セルが存在しないことがある。この場合、図１１Ａ及び図１１Ｂに示されるように、本願の本実施形態における方法は、eNBが無線チャネル品質がVoLTEサービスのサービス要件を満たす第２セル又は第３セルは存在しないと決定した場合、eNBにより、IMSコアネットワーク装置へ第２通知メッセージを送信するステップと、IMSコアネットワーク装置により、eNBから第２通知メッセージを受信するステップと、を更に含んで良い。第２通知メッセージは、第１セルの無線チャネル品質がVoLTEサービスのサービス要件を満たさないこと、及び無線チャネル品質がVoLTEサービスのサービス要件を満たす第２セル又は第３セルが存在しないことを、IMSコアネットワーク装置に通知するために使用される。第２通知メッセージは、UEの位置する４Gネットワークセル（具体的に言うと、第１セル）の無線チャネル品質、UEの端末種別情報、UEによりアクセスされるキャリア周波数に関する情報、UEの位置情報、UEの位置する４Gネットワークセルの負荷情報、UEの位置する４GネットワークのRAT情報、及びVoLTEサービスの帯域幅情報、のうちの少なくとも１つを伝達する。
【０３１９】
Ｓ１１１０。IMSコアネットワーク装置は、受信した第１通知メッセージ又は受信第２通知メッセージに基づき、VoLTEサービスの更新サービス要件を決定する。
【０３２０】
留意すべきことに、IMSコアネットワーク装置により、受信した第１通知メッセージ又は第２通知メッセージに基づき、VoLTEサービスの更新サービス要件を決定する方法については、Ｓ７０７における、IMSコアネットワーク装置により、受信第１設定応答又は第２設定応答に基づき、ビデオ呼サービスの更新サービス要件を決定する方法が参照されて良く、詳細は本願の本実施形態において再び記載されない。
【０３２１】
Ｓ１１１１。IMSコアネットワーク装置は、VoLTEサービスの第１サービス変更要求をeNBへ送信する。ここで、第１サービス変更要求は、VoLTEサービスの更新サービス要件を伝達する。
【０３２２】
例えば、図１１Ａ及び図１１Ｂに示されるように、Ｓ１１１１において、IMSコアネットワーク装置により、VoLTEサービスの第１サービス変更要求をeNBへ送信する特定の方法については、前述の実施形態のＳ７０８における、IMSコアネットワーク装置により、ビデオ呼サービスの第２設定要求をeNBへ送信する特定の方法を参照し、詳細は本願の本実施形態において再び記載されない。
【０３２３】
Ｓ１１１２。eNBは、IMSコアネットワーク装置から第１サービス変更要求を受信する。
【０３２４】
図１１Ａ及び図１１Ｂに示されるように、eNBにより、IMSコアネットワーク装置から第１サービス変更要求を受信するステップは、具体的に、更新RSRP要件を伝達する生成ベアラ要求を受信するステップであって良い。
【０３２５】
VoLTEサービスの更新サービス要件を受信した後に、eNBは、継続して、UEの位置する４Gネットワークセルの無線チャネル品質がVoLTEサービスの更新サービス要件を満たすか否かを決定し、後続の対応する処理を実行して良い。図１１Ａ及び図１１Ｂに示されるように、本願の本実施形態における方法は、Ｓ１１１２及び後続の動作を更に含んで良い。Ｓ１１１２の後に、eNBは、UEの位置する４Gネットワークセルの無線チャネル品質が、第１サービス変更要求の中で伝達されるVoLTEサービスの更新サービス要件を満たすか否かを決定して良い。
【０３２６】
さらに、本願の本実施形態では、IMSコアネットワーク装置は、第１通知メッセージ又は第２通知メッセージを受信した後に、VoLTEサービスを終了して良い。IMSコアネットワーク装置により、第１通知メッセージ又は第２通知メッセージに基づき、VoLTEサービスを終了する方法については、前述の実施形態２における、IMSコアネットワーク装置により、第１設定応答又は第２設定応答に基づき、ビデオ呼サービスを終了する方法を参照し、詳細は本願の本実施形態において再び記載されない。
【０３２７】
本願の本実施形態において提供されるサービス設定方法では、UEのためにVoLTEサービスを設定する処理において、IMSコアネットワーク装置は、VoLTEサービスのサービス要件をeNBへ配信して良い。eNBは、VoLTEサービスのサービス要件を伝達するサービス設定要求を受信して良い。相応して、eNBは、VoLTEサービスの受信したサービス要件を、VoLTEサービス設定の承認閾として使用して良い。具体的に言うと、UEの位置するセルの無線信号品質がVoLTEサービスのサービス要件を満たさないとき、eNBは、VoLTEサービスに無線リソースを割り当てることを拒否し、同時に、IMSコアネットワーク装置に通知して良く、このセル内でVoLTEサービス設定を達成するために、IMSコアネットワーク装置がVoLTEサービスのサービス要件に対応する調整を行うようにする。代替として、eNBは、別のセルにおいてVoLTEサービス設定を達成するために、サービス要件を満たすことのできる別の４Gセル又は２G／３GセルにUEをハンドオーバして良い。本ソリューションを用いて、ネットワーク側は、要件に依存してサービス設定の承認閾を適応的に決定し得る。それにより、経験値にのみ基づき承認閾を決定することにより引き起こされる誤り及び柔軟性欠如のような問題を回避する。さらに、UEのセルの信号品質が承認閾に達しないシナリオ、例えば、ネットワーク信号の弱いカバレッジ領域では、サービスの設定後にサービスが正常に実行可能であること及びサービスの実行中のユーザ経験が向上されることを保証するために、ネットワーク側は、実際のネットワーク状態に依存してサービス要件を調整し、又はUEを別のセルにハンドオーバして良い。
【０３２８】
留意すべきことに、前述の実施形態は、単に一例として４Gネットワーク内のVoLTEサービスを用いて、本願の実施形態において提供されるサービス設定方法を記載した。
【０３２９】
さらに、VoLTEサービスが発信側UE、VoLTEサービスを担うIMSコアネットワーク装置（IMSコアネットワーク装置１としてマークされ、これは前述の実施形態における第１サービスアプリケーションサーバであって良い）、及び着信側UEの間で成功裏に設定された後に、発信側UEは、測定報告閾として、VoLTEサービスを担うIMSコアネットワーク装置により配信されたVoLTEサービスのサービス要件を保存して良い。本願の本実施形態では、第２サービス（例えば、ビデオ呼サービス）を担うIMSコアネットワーク装置は、IMSコアネットワーク装置２としてマークされ、具体的に言うと、前述の実施形態における第２サービスアプリケーションサーバであって良い。VoLTEサービスは前述の実施形態における第１サービスであり、ビデオ呼サービスは前述の実施形態における第２サービスである。具体的に、本願の本実施形態における方法は、Ｓ１２０１を更に含んで良い。
【０３３０】
Ｓ１２０１。IMSコアネットワーク装置２は、第２設定要求をeNBへ送信して、ビデオ呼サービスに無線リソースを割り当てるようeNBをトリガする。ここで、第２設定要求は、ビデオ呼サービスのサービス要件を伝達する。
【０３３１】
Ｓ１２０２。eNBは、IMSコアネットワーク装置２から第２設定要求を受信する。
【０３３２】
Ｓ１２０３。eNBは、VoLTEサービスのサービス要件がビデオ呼サービスのサービス要件より低いと決定する。
【０３３３】
例えば、VoLTEサービスのサービス要件及びビデオ呼サービスのサービス要件の両方がRSRP要件である一例を用いると、eNBは、VoLTEサービスのRSRP要件をビデオ呼サービスのRSRP要件と直接比較して良い。VoLTEサービスのRSRP要件が−１１５dBmであり、且つビデオ呼サービスのRSRP要件が−１１０dBmであると仮定すると、eNBは、VoLTEサービスのサービス要件がビデオ呼サービスのサービス要件より低いと決定する。
【０３３４】
代替として、VoLTEサービスのサービス要件の特定パラメータがビデオ呼サービスのサービス要件の特定パラメータと異なる、例えば、VoLTEサービスのサービス要件がRSRP要件（これは具体的に−１１５dBmである）であり、ビデオ呼サービスのサービス要件がSINR要件（これは具体的に３dBmである）であるとき、eNBは、先ずビデオ呼サービスのSINR要件をRSRP要件（例えば-１１０dBm）にマッピングして良く、又は先ずVoLTEサービスのRSRP要件をSINR要件（例えば２dBm）にマッピングして良く、次に比較を実行して良い。
【０３３５】
Ｓ１２０４。eNBは、UEの現在位置する４Gセルの無線チャネル品質がビデオ呼サービスのサービス要件を満たすことができないと決定する。
【０３３６】
Ｓ１２０４の後に、Ｓ１１０９及び後続の処理が実行されて良い。
【０３３７】
本願の本実施形態において提供されるサービス設定方法では、UEがVoLTEサービス及びビデオ呼サービスの両方を実行するシナリオで、eNBは、２つのサービスのサービス要件を比較し、より高いサービス要件、例えばビデオ呼サービスのサービス要件を、UEの測定報告閾として選択して良い。これは、eNBが、時宜を得た方法で、UEの位置するセルのダウンリンク無線チャネル品質が現在サービス（例えばビデオ呼サービス）のサービス要件の対応するハンドオーバ閾に達したか否かを決定し、時宜を得た方法で、ビデオ呼サービスの要件を満たすことのできる別のセルへのUEのハンドオーバをトリガする、又は時宜を得た方法で、対応するサービスのサービス要件を変更するようサービスアプリケーションサーバに指示することを助ける。さらに、ビデオ呼サービスのサービス要件がVoLTEサービスのサービス要件より高い場合、UEの位置するセルのダウンリンク無線チャネル品質がビデオ呼サービスのサービス要件を満たすならば、UEの位置するセルのダウンリンク無線チャネル品質は、VoLTEサービスのサービス要件を満たすことができ、VoLTEサービスの正常な実行を保証し、音声呼品質を保証する。
【０３３８】
留意すべきことに、本願の実施形態における方法は、単に、VoLTEサービス及びビデオ呼サービスの両方が本願の本実施形態において実行される一例を用いて記載された。本願の本実施形態における方法は、複数の他の種類のサービスに拡張され得る。
【０３３９】
さらに、本願の本実施形態では、IMSコアネットワーク装置は、更に、リアルタイムにVoLTEサービスのサービス要件を更新して良い。
【０３４０】
例えば、VoLTEサービスのサービス要件に影響するパラメータは、限定ではないが、UEの位置する４Gネットワークセルの無線チャネル品質（例えばRSRP、RSRQ、又はSINR）、UEの位置、UEによりアクセスされるキャリア周波数に関する情報、時間情報、UEの位置する４Gネットワークセルの負荷情報、VoLTEサービスのコーデック情報、及びVoLTEサービスの帯域幅情報を含む。IMSコアネットワーク装置は、パラメータの変化に基づき、リアルタイムにVoLTEサービスのサービス要件を更新して良い。リアルタイムにVoLTEサービスのサービス要件を更新する前に、IMSコアネットワーク装置は、UEから、VoLTEサービスのサービス要件に影響するパラメータを取得して良い。
【０３４１】
ネットワークユーザの数の変化に適応するために、IMSコアネットワーク装置は、更に、異なる時間期間におけるVoLTEサービスのためにeNBへ異なるサービス要件を配信して良いことが理解され得る。例えば、ビジー時間（例えば、日中に多数のユーザが存在するとき）に配信されるRSRP要件は−１１０dBmであって良く、アイドル時間（夜間に少数のユーザが存在するとき）に配信されるRSRP要件は−１２０dBmであって良い。IMSコアネットワーク装置が、時間情報がビジー時間からアイドル時間に変化することを検出した場合、IMSコアネットワーク装置は、RSRP要件が−１１０dBmから−１２０dBmに更新され得ることを決定して良い。
【０３４２】
代替として、発信側UE、IMSコアネットワーク装置、及び着信側UEの間に関する交渉されたコーデック情報が変化するとき、IMSコアネットワーク装置は、VoLTEサービスのサービス要件を現在コーデック情報に対応するサービス要件に更新して良い。
【０３４３】
代替として、IMSコアネットワーク装置は、VoLTEサービスのMOSの変化に基づき、リアルタイムにVoLTEサービスのサービス要件を更新して良い。例えば、VoLTEサービスの現在のMOSは、３．５であり、VoLTEサービスのMOS要件のプリセット値４より低い。次に、IMSコアネットワーク装置は、VoLTEサービスのサービス要件を３．５のMOSに対応するサービス要件に更新して良い。
【０３４４】
本願の本実施形態において提供されるサービス設定方法では、VoLTEサービスのサービス要件は、VoLTEサービスの正常実行を保証するため及び音声呼品質を保証するために、リアルタイムに更新されて良い。
【０３４５】
以上は、主に、アクセスネットワーク装置と、サービスアプリケーションサーバ及びコアネットワーク装置のような装置との間の相互作用の観点から、本願の実施形態のソリューションを記載した。前述の機能を実装するために、アクセスネットワーク装置及びサービスアプリケーションサーバは、該機能に対応するハードウェア構造及び／又はソフトウェアモジュールを含むことが理解され得る。当業者は、本願明細書に開示された実施形態を参照して記載された例のアクセスネットワーク装置、サービスアプリケーションサーバ、及びアルゴリズムステップが本願のハードウェア又はハードウェアとコンピュータソフトウェアとの組み合わせにより実装できることを容易に理解すべきである。機能がハードウェアにより又はコンピュータソフトウェアにより駆動されるハードウェアにより実行されるかは、技術的ソリューションの特定の適用及び設計制約条件に依存する。当業者は、各々の特定の適用について記載の機能を実施するために異なる方法を使用し得るが、実装が本願の範囲を超えると考えられるべきではない。
【０３４６】
本願の実施形態では、モジュール又はユニット分割は、方法の例に基づきアクセスネットワーク装置又はサービスアプリケーションサーバに対して実行され得る。例えば、各モジュール又はユニットは、各対応する機能についての分割を通じて得られて良く、又は、少なくとも２つの機能が１つの処理モジュールに統合されて良い。本願の実施形態におけるモジュール又はユニット分割は、一例であり、単に論理的機能分割であり、実際の実装中に別の分割方法があって良い。
【０３４７】
図１２は、前述の実施形態において使用されるアクセスネットワーク装置の可能な概略構造図である。アクセスネットワーク装置１２００は、受信モジュール１２０１、決定モジュール１２０２、送信モジュール１２０３、及びハンドオーバモジュール１２０４を含む。受信モジュール１２０１は、サービスアプリケーションサーバ、コアネットワーク装置、及びUEのような装置から、要求メッセージ又は別の種類のメッセージを受信するよう構成される。例えば、受信モジュール１２０１は、図３〜図６のいずれか１つのＳ３０２、図６のＳ３１１、図７Ａ及び図７ＢのＳ７０４及びＳ７０９、図８〜図１０のいずれか１つのＳ８０２、図１１Ａ及び図１１ＢのＳ１１０４及びＳ１１１２、及び／又は本願明細書に記載の技術の他の処理をサポートするよう構成される。決定モジュール１２０２は、UEの位置する第１ネットワークの第１セルの無線チャネル品質が被設定サービスのサービス要件を満たすか否かを決定するよう構成される。例えば、決定モジュール１２０２は、図３〜図６のいずれか１つのＳ３０３、図７Ａ及び図７ＢのＳ７０５及びＳ７１０、図８〜図１０のいずれか１つのＳ８０４、図１１Ａ及び図１１ＢのＳ１１０５及びＳ１１０８、及び／又は本願明細書に記載の技術の他の処理をサポートするよう構成される。送信モジュール１２０３は、サービスアプリケーションサーバ、コアネットワーク装置、及びUEのような装置へ、応答メッセージ、クエリメッセージ、又は別の種類のメッセージを送信するよう構成される。例えば、送信モジュール１２０３は、図３のＳ３０４、図４〜図６のいずれか１つのＳ３０４’、図５又は図６のＳ３０８、図７Ａ及び図７ＢのＳ７０６及びＳ７１１、図８のＳ８０３及びＳ８０５、図９のＳ８０３及びＳ８０５’、図１０のＳ８０３、Ｓ８１１、及びＳ８０５’、図１１Ａ及び図１１ＢのＳ１１０７及びＳ１１０９、及び／又は本願明細書に記載の技術の他の処理をサポートするよう構成される。ハンドオーバモジュール１２０４は、決定モジュール１２０２が第１セルの無線チャネル品質は被設定サービスのサービス要件を満たさないと決定すると、セル間でUEをハンドオーバするよう構成される。例えば、ハンドオーバモジュール１２０４は、図３のＳ３０６及びＳ３０７、図４〜図６のいずれか１つのＳ３０６’及びＳ３０７’、図８のＳ８０７及びＳ８０８、図９又は図１０のＳ８０７’及びＳ８０８’、及び／又は本願明細書に記載の技術の他の処理をサポートするよう構成される。
【０３４８】
アクセスネットワーク装置１２００は、前述の列挙された機能モジュールを含むが、それらに限定されない。例えば、アクセスネットワーク装置１２００は、割当モジュールであって、決定モジュール１２０２が第１セルの無線チャネル品質が被設定サービスのサービス要件を満たすと決定すると、UEに無線リソースを割り当てるよう構成される割当モジュール、及び、削除モジュールであって、決定モジュール１２０２が第１セルの無線チャネル品質は被設定サービスのサービス要件を満たさないと決定すると、割当モジュールによりUEに割り当てられた無線リソースを削除するよう構成される削除モジュール、等を更に含んで良い。さらに、前述の機能モジュールが具体的に実装可能な機能は、前述の例において記載された方法のステップに対応する機能を含み得るが、それらに限定されない。アクセスネットワーク装置１２００の他の機能ユニット及びアクセスネットワーク装置１２００の各機能ユニットの詳細な説明については、対応する方法のステップの詳細な説明を参照し、詳細は本願の本実施形態において再び記載されない。
【０３４９】
モジュールは、ハードウェアを用いて実装されて良く、又はソフトウェア機能モジュール又は機能ユニット用いて実装されて良い。
【０３５０】
統合ユニットが使用されるとき、決定モジュール１２０２、ハンドオーバモジュール１２０４、割当モジュール、及び削除モジュールのような機能モジュールは、実装のために１つの処理ユニットに統合されて良い。処理ユニットは、プロセッサ又は制御部であって良く、例えばCPU、汎用プロセッサ、デジタル信号プロセッサ（英語：Digital  Signal  Processor、略称：DSP）、特定用途向け集積回路（英語：Application  Specific  Integrated  Circuit、略称：ASIC）、フィールドプログラマブルゲートアレイ（英語：Field  Programmable  Gate  Array、略称：FPGA）又は別のプログラマブル論理装置、トランジスタ論理装置、ハードウェアコンポーネント、又はそれらの任意の組み合わせであって良い。プロセッサ又は制御部は、本願で開示された内容を参照して記載された例の論理ブロック図、モジュール及び回路を実装し又は実行して良い。処理ユニットは、コンピューティング機能を実装する組み合わせ、例えば、１又は複数のマイクロプロセッサを含む組み合わせ、又はDSP及びマイクロプロセッサの組み合わせであって良い。受信モジュール１２０１及び送信モジュール１２０３は、実装のために１つの通信ユニットに統合されて良い。通信ユニットは、通信インタフェース、通信機回路、通信機、等であって良い。
【０３５１】
処理ユニットがプロセッサであり、通信ユニットが通信インタフェースであるとき、本願の本実施形態におけるアクセスネットワーク装置１２００は、図１３に示されるアクセスネットワーク装置１３００であって良い。図１３に示されるように、アクセスネットワーク装置１３００は、１又は複数のプロセッサ１３０１、通信機１３０２、メモリ１３０３、及びバス１３０４、を含む。プロセッサ１３０１、通信機１３０２及びメモリ１３０３は、バス１３０４を用いて接続される。メモリは、１又は複数のアプリケーションプログラムを格納するよう構成される。１又は複数のアプリケーションプログラムは命令を含む。アクセスネットワーク装置１３００のプロセッサ１３０１が命令を実行すると、アクセスネットワーク装置１３００は、図３〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３５２】
バス１３０４は、周辺機器相互接続（英語：peripheral  component  interconnect、略称：PCI）バス、拡張業界標準アーキテクチャ（英語：extended  industry  standard  architecture、略称：EISA）バス、等であって良い。バス１３０４は、アドレスバス、データバス、制御バス、等に分類され得る。提示の容易さのために、バスは、図１３に１本の太線のみを用いて表されるが、１本のみのバス又は１種類のみのバスが存在することを示すものではない。
【０３５３】
本願の一実施形態は、不揮発性記憶媒体を更に提供する。不揮発性記憶媒体は、プログラムコードの１又は複数のピースを格納する。アクセスネットワーク装置１３００のプロセッサ１３０１がプログラムコードを実行すると、アクセスネットワーク装置１３００は、図４〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３５４】
本願の本実施形態で提供されるアクセスネットワーク装置内の機能ユニット又は機能モジュールの詳細な説明、及び機能ユニット又は機能モジュールが図４〜図１１Ａ及び図１１Ｂのうちのいずれか１つの関連する方法のステップを実行した後に得られる技術的効果については、本願の方法の実施形態における関連する記載を参照し、詳細はここで再び記載されない。
【０３５５】
図１４は、前述の実施形態において使用されるサービスアプリケーションサーバの可能な概略構造図である。サービスアプリケーションサーバ１４００は、送信モジュール１４０１、及び受信モジュール１４０２を含む。送信モジュール１４０１は、アクセスネットワーク装置、コアネットワーク装置、及びUEのような装置へ、要求メッセージ又は別の種類のメッセージを送信するよう構成される。例えば、送信モジュール１４０１は、図３〜図６のいずれか１つのＳ３０１、図６のＳ３１０、図７Ａ及び図７ＢのＳ７０３及びＳ７０８、図８〜図１０のいずれか１つのＳ８０１、図１１Ａ及び図１１ＢのＳ１１０３及びＳ１１１１、及び／又は本願明細書に記載の技術の他の処理をサポートするよう構成される。受信モジュール１４０２は、アクセスネットワーク装置、コアネットワーク装置、及びUEのような装置から、応答メッセージ、クエリメッセージ、又は別の種類のメッセージを受信するよう構成される。例えば、受信モジュール１４０２は、図３〜図６のいずれか１つのＳ３０５、図５又は図６のＳ３０９、図７Ａ及び図７ＢのＳ７０７、図８〜図１０のいずれか１つのＳ８０６、図１０のＳ８１２、図１１Ａ及び図１１ＢのＳ１１０７及びＳ１１０９、及び／又は本願明細書に記載の技術の他の処理をサポートするよう構成される。
【０３５６】
さらに、図１５に示されるように、サービスアプリケーションサーバ１４００は、決定モジュール１４０３を更に含んで良い。決定モジュール１４０３は、被設定サービスのサービス要件又は被設定サービスの更新サービス要件を決定するよう構成される。例えば、決定モジュール１４０３は、図７Ａ及び図７ＢのＳ７０２及びＳ７０７、図１１Ａ及び図１１ＢのＳ１１０２及びＳ１１１０、及び／又は本願明細書に記載の技術の他の処理をサポートするよう構成される。受信モジュール１４０２は、被設定サービスのサービス要件又は被設定サービスの更新サービス要件を決定するために決定モジュール１４０３により使用される関連情報を受信するよう更に構成されて良い。
【０３５７】
サービスアプリケーションサーバ１４００は、前述の列挙された機能モジュールを含むが、それらに限定されない。例えば、サービスアプリケーションサーバ１４００は、コーデック情報を変更するよう構成された変更モジュールを更に含んで良い。さらに、前述の機能モジュールが具体的に実装可能な機能は、前述の例において記載された方法のステップに対応する機能を含むが、それらに限定されない。サービスアプリケーションサーバ１４００の他の機能ユニット及びサービスアプリケーションサーバ１４００の各機能ユニットの詳細な説明については、対応する方法のステップの詳細な説明を参照し、詳細は本願の本実施形態において再び記載されない。
【０３５８】
統合ユニットが使用されるとき、決定モジュール１４０３及び変更モジュールのような機能モジュールは、実装のために１つの処理ユニットに統合されて良い。処理ユニットは、プロセッサ又は制御部であって良く、例えばCPU、汎用プロセッサ、DSP、ASIC、FPGA、又は別のプログラマブル論理装置、トランジスタ論理装置、ハードウェアコンポーネント、又はそれらの任意の組み合わせであって良い。プロセッサ又は制御部は、本願で開示された内容を参照して記載された例の論理ブロック図、モジュール及び回路を実装し又は実行して良い。処理ユニットは、コンピューティング機能を実装する組み合わせ、例えば、１又は複数のマイクロプロセッサを含む組み合わせ、又はDSP及びマイクロプロセッサの組み合わせであって良い。送信モジュール１４０１及び受信モジュール１４０２は、実装のために１つの通信ユニットに統合されて良い。通信ユニットは、通信インタフェース、通信機回路、通信機、等であって良い。
【０３５９】
処理ユニットがプロセッサであり、通信ユニットが通信インタフェースであるとき、本願の本実施形態におけるサービスアプリケーションサーバ１４００は、図１６に示されるサービスアプリケーションサーバ１６００であって良い。図１６に示されるように、サービスアプリケーションサーバ１６００は、１又は複数のプロセッサ１６０１、通信機１６０２、メモリ１６０３、及びバス１６０４を含む。プロセッサ１６０１、通信機１６０２及びメモリ１６０３は、バス１６０４を用いて接続される。メモリは、１又は複数のアプリケーションプログラムを格納するよう構成される。１又は複数のアプリケーションプログラムは命令を含む。サービスアプリケーションサーバ１６００のプロセッサ１６０１が命令を実行すると、サービスアプリケーションサーバ１６００は、図３〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３６０】
バス１６０４は、PCIバス、EISAバス、等であって良い。バス１６０４は、アドレスバス、データバス、制御バス、等に分類され得る。提示の容易さのために、バスは、図１６に１本の太線のみを用いて表されるが、１本のみのバス又は１種類のみのバスが存在することを示すものではない。
【０３６１】
本願の一実施形態は、不揮発性記憶媒体を更に提供する。不揮発性記憶媒体は、プログラムコードの１又は複数のピースを格納する。サービスアプリケーションサーバ１６００のプロセッサ１６０１がプログラムコードを実行すると、サービスアプリケーションサーバ１６００は、図４〜図１１Ａ及び図１１Ｂのうちのいずれか１つの関連する方法のステップを実行し、サービスアプリケーションサーバのような装置と相互作用することにより前述の実施形態におけるサービス設定方法を実施する。
【０３６２】
本願の本実施形態で提供されるサービスアプリケーションサーバ内の機能ユニット又は機能モジュールの詳細な説明、及び機能ユニット又は機能モジュールが図４〜図１１Ａ及び図１１Ｂのうちのいずれか１つの関連する方法のステップを実行した後に得られる技術的効果については、本願の方法の実施形態における関連する記載を参照し、詳細はここで再び記載されない。
【０３６３】
実装に関する前述の記載は、便宜及び記載の簡潔さのために前述の機能モジュールの分割が説明のための一例として使用されることを、当業者が理解できるようにする。実際の適用では、前述の機能は、異なる機能モジュールに割り当てられ及び要件に従って実装され得る。つまり、機器の内部構造は、上述の機能の全部又は一部を実装するために異なる機能モジュールに分割される。前述のシステム、機器及びユニットの詳細な動作処理については、前述の方法の実施形態の対応する処理を参照し、詳細はここで再び記載されない。
【０３６４】
本願において提供される幾つかの実施形態では、開示のシステム、機器、及び方法は他の方法で実装されて良いことが理解されるべきである。例えば、記載した機器の実施形態は単なる一例である。例えば、モジュール又はユニット分割は、単なる論理的機能分割であり、実際の実装では他の分割であって良い。例えば、複数のユニット又はコンポーネントは、別のシステムに結合又は統合されて良い。或いは、幾つかの機能は無視されるか又は実行されなくて良い。さらに、示した又は議論した相互結合又は直接結合又は通信接続は、幾つかのインタフェースを用いて実装されて良い。機器又はユニット間の間接結合又は通信接続は、電気的、機械的又は他の形式で実装されて良い。
【０３６５】
別個の部分として記載されたユニットは、物理的に別個であって良く又はそうでなくて良い。並びに、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に従い選択されて良い。
【０３６６】
さらに、本願の実施形態における機能ユニットは、１つの処理ユニットに統合されて良く、或いはユニットの各々が物理的に単独で存在して良く、或いは２以上のユニットが１つのユニットに統合されて良い。統合ユニットは、ハードウェアの形式で実装されて良く、又はソフトウェア機能ユニットの形式で実装されて良い。
【０３６７】
統合ユニットがソフトウェア機能ユニットの形式で実装され、独立した製品として販売され又は使用されるとき、統合ユニットは、コンピュータ可読記憶媒体に格納されて良い。このような理解に基づき、本願の基本的技術的ソリューション、又は従来技術に貢献する部分、又は技術的ソリューションの全部若しくは一部は、ソフトウェアプロダクトの形式で実施されて良い。コンピュータソフトウェアプロダクトは、記憶媒体に格納され、コンピュータ装置（パーソナルコンピュータ、サーバ、ネットワーク装置、等であって良い）又はプロセッサ（英語：processor）に、本願の実施形態において記載された方法のステップの全部又は一部を実行するよう指示する複数の命令を含む。前述の記憶媒体は、USBフラッシュドライブ、取り外し可能ハードディスク、読み出し専用メモリ（英語：Read-Only  Memory、略称：ROM）、ランダムアクセスメモリ（英語：Random  Access  Memory、略称：RAM）、磁気ディスク又は光ディスクのような、プログラムコードを格納可能な任意の媒体を含む。
【０３６８】
上述の説明は、本願の単なる特定の実装であり、本願の保護範囲を制限するものではない。本願に開示された技術範囲内にある、当業者により直ちに考案される任意の変形又は置換は、本願の保護範囲に包含されるべきである。したがって、本願の保護範囲は、請求項の保護範囲に従うべきである。
【手続補正２】
【補正対象書類名】特許請求の範囲
【補正対象項目名】全文
【補正方法】変更
【補正の内容】
【特許請求の範囲】
【請求項１】
サービス設定方法であって、
アクセスネットワーク装置により、第１コアネットワーク装置から第１設定要求を受信するステップであって、前記第１設定要求は、第１サービスのサービス要件を伝達し、前記第１サービスの前記サービス要件は、前記アクセスネットワーク装置に、前記第１サービスを実行するためのユーザ機器（UE）に対する無線チャネル品質要件を指示するために使用される、ステップ、
前記アクセスネットワーク装置により、前記第１コアネットワーク装置へ第１設定応答を送信するステップであって、前記第１設定応答は、前記第１コアネットワーク装置に、前記アクセスネットワーク装置が前記第１設定要求を受け入れたことを通知するために使用される、ステップ、及び、
前記アクセスネットワーク装置が、前記UEの位置する第１ネットワークの第１セルの無線チャネル品質が前記第１サービスの前記サービス要件を満たさないと決定すると、
前記UEを前記第１ネットワークの第２セルにハンドオーバするステップ、又は、
前記UEを第２ネットワークの第３セルにハンドオーバするステップ、
を含む方法。
【請求項２】
前記アクセスネットワーク装置により、前記第１コアネットワーク装置へ第１設定応答を送信する前記ステップの前に、前記方法は、
前記アクセスネットワーク装置により、前記第１セルの前記無線チャネル品質が前記第１サービスの前記サービス要件を満たすと決定するステップ、を更に含む請求項１に記載の方法。
【請求項３】
前記アクセスネットワーク装置により、前記第１コアネットワーク装置へ第１設定応答を送信する前記ステップの前に、前記方法は、
前記アクセスネットワーク装置により、前記第１サービスに無線リソースを割り当てるステップ、を更に含む請求項１又は２に記載の方法。
【請求項４】
前記第１設定要求はベアラ設定要求であり、前記ベアラ設定要求はサービス品質クラス識別子が１に等しいベアラに対応する、請求項１乃至３のいずれか一項に記載の方法。
【請求項５】
前記第１サービスは音声サービスである、請求項１乃至４のいずれか一項に記載の方法。
【請求項６】
前記無線チャネル品質要件は、基準信号受信電力（RSRP）要件、又は基準信号受信品質（RSRQ）要件を含む、請求項１乃至５のいずれか一項に記載の方法。
【請求項７】
前記アクセスネットワーク装置により、前記第１ネットワークの第２セルに前記ＵＥをハンドオーバする前記ステップは、
前記アクセスネットワーク装置が、前記第１サービスの前記サービス要件は第２指示情報を含むと決定し、且つ前記アクセスネットワーク装置が、無線チャネル品質が前記第１サービスの前記サービス要件を満たす前記第２セルが存在すると決定した場合、前記アクセスネットワーク装置により、前記UEを前記第２セルにハンドオーバするステップを含み、
前記第２指示情報は、前記第１セルの前記無線チャネル品質が前記第１サービスの前記サービス要件を満たさないとき、前記UEを前記第２セルにハンドオーバするよう、前記アクセスネットワーク装置に指示するために使用される、請求項１乃至６のいずれか一項に記載の方法。
【請求項８】
前記アクセスネットワーク装置により、前記第２ネットワークの第３セルに前記UEをハンドオーバする前記ステップは、
前記アクセスネットワーク装置が、前記第１サービスの前記サービス要件は第３指示情報を含むと決定し、且つ前記アクセスネットワーク装置が、無線チャネル品質が前記第１サービスの前記サービス要件を満たす前記第３セルが存在すると決定した場合、前記アクセスネットワーク装置により、前記UEを前記第３セルにハンドオーバするステップを含み、
前記第３指示情報は、前記アクセスネットワーク装置に、前記第１セルの前記無線チャネル品質が前記第１サービスの前記サービス要件を満たさないとき、前記UEを前記第３セルにハンドオーバするよう指示するために使用される、請求項１乃至６のいずれか一項に記載の方法。
【請求項９】
前記アクセスネットワーク装置により、前記第１コアネットワーク装置へ第１設定応答を送信する前記ステップの後に、前記方法は、
前記アクセスネットワーク装置により、前記UEへ第１測定制御コマンドを送信するステップ、を更に含み、
前記第１測定制御コマンドは、前記第１セルの前記無線チャネル品質を測定し、前記第１セルの前記無線チャネル品質が前記第１サービスの前記サービス要件を満たさないとき、前記アクセスネットワーク装置へ第１測定報告を送信するよう、前記UEに指示するために使用され、前記第１測定報告は、前記第１セルの前記無線チャネル品質が前記第１サービスの前記サービス要件を満たさないことを前記アクセスネットワーク装置に指示するために使用される、請求項１乃至８のいずれか一項に記載の方法。
【請求項１０】
前記アクセスネットワーク装置により、前記第１コアネットワーク装置へ第１設定応答を送信する前記ステップの後に、前記方法は、
前記アクセスネットワーク装置により、第２コアネットワーク装置から第２設定要求を受信するステップであって、前記第２設定要求は、第２サービスのサービス要件を伝達し、前記第２サービスの前記サービス要件は、前記第２サービスを実行するための前記UEに対する無線チャネル品質要件を前記アクセスネットワーク装置に指示するために使用される、ステップと、
前記アクセスネットワーク装置により、前記第２サービスの前記サービス要件が前記第１サービスの前記サービス要件より高いことを決定するステップと、
前記アクセスネットワーク装置により、前記UEへ第２測定制御コマンドを送信するステップと、
を更に含み、
前記第２測定制御コマンドは、前記第１セルの前記無線チャネル品質を測定し、前記第１セルの前記無線チャネル品質が前記第２サービスの前記サービス要件を満たさないとき、前記アクセスネットワーク装置へ第２測定報告を送信するよう、前記UEに指示するために使用され、前記第２測定報告は、前記第１セルの前記無線チャネル品質は前記第２サービスの前記サービス要件を満たさないことを前記アクセスネットワーク装置に指示するために使用される、請求項１乃至８のいずれか一項に記載の方法。
【請求項１１】
前記方法は、
前記アクセスネットワーク装置が、無線チャネル品質が前記第１サービスの前記サービス要件を満たす前記第２セル又は前記第３セルが存在しないと決定した場合、前記アクセスネットワーク装置により、前記第１サービスに割り当てられた前記無線リソースを削除するステップ、を更に含む請求項３、７、又は８のいずれか一項に記載の方法。
【請求項１２】
前記アクセスネットワーク装置により、無線チャネル品質が前記第１サービスの前記サービス要件を満たす前記第２セル又は前記第３セルが存在すると決定する前記ステップは、
前記アクセスネットワーク装置により、前記UEへ第３測定制御コマンドを送信するステップであって、前記第３測定制御コマンドは、前記第２セル又は前記第３セルの前記無線チャネル品質を測定するよう、前記UEに指示するために使用される、ステップ、
前記アクセスネットワーク装置により、前記UEにより報告された第３測定報告を受信するステップであって、前記第３測定報告は、前記UEが前記第２セル又は前記第３セルの前記無線チャネル品質を測定した後に取得された測定結果を伝達する、ステップ、及び、
前記アクセスネットワーク装置により、前記測定結果に基づき、無線チャネル品質が前記第１サービスの前記サービス要件を満たす前記第２セル又は前記第３セルが存在すると決定するステップ、又は、
前記アクセスネットワーク装置により、前記UEへ第３測定制御コマンドを送信するステップであって、前記第３測定制御コマンドは、前記第１サービスの前記サービス要件に基づき決定された測定報告条件を伝達し、前記第３測定制御コマンドは、前記第２セル又は前記第３セルの前記無線チャネル品質を測定するよう、前記UEに指示するために使用され、前記測定報告条件は、前記UEが前記第２セル又は前記第３セルの前記無線チャネル品質が前記測定報告条件を満たすと決定すると、前記アクセスネットワーク装置へ第３測定報告を報告するよう、前記UEに指示するために使用される、ステップ、及び、
前記アクセスネットワーク装置が、前記UEにより報告された前記第３測定報告を受信した場合、前記アクセスネットワーク装置により、無線チャネル品質が前記第１サービスの前記サービス要件を満たす前記第２セル又は前記第３セルが存在すると決定するステップ、
を含む、請求項７、８、又は１１のいずれか一項に記載の方法。
【請求項１３】
前記第１サービスの前記サービス要件は、前記第１サービスのコーデック情報に対応する、請求項１乃至１２のいずれか一項に記載の方法。
【請求項１４】
アクセスネットワーク装置であって、
第１コアネットワーク装置から第１設定要求を受信するよう構成される受信機であって、前記第１設定要求は、第１サービスのサービス要件を伝達し、前記第１サービスの前記サービス要件は、前記アクセスネットワーク装置に、前記第１サービスを実行するためのユーザ機器（UE）に対する無線チャネル品質要件を指示するために使用される、受信機と、
前記第１コアネットワーク装置へ第１設定応答を送信するよう構成される送信機であって、前記第１設定応答は、前記第１コアネットワーク装置に、前記アクセスネットワーク装置が前記第１設定要求を受け入れたことを通知するために使用される、送信機と、
前記UEの位置する第１ネットワークの第１セルの無線チャネル品質が前記第１サービスの前記サービス要件を満たすか否かを決定するよう構成されるプロセッサと、
を含み、
前記プロセッサは、前記プロセッサが、前記UEの位置する前記第１ネットワークの前記第１セルの前記無線チャネル品質が前記第１サービスの前記サービス要件を満たさないと決定すると、前記UEを前記第１ネットワークの第２セルにハンドオーバするよう又は前記UEを第２ネットワークの第３セルにハンドオーバするよう更に構成される、アクセスネットワーク装置。
【請求項１５】
前記プロセッサは、前記送信機が前記第１コアネットワーク装置へ第１設定応答を送信する前に、前記第１セルの前記無線チャネル品質が前記第１サービスの前記サービス要件を満たすと決定するよう更に構成される、請求項１４に記載のアクセスネットワーク装置。
【請求項１６】
前記プロセッサが、前記第１ネットワークの第２セルに前記ＵＥをハンドオーバするよう構成されることは、
前記プロセッサが、前記第１サービスの前記サービス要件は第２指示情報を含むと決定し、且つ無線チャネル品質が前記第１サービスの前記サービス要件を満たす前記第２セルが存在すると決定すると、前記UEを前記第２セルにハンドオーバするよう構成されることを含み、
前記第２指示情報は、前記第１セルの前記無線チャネル品質が前記第１サービスの前記サービス要件を満たさないとき、前記UEを前記第２セルにハンドオーバするよう、前記アクセスネットワーク装置に指示するために使用される、請求項１４又は１５に記載のアクセスネットワーク装置。
【請求項１７】
前記第１サービスの前記サービス要件は前記第１サービスのコーデック情報に対応する、請求項１４乃至１６のいずれか一項に記載のアクセスネットワーク装置。
【請求項１８】
前記第１設定要求はベアラ設定要求であり、前記ベアラ設定要求は、サービス品質クラス識別子が１に等しいベアラに対応する、請求項１４乃至１７のいずれか一項に記載のアクセスネットワーク装置。
【請求項１９】
前記第１サービスは音声サービスである、請求項１４乃至１８のいずれか一項に記載のアクセスネットワーク装置。
【請求項２０】
前記無線チャネル品質要件は、基準信号受信電力（RSRP）要件、又は基準信号受信品質（RSRQ）要件を含む、請求項１４乃至１９のいずれか一項に記載のアクセスネットワーク装置。
【請求項２１】
前記プロセッサが、前記第３セルに前記ＵＥをハンドオーバするよう構成されることは、
前記プロセッサが、前記第１サービスの前記サービス要件は第３指示情報を含むと決定し、且つ無線チャネル品質が前記第１サービスの前記サービス要件を満たす前記第３セルが存在すると決定する場合、前記UEを前記第３セルにハンドオーバするよう構成されることを含み、
前記第３指示情報は、前記第１セルの前記無線チャネル品質が前記第１サービスの前記サービス要件を満たさないとき、前記UEを前記第３セルにハンドオーバするよう、前記アクセスネットワーク装置に指示するために使用される、請求項１４乃至２０のいずれか一項に記載のアクセスネットワーク装置。
【請求項２２】
前記受信機は、前記第１コアネットワーク装置へ第１設定応答が送信された後に、第２コアネットワーク装置から第２設定要求を受信するよう更に構成され、前記第２設定要求は、第２サービスのサービス要件を伝達し、前記第２サービスの前記サービス要件は、前記第２サービスを実行するための前記UEに対する無線チャネル品質要件を前記アクセスネットワーク装置に指示するために使用され、
前記プロセッサは、前記第２サービスの前記サービス要件が前記第１サービスの前記サービス要件より高いことを決定するよう更に構成され、
前記送信機は、前記UEへ第２測定制御コマンドを配信するよう更に構成され、
前記第２測定制御コマンドは、前記第１セルの前記無線チャネル品質を測定し、前記第１セルの前記無線チャネル品質が前記第２サービスの前記サービス要件を満たさないとき、前記アクセスネットワーク装置へ第２測定報告を送信するよう、前記UEに指示するために使用され、前記第２測定報告は、前記第１セルの前記無線チャネル品質は前記第２サービスの前記サービス要件を満たさないことを前記アクセスネットワーク装置に指示するために使用される、請求項１４乃至２１のいずれか一項に記載のアクセスネットワーク装置。
【請求項２３】
コンピュータ可読記憶媒体であって、前記コンピュータ可読記憶媒体は１又は複数のプログラムを格納し、前記１又は複数のプログラムは、命令であってアクセスネットワーク装置の少なくとも１つのプロセッサにより実行されると、前記アクセスネットワーク装置が請求項１乃至１３のいずれか一項に記載のサービス設定方法を実行できるようにする命令を含む、コンピュータ可読記憶媒体。
【請求項２４】
通信システムであって、請求項１４乃至２２のいずれか一項に記載のアクセスネットワーク装置と、前記アクセスネットワーク装置に結合されたコアネットワーク装置と、を含む通信システム。
【国際調査報告】
2019528639.tif 000021
2019528639.tif 000022
2019528639.tif 000023
2019528639.tif 000024